(57)【要約】異なるサービスエリア間を移動する際に、無駄な電力を消費することなく迅速に移動先サービスエリアのアクセスポイントに接続する無線通信装置。この装置では、状態変化検出部（２０３）が、接続中のアクセスポイントからの受信電波強度が閾値以下になったことを検出すると、サービスエリア情報取得部（２０４）は、現在位置するサービスエリア及び近隣のサービスエリア情報を取得する。サービスエリア情報に対応するプロファイル情報がプロファイル情報取得部（２０６）により取得され、取得されたプロファイル情報に、接続中のアクセスポイントが形成するサービスエリアに隣接するサービスエリアのアクセスポイントを接続先の最優先となるように優先順位設定部（２１１）が優先順位の設定を行う。これら優先順位付けされたプロファイル情報に基づいて、アクセスポイントへ接続要求を行う。
2008111319.tif 000002
【特許請求の範囲】
【請求項１】
接続中のアクセスポイントからの信号の接続受信状態の変化を検出する状態変化検出手段と、
現在位置するサービスエリア及び現在位置するサービスエリアの近隣に存在し、当該現在位置するサービスエリアとは異なるサービスエリアを構成するアクセスポイントへの接続に必要なプロファイル情報を取得するプロファイル情報取得手段と、
現在位置するサービスエリアにおいて、前記プロファイル情報取得手段より取得されたプロファイル情報に対して、次の接続先となるアクセスポイントを示すプロファイル情報として、優先順位付けを行う優先順位設定手段と、
優先順位の最も高いプロファイル情報を選択する優先プロファイル情報選択手段と、
前記状態変化検出手段によって一定値より低い接続受信レベルが検出された場合、優先順位付けされたプロファイル情報から前記優先プロファイル情報選択手段によって選択された優先順位の最も高いプロファイル情報が示すアクセスポイントへ接続要求を行う接続手段と、を有する無線通信装置。
【請求項２】
現在位置するサービスエリア及び現在位置するサービスエリアとは異なる近隣のサービスエリアを構成するアクセスポイントを示すサービスエリア情報を、接続中のアクセスポイントから取得するサービスエリア情報取得手段を更に備え、
前記プロファイル情報取得手段は、前記接続先のアクセスポイントから取得したサービスエリア情報のアクセスポイントに対応するアクセスポイントへの接続に必要なプロファイル情報を取得する請求項１記載の無線通信装置。
【請求項３】
前記サービスエリア情報取得手段は、前記接続手段を介して現在接続しているサービスエリアに存在するアクセスポイントへ情報取得要求を行って、近隣のサービスエリアの情報を取得し、
前記優先プロファイル情報選択手段は、先に選択したプロファイル情報が示すアクセスポイントへの前記接続手段による接続要求が許可されない場合、前記優先順位設定手段によって前記優先順位付けされたプロファイル情報に対して、次に優先順位付けされたプロファイル情報を選択する請求項２記載の無線通信装置。
【請求項４】
前記プロファイル情報取得手段のプロファイル情報取得の終了後、前記優先順位設定手段に対して、前記接続受信レベルの低下に伴い、現在位置するサービスエリアとは異なるサービスエリアへ移動を開始する前に、予め優先順位付けを行うように処理要求を行う制御手段を備え、
前記優先プロファイル情報選択手段は、優先順位付けされたプロファイル情報の中から最も優先順位の高いプロファイル情報を選択する請求項１記載の無線通信装置。
【請求項５】
前記接続手段による前記アクセスポイントへの接続要求が許可されなかった場合、前記サービスエリア情報取得手段は、現在位置しているサービスエリア及び近隣に存在するサービスエリアを示すサービスエリア情報を再度収集し、
前記優先順位設定手段は、再度収集されたサービスエリア情報に対応するプロファイル情報に優先順位付けを行う請求項１記載の無線通信装置。
【請求項６】
移動過程において過去に接続したアクセスポイントを接続実績情報として更新する接続実績情報更新手段を有し、
前記優先順位設定手段は、近隣のサービスエリアの情報と、前記接続実績情報が示す接続実績のあるアクセスポイントの情報とを用いて、移動方向に位置するアクセスポイントへ接続するためのプロファイル情報として、接続中のアクセスポイントの近隣に位置するアクセスポイントが複数ある場合、移動過程において接続実績がないアクセスポイントを示すプロファイル情報を最も優先順位が高くなるように設定する請求項１記載の無線通信装置。
【請求項７】
接続中のアクセスポイントからの信号の接続受信レベルの変化を検出する状態変化検出手段と、
現在位置するサービスエリア及び現在位置するサービスエリアの近隣に存在し、当該現在位置するサービスエリアとは異なるサービスエリアを構成するアクセスポイントへの接続に必要なプロファイル情報を取得するプロファイル情報取得手段と、
現在位置するサービスエリアにおいて、取得された各サービスエリアのプロファイル情報に対して、次に接続するサービスエリアのアクセスポイントを示す順に優先順位付けを行う優先順位設定手段と、
優先順位の最も高いプロファイル情報を選択する優先プロファイル情報選択手段と、
前記接続受信レベルが一定値より低い場合、前記優先プロファイル情報選択手段によって、優先順位付けされたプロファイル情報から選択された優先順位の最も高いプロファイル情報が示すアクセスポイントへプローブ要求を行い、プローブ要求対象のアクセスポイントに接続可能か否かを判定する制御を行う制御手段とを有する無線通信装置。
【請求項８】
現在位置するサービスエリア及び現在位置するサービスエリアの近隣に存在するサービスエリアのそれぞれを形成するアクセスポイントへの接続に必要なプロファイル情報に対して優先順位付けを行う優先順位設定手段と、
優先順位の最も高いプロファイル情報が示すアクセスポイントに対し、当該プロファイル情報を用いてプローブ要求を行い、プローブ要求に対するアクセスポイントからの応答より受信電波強度の測定を行う受信電波強度取得手段と、
取得した受信状況を用いて、プローブ要求先のアクセスポイントに接続可能か否かを判定し、接続可能である場合、プローブ要求先のアクセスポイントへ接続依頼を行うアクセスポイント接続判定手段とを有する無線通信装置。
【請求項９】
接続中のアクセスポイントからの信号の接続受信状態の変化を検出する状態変化検出ステップと、
現在位置するサービスエリア及び現在位置するサービスエリアの近隣に存在し、当該現在位置するサービスエリアとは異なるサービスエリアを構成するアクセスポイントへの接続に必要なプロファイル情報を取得するプロファイル情報取得ステップと、
現在位置するサービスエリアにおいて、前記プロファイル情報取得ステップにより取得されたプロファイル情報に対して、次の接続先となるアクセスポイントを示すプロファイル情報として、優先順位付けを行う優先順位設定ステップと、
優先順位の最も高いプロファイル情報を選択する優先プロファイル情報選択ステップと、
前記状態変化検出ステップによって一定値より低い接続受信レベルが検出された場合、優先順位付けされたプロファイル情報から前記優先プロファイル情報選択ステップによって選択された優先順位の最も高いプロファイル情報が示すアクセスポイントへ接続要求を行う接続ステップとを有するアクセスポイントの接続方法。
【請求項１０】
請求項２記載の無線通信装置に接続されるアクセスポイントとしての基地局装置であって、
前記無線通信装置の前記サービスエリア情報取得手段からのサービスエリア情報取得要求を受けるサービスエリア情報要求受付手段と、
サービスエリア情報要求を受けて、前記サービスエリア情報要求元の前記無線通信装置に、当該無線通信装置が現在位置するサービスエリア及び現在位置するサービスエリアとは異なる近隣のサービスエリアを構成するアクセスポイントを示すサービスエリア情報を通知する通知手段とを有する基地局装置。
【発明の詳細な説明】
【技術分野】
【０００１】  本発明は、無線通信装置およびアクセスポイント接続方法に関し、特に、ユーザが異なるサービスエリア間を移動する際に適切なアクセスポイントと無線接続する無線通信装置およびアクセスポイント接続方法に関する。
【背景技術】
【０００２】  従来から無線ＬＡＮ通信システムでは、例えば、特許文献１に示すように、固定サービスエリア内の無線通信装置が、複数のアクセスポイントから適切なアクセスポイントを選択し接続する方法が提案されている。【０００３】  この方法では、無線通信装置は、始めに無線ＬＡＮインターフェースを利用してＳＳＩＤ（Ｓｅｒｖｉｃｅ  Ｓｅｔ  Ｉｄｅｎｔｉｆｉｅｒ）を特定しないプローブ要求を実行し、周辺にアクセスポイントがあるかどうかを検索する。次に、ＳＳＩＤを返すアクセスポイント全ての受信電波強度を取得し、ＳＳＩＤと受信電波強度を対応付けた情報をプロファイル情報として管理する。最後に、ＳＳＩＤを格納したプロファイル情報を優先順に読み出していき、ＳＳＩＤで特定されるアクセスポイントのうち受信電波強度が閾値を超えているアクセスポイントに接続を行う。無線通信装置は、これらの処理を行うことで固定サービスエリア内において、通信状態の良いアクセスポイントへ簡単にかつ迅速に接続できるようになっている。
【特許文献１】特開２００５−３９５７１号公報
【発明の開示】
【発明が解決しようとする課題】
【０００４】  ところで、従来の無線ＬＡＮ通信システムでは、無線通信装置が、異なるサービスエリア間を移動して、提供元が異なるサービスエリアへ進入すると、これまで利用していたプロファイル情報（ＳＳＩＤ、暗号方式、ＩＰアドレス等を含む）によるアクセスポイントへの接続が不可能となる。【０００５】  この状況下において、特許文献１では、無線通信装置は、今まで接続していたサービス提供元のプロファイル情報による接続を行おうとするため、移動によってエリアが変わった場合通信の切断が起きてしまう。また、これまでサービスを受けていたエリアとは異なる領域へ移動したことで、現在保有しているプロファイル情報によるアクセスポイントへの接続は不可能となるが、保有しているプロファイル情報によるアクセスポイントの検索を継続して行うことになり、無駄な電力消費を招くこととなる。【０００６】  本発明はかかる点に鑑みてなされたものであり、異なるサービスエリア間を移動する際に、無駄な電力を消費することなく迅速に移動先サービスエリアのアクセスポイントへ接続を可能とする無線通信装置、アクセスポイント接続方法を提供することを目的とする。
【課題を解決するための手段】
【０００７】  本発明の無線通信装置は、接続中のアクセスポイントからの信号の接続受信状態の変化を検出する状態変化検出手段と、現在位置するサービスエリア及び現在位置するサービスエリアの近隣に存在し、当該現在位置するサービスエリアとは異なるサービスエリアを構成するアクセスポイントへの接続に必要なプロファイル情報を取得するプロファイル情報取得手段と、現在位置するサービスエリアにおいて、前記プロファイル情報取得手段より取得されたプロファイル情報に対して、次の接続先となるアクセスポイントを示すプロファイル情報として、優先順位付けを行う優先順位設定手段と、優先順位の最も高いプロファイル情報を選択する優先プロファイル情報選択手段と、前記状態変化検出手段によって一定値より低い接続受信レベルが検出された場合、優先順位付けされたプロファイル情報から優先プロファイル情報選択手段によって選択された優先順位の最も高いプロファイル情報が示すアクセスポイントへ接続要求を行う接続手段とを有する構成を採る。【０００８】  本発明の無線通信装置は、接続中のアクセスポイントからの信号の接続受信レベルの変化を検出する状態変化検出手段と、現在位置するサービスエリア及び現在位置するサービスエリアの近隣に存在し、当該現在位置するサービスエリアとは異なる近隣／周辺サービスエリアを構成するアクセスポイントへの接続に必要なプロファイル情報を取得するプロファイル情報取得手段と、現在位置するサービスエリアにおいて、取得された各サービスエリアのプロファイル情報に対して、次に接続するサービスエリアのアクセスポイントを示す順に優先順位付けを行う優先順位設定手段と、優先順位の最も高いプロファイル情報を選択する優先プロファイル情報選択手段と、前記接続受信レベルが一定値より低い場合、前記優先プロファイル情報選択手段によって、優先順位付けされたプロファイル情報から選択された優先順位の最も高いプロファイル情報が示すアクセスポイントへプローブ要求を行い、プローブ要求対象のアクセスポイントに接続可能か否かを判定する制御を行う制御手段とを有する構成を採る。【０００９】  また、本発明の無線通信装置は、現在位置するサービスエリア及び現在位置するサービスエリアの近隣に存在するサービスエリアのそれぞれを形成するアクセスポイントへの接続に必要なプロファイル情報に対して優先順位付けを行う優先順位設定手段と、優先順位の最も高いプロファイル情報が示すアクセスポイントに対し、当該プロファイル情報を用いてプローブ要求を行い、プローブ要求に対するアクセスポイントからの応答より受信電波強度の測定を行う受信電波強度取得手段と、取得した受信状況を用いて、プローブ要求先のアクセスポイントに接続可能か否かを判定し、接続可能である場合、プローブ要求先のアクセスポイントへ接続依頼を行うアクセスポイント接続判定手段とを有する構成を採る。【００１０】  本発明のアクセスポイント接続方法は、接続中のアクセスポイントからの信号の接続受信状態の変化を検出する状態変化検出ステップと、現在位置するサービスエリア及び現在位置するサービスエリアの近隣に存在し、当該現在位置するサービスエリアとは異なるサービスエリアを構成���るアクセスポイントへの接続に必要なプロファイル情報を取得するプロファイル情報取得ステップと、現在位置するサービスエリアにおいて、前記プロファイル情報取得ステップにより取得されたプロファイル情報に対して、次の接続先となるアクセスポイントを示すプロファイル情報として、優先順位付けを行う優先順位設定ステップと、優先順位の最も高いプロファイル情報を選択する優先プロファイル情報選択ステップと、前記状態変化検出ステップによって一定値より低い接続受信レベルが検出された場合、優先順位付けされたプロファイル情報から優先プロファイル情報選択ステップによって選択された優先順位の最も高いプロファイル情報が示すアクセスポイントへ接続要求を行う接続ステップとを有するとを有するようにした。【００１１】  本発明の基地局装置は、上記構成の無線通信装置に接続されるアクセスポイントとしての基地局装置であって、前記無線通信装置の前記サービスエリア情報取得手段からのサービスエリア情報取得要求を受けるサービスエリア情報要求受付手段と、サービスエリア情報要求を受けて、前記サービスエリア情報要求元の前記無線通信装置に、当該無線通信装置が現在位置するサービスエリア及び現在位置するサービスエリアとは異なる近隣のサービスエリアを構成するアクセスポイントを示すサービスエリア情報を送信する送信手段とを有する構成を採る。
【発明の効果】
【００１２】  本発明によれば、移動の際に異なるサービスエリアに入った場合において、迅速なアクセスポイントへの接続が可能となり、消費電力を低減することができる。
【図面の簡単な説明】
【００１３】
【図１】本発明の実施の形態１に係る無線通信装置を有する無線通信システムの構成を示す概念図
【図２】本発明に係る無線通信システムの主要な構成要素である無線通信装置の要部構成を示す機能ブロック図
【図３】アクセスポイントから取得したサービスエリア情報の一例を示す図
【図４】不揮発性記憶部に記憶されるプロファイル情報の一例を示す図
【図５】優先順位設定部によって、各プロファイル情報に優先順位が設定され、その順番に並び替えられた状態の一例を示す図
【図６】本発明に係る無線通信装置により実行されるアクセスポイント接続処理を説明するためのフローチャート
【図７】本発明の実施の形態２に係る無線通信装置を有する無線通信システムの構成を示す概念図
【図８】本発明の実施の形態２に係る無線通信装置の要部構成を示す機能ブロック図
【図９】記憶部に保存されるスケジュールテーブルの一例を示す図
【図１０】プロファイル情報取得部が、不揮発性記憶部から読み込むプロファイル情報の一例を示す図
【図１１】本発明の実施の形態２に係る無線通信装置におけるアクセスポイント接続を説明するフローチャート
【図１２】プロファイル情報取得部によるスケジュールテーブルを用いたプロファイル情報の読み出しの説明に供する図
【図１３】優先順位設定部により優先順位付けされたプロファイル情報のデータ構造の一例を示す図
【図１４】優先順位設定部における、優先順位付けの変更結果を示す図
【図１５】本発明の実施の形態３に係る無線通信装置を有する無線通信システムの構成を示す概念図
【図１６】本発明の実施の形態３に係る無線通信装の要部構成を示す機能ブロック図
【図１７】アクセスポイントから取得したサービスエリア情報の一例を示す図
【図１８】本発明の実施の形態３に係る無線通信装置におけるアクセスポイント接続を説明するフローチャート
【図１９】本発明の実施の形態３に係る無線通信装置におけるアクセスポイント接続を説明するフローチャート
【図２０】本発明の実施の形態３に係る無線通信装置におけるアクセスポイント接続を説明するフローチャート
【図２１】図１５に示す無線通信システムでの無線通信装置の移動を示す図
【図２２】図１５に示す無線通信システムでの無線通信装置の移動を示す図
【図２３】プロファイル情報に対する優先順位の設定変更の結果を示す図
【図２４】プロファイル情報取得部により不揮発性記憶部から読み出されたプロファイル情報の一例を示す図
【図２５】優先順位設定部によって、各プロファイル情報に優先順位付けが行われ、その順番に並び替えられた状態を説明する図
【図２６】本発明の実施形態４に係る無線通信装置を有する無線通信システムの構成を示す概念図
【図２７】本発明の実施形態４に係る無線通信装置の要部構成を示す機能ブロック図
【図２８】本発明の実施の形態４に係る無線通信装置におけるアクセスポイント接続を説明するフローチャート
【図２９】本発明の実施の形態４に係る無線通信装置が備えるスケジュールテーブルの一例を示す図
【図３０】アクセスポイントから取得したサービスエリア情報の一例を示す図
【図３１】本発明の実施の形態４に係る無線通信装置のプロファイル情報取得部が不揮発性記憶部から読み込むプロファイル情報の一例を示す図
【図３２】プロファイル情報取得部によるスケジュールテーブルを用いたプロファイル情報の読み出しの説明に供する図
【図３３】接続実績情報の一例を示す図
【発明を実施するための最良の形態】
【００１４】  以下、本発明の実施の形態について、図面を参照して詳細に説明する。なお、以下で示す各実施の形態は一例であり、システムの構成、機能ブロックの構成は限定されるものではない。【００１５】  なお、各実施の形態では、無線通信装置は、無線通信システムにおいて異なるサービスエリアを形成するアクセスポイントに対して、プロファイル情報（ＳＳＩＤ、暗号方式、ＩＰアドレス等を含む）を用いて接続することによって、それぞれのアクセスポイントからサービスの提供を受ける。ここでは、異なるサービスエリアとは、無線通信装置におけるアクセスポイント接続時に必要となるプロファイル情報を保持していないサービスエリアとする。また、言い換えれば、異なるサービスエリアは、無線通信装置が位置しているサービスエリアで利用したプロファイル情報では接続不可能なサービスエリアとする。各実施の形態の無線通信システムにおける複数のサービスエリアは、例えば、同種のサービス（例えば、ネット接続サービス）ではあるが、それぞれサービス提供元（管理元）が異なるサービスエリア等から構成されるものとする。【００１６】  （実施の形態１）
図１は、本発明の実施の形態１に係る無線通信装置を有する無線通信システムの構成を示す概念図である。図１に示す無線通信システム１００は、無線通信装置２００と、アクセスポイントＡ１１と、アクセスポイントＡ１２〜Ａ１４とを備えて構成される。【００１７】  無線通信装置２００は、アクセスポイントＡ１１により形成されるサービスエリアＥ１に位置している。サービスエリアＥ１に隣接している異なるサービスエリアとして、アクセスポイントＡ１２、Ａ１３によりそれぞれ形成されるサービスエリアＥ２、Ｅ３が存在し、サービスエリアＥ２、Ｅ３に隣接している異なるサービスエリアとして、アクセスポイントＡ１４により形成されるサービスエリアＥ４が存在する。【００１８】  なお、サービスエリアＥ１〜Ｅ４をそれぞれ形成するアクセスポイントＡ１１〜Ａ１４は、それぞれ、無線通信装置２００と通信可能であり、無線通信装置２００からのプローブ要求、接続要求に応答するとともに、サービスを提供可能とする。各アクセスポイントＡ１１〜Ａ１４は、無線通信装置２００からのサービスエリア情報取得要求を受けるサービスエリア情報要求受付部と、サービスエリア情報要求を受けて、サービスエリア情報要求元の前記無線通信装置２００に、当該無線通信装置２００が現在位置するサービスエリア及び現在位置するサービスエリアとは異なる近隣のサービスエリアを構成するアクセスポイントを示すサービスエリア情報を通知する近隣接続情報通知部とを有する。【００１９】  図２は、本発明に係る無線通信システム１００の主要な構成要素である無線通信装置２００の要部構成を示す機能ブロック図である。【００２０】  図２に示す無線通信装置２００は、入力部２０１と、無線ＬＡＮインターフェース部２０２と、状態変化検出部２０３と、サービスエリア情報取得部２０４と、記憶部２０５と、プロファイル情報取得部２０６と、不揮発性記憶部２０７と、優先順位設定部２１１と、優先プロファイル情報選択部２１３と、受信電波強度取得部２１５と、アクセスポイント接続判定部２１７と、制御部２１９とを有する。【００２１】  尚、無線通信装置２００において、入力部２０１、無線ＬＡＮインターフェース部２０２、状態変化検出部２０３、サービスエリア情報取得部２０４、記憶部２０５、プロファイル情報取得部２０６、不揮発性記憶部２０７、優先順位設定部２１１、優先プロファイル情報選択部２１３、受信電波強度取得部２１５、アクセスポイント接続判定部２１７、制御部２１９等の各部は、典型的には集積回路であるＬＳＩ（Ｌａｒｇｅ  Ｓｃａｌｅ  Ｉｎｔｅｇｒａｔｉｏｎ）により構成される。【００２２】  これら各部は、個別に１チップ化されても良いし、一部又は全てを含むように１チップ化されても良い。ここではＬＳＩとしたが、集積度の違いによりＩＣ、システムＬＳＩ、スーパーＬＳＩ、ウルトラＬＳＩと呼称されることもある。【００２３】  また、集積回路化の手法はＬＳＩに限るものではなく、専用回路または汎用プロセッサにより行っても良い。ＬＳＩ製造後に、プログラムすることが可能なＦＰＧＡ（Ｆｉｅｌｄ  Ｐｒｏｇｒａｍｍａｂｌｅ  Ｇａｔｅ  Ａｒｒａｙ）や、ＬＳＩ内部の回路セルの接続や設定を再構成可能なコンフィギュラブル・プロセッサを利用して各部を構成しても良い。さらには、半導体技術の進歩又は派生する別技術によりＬＳＩに置き換わる集積回路化の技術により各部２０１〜２０７，２１１，２１３，２１５，２１９の集積化を行っても良い。例えば、バイオ技術を適応することによって集積化を行ってもよい。【００２４】  入力部２０１は、例えば、操作キーなどを介したユーザの操作入力を受けて制御部２１９に出力され、無線通信装置２００における種々の動作を行う。例えば、通信アプリ起動の開始要求を、制御部２１９を介して状態変化検出部２０３に出力する。【００２５】  無線ＬＡＮインターフェース部２０２は、サービスエリアを形成するアクセスポイントに対して信号の送受信を行う。【００２６】  状態変化検出部２０３は、制御部２１９を介して入力される情報を用いて、無線通信装置２００自体の使用状態の変化を検出し、制御部２１９に出力する。【００２７】  具体的には、状態変化検出部２０３は、ユーザにより入力部２０１を介して入力された通信アプリの起動指示を、無線通信装置２００自体の状態変化として検出し、制御部２１９を介して受信電波強度取得部２１５に出力する。【００２８】  また、状態変化検出部２０３は、無線ＬＡＮインターフェース部２０２及び制御部２１９を介して入力される、無線通信装置２００の位置するサービスエリアを形成するアクセスポイントからのビーコン（信号）の受信レベルを判定する。【００２９】  状態変化検出部２０３におけるビーコンの受信レベルの判定は、例えば、受信したビーコンの受信レベルを予め設定された閾値と比較することによって行う。当該閾値以上であれば、制御部２１９を介して無線ＬＡＮインターフェース部２０２に、現在接続しているアクセスポイントへの接続を継続させ、閾値以下であれば、制御部２１９を介してサービスエリア情報取得部２０４にその旨を通知する。【００３０】  サービスエリア情報取得部２０４は、状態変化検出部２０３により検出される状態変化情報に基づいて、接続しているサービスエリアを形成するアクセスポイントに対するサービスエリア情報の取得要求を、無線ＬＡＮインターフェース部２０２に出力する。【００３１】  具体的には、サービスエリア情報取得部２０４は、状態変化検出部２０３から制御部２１９を介して入力される、受信レベルが閾値以下となった旨の状態変化情報によって、無線通信装置２００が位置しているサービスエリアを形成するアクセスポイントに対するサービスエリアの情報（サービスエリア情報）の取得要求を行うことで取得する。【００３２】  つまり、この取得要求に対するアクセスポイントの応答により、アクセスポイントから送信されるサービスエリア情報は、無線ＬＡＮインターフェース部２０２から制御部２１９へ出力され、取得されたサービスエリア情報は、記憶部２０５へ保存される。【００３３】  この取得したサービスエリア情報に、サービスエリアに散在するアクセスポイントの情報を示すプロファイル情報が付加されている場合、サービスエリア取得部２０４は、制御部２１９を介して、優先順位設定部２１１に、設定処理要求信号を出力する。なお、取得したプロファイル情報は、取得されたサービスエリア情報と���もに記憶部２０５に保存される。【００３４】  また、サービスエリア情報に付加されたプロファイル情報に予め優先順位が設定されている場合、サービスエリア情報取得部２０４は、制御部２１９を介して優先プロファイル情報選択部２１３に、選択処理要求信号を出力する。【００３５】  記憶部２０５は、制御部２１９を介して入出力される情報を保存する。なお、以下では制御部２１９を介した各部間の情報の入出力は、各部間の入出力として説明することもある。【００３６】  具体的には、記憶部２０５は、制御部２１９を介してサービスエリア情報取得部２０４により取得されたサービスエリア情報、及び、不揮発性記憶部２０７からのサービスエリア（詳細にはアクセスポイント）のプロファイル情報を保存する。サービスエリア情報取得部２０４により取得されたサービスエリア情報に、プロファイル情報又は既に順位付けされたプロファイル情報が付加されている場合は、サービスエリア情報とともにプロファイル情報又は既に順位付けされたプロファイル情報も保存する。【００３７】  更に、記憶部２０５は、受信電波強度取得部２１５によって測定された信号の電波強度と、当該信号のＳＳＩＤの対応情報とを保存する。【００３８】  また、記憶部２０５は、優先順位設定部２１１で優先順位付けされたプロファイル情報を、例えば、リスト構造で、優先順位の高いプロファイル情報Ｐ２２から優先順位順にアクセス可能となるような管理形式で保存する。【００３９】  ここで、記憶部２０５に記憶されるサービスエリア情報のデータ構造を説明する。【００４０】  図３は、アクセスポイントから取得したサービスエリア情報の一例を示す図である。なお、取得したサービスエリア情報３００は、本実施の形態ではテキストベースで構成され、ここでは、＜所属サービスエリア＞、＜隣接サービスエリア＞及び＜周辺サービスエリア＞の三種類の情報を有する。【００４１】  サービスエリア情報における＜所属サービスエリア＞は、現在接続しているアクセスポイントが提供しているサービスエリアを示し、＜隣接サービスエリア＞は、現在接続しているサービスエリアに隣接しているサービスエリアを示す。また、＜周辺サービスエリア＞は周辺に位置しているサービスエリアの情報を示す。【００４２】  図３に示す＜隣接サービスエリア＞及び＜周辺サービスエリア＞は、＜所属サービスエリア＞の近隣に存在するサービスエリアを示している。【００４３】  図３に示すサービスエリア情報３００では、接続中のアクセスポイントが現在所属しているサービスエリアＥ１を提供していることを示している。また、このサービスエリアＥ１に隣接するサービスエリアはＥ２、Ｅ３であることを示し、サービスエリアＥ１の周辺に位置しているサービスエリアはＥ４であることを示している。なお、本実施の形態ではサービスエリア情報をテキストベースで構成したが、これに限らず、ＭＡＰ情報を用いてサービスエリア情報を構成してもよい。【００４４】  プロファイル情報取得部２０６は、記憶されたサービスエリア情報（ここでは、サービスエリアＥ１，Ｅ２，Ｅ３，Ｅ４の情報）を用いて、これらサービスエリア情報が示す各サービスエリアに対応するプロファイル情報（例えば、プロファイル情報Ｐ２２、Ｐ２３、Ｐ２４）を取得する。【００４５】  サービスエリアに対応するプロファイル情報は、サービスエリアを形成するアクセスポイントの情報と同義であり、アクセスポイントへの接続に際し用いられる。【００４６】  本実施の形態では、プロファイル情報取得部２０６は、記憶部２０５から、サービスエリア情報取得部２０４により取得されたサービスエリア情報を取得し、これを用いて、サービスエリア情報の示すサービスエリアに対応するアクセスポイントのプロファイル情報を不揮発性記憶部２０７から読み出して記憶部２０５に保存する。【００４７】  また、プロファイル情報取得部２０６は、記憶部２０５上にプロファイル情報（例えば、プロファイル情報Ｐ２２、Ｐ２３、Ｐ２４）を保存すると、その旨の通知を、制御部２１９を介して優先順位設定部２１１に出力する。【００４８】  不揮発性記憶部２０７は、制御部２１９を介して読み出し可能な、サービスエリアに関するプロファイル情報を記憶するものであり、本実施の形態では予め記憶している。【００４９】  プロファイル情報は、サービスエリアを形成するアクセスポイント毎の情報を含み、例えば、サービスを提供しているアクセスポイントを特定するための識別情報（ＳＳＩＤ）、暗号方式及び暗号化に必要な鍵情報（例えば、ＷＥＰ（Ｗｉｒｅｄ  Ｅｑｕｉｖａｌｅｎｔ  Ｐｒｉｖａｃｙ）ＫＥＹ）、アクセスポイントへ接続するために必要な情報（ＩＰアドレス）などを有する。【００５０】  図４は、不揮発性記憶部２０７に記憶されるプロファイル情報の一例を示す図である。【００５１】  図４に示すプロファイル情報は、例えば、テキストベースで構築され、サービスエリアＥ１、Ｅ２，Ｅ３，Ｅ４の各プロファイル情報をプロファイル情報Ｐ２１，Ｐ２２，Ｐ２３，Ｐ２４で示している。【００５２】  例えば、図４では、サービスエリアＥ１のプロファイル情報Ｐ２１は、サービスを提供しているアクセスポイントを特定するためのＳＳＩＤとしての「ｓｅｒｖｉｃｅ＿ＡｒｅａＥ１」と、暗号化方式及び暗号化に必要な情報ＷＥＰ  ＫＥＹとしての「ｊｅｏｉｕｏｉｔｌｋｊ２２」とアクセスポイントへ接続するために必要なＩＰアドレス（ＩＰ＿Ａｄｄｒ）としての「１３２．１８６．２．２２」を有している。同様に、サービスエリアＥ２のプロファイル情報Ｐ２２は、「ＳＳＩＤ：Ｓｅｒｖｉｃｅ＿ＡｒｅａＥ２、ＷＥＰ  ＫＥＹ：ｋｌａｕｊｏｅｉｕ９３、ＩＰ＿Ａｄｄｒ：１９２．１６８．０．２」を有している。また、サービスエリアＥ３のプロファイル情報Ｐ２３は、「ＳＳＩＤ：Ｓｅｒｖｉｃｅ＿ＡｒｅａＥ３、ＷＥＰ  ＫＥＹ：ｋｏｉｔｏｉｒｏｉｉｕｏ２、ＩＰ＿Ａｄｄｒ：１０．６８．３６．２２」を有している。さらに、サービスエリアＥ４のプロファイル情報Ｐ２４は、「ＳＳＩＤ：Ｓｅｒｖｉｃｅ＿ＡｒｅａＥ４、ＷＥＰ  ＫＥＹ：ｋｏｉｔｏｊｗｑｈｒｏ５、ＩＰ＿Ａｄｄｒ：１００．２３．３６．２２」を有している。【００５３】  優先順位設定部２１１は、サービスエリア情報取得部２０４又はプロファイル情報取得部２０６からの入力を受けて、サービスエリア情報取得部２０４で取得された情報と、プロファイル情報取得部２０６で取得された情報からサービスエリア（例えば、サービスエリアＥ１〜Ｅ４）に存在するアクセスポイント（例えばＡ１１〜Ａ１４）に関連するプロファイル情報（例えばＰ２１〜Ｐ２４）に、接続する際に用いる情報としての優先順位を設定し、設定した優先順位で、プロファイル情報（例えば、Ｐ２１〜Ｐ２４）を記憶部２０５に保存する。設定した順位で記憶部２０５にプロファイル情報（例えば、Ｐ２１〜Ｐ２４）が保存されると、制御部２１９は、プロファイル情報（例えば、Ｐ２１〜Ｐ２４）が保存された旨を示す情報を、優先プロファイル情報選択部２１３に出力する。【００５４】  優先順位設定部２１１により設定される優先順位は、優先順位設定部２１１によって、現在位置している場所から次の移動先サービスエリアへ移動する過程において、選択される可能性が高いプロファイル情報から順に付与される。【００５５】  すなわち、優先順位設定部２１１は、接続中のアクセスポイントからの受信電波強度と、接続中のアクセスポイントからのサービスエリア情報とを用いて、接続状況が良好であろう順に、接続されるサービスエリア（具体的には、接続先となるアクセスポイント）の優先順位を設定して、これに対応してプロファイル情報を優先順に並び替える。【００５６】  ここでは、接続中のアクセスポイントからの受信電波強度が小さくなった場合、サービスエリア情報とプロファイル情報とから、所属サービスエリアに近い他のサービスエリアを形成するアクセスポイントのプロファイル情報を、最も優先するように並び換える。【００５７】  なお、優先順位を付ける際に、対象となるサービスエリアにおける、所属サービスエリアに対する近さが、同程度の近さである場合、優先順位設定部２１１は、これら対象となるサービスエリアにおけるアクセスポイントのプロファイル情報の優先順位付けをランダムに行う。【００５８】  例えば、無線通信装置２００がサービスエリアＥ１に位置し、サービスエリアＥ１の外方に移動している場合では、サービスエリアＥ１にはサービスエリアＥ２及びＥ３が隣接していることから、プロファイル情報Ｐ２２、Ｐ２３を優先順位の高いプロファイル情報として設定する。【００５９】  この時のプロファイル情報Ｐ２２、Ｐ２３の優先順位付けであるが、現在取得されている情報からプロファイル情報Ｐ２２、Ｐ２３に設定のアクセスポイントが構成しているサービスエリアＥ２、Ｅ３へは、同程度に移動する可能性があると判断できる。【００６０】  この場合、例えばランダムに優先順位を設定することが選択肢の一つとして考えられる。つまり、優先順位設定部２１１は、プロファイル情報Ｐ２１〜Ｐ２３に対して、ランダムに優先順位付けを行い、プロファイル情報Ｐ２２を最も優先順位の高いプロファイル情報として設定し、プロファイル情報Ｐ２３を２番目に優先順位の高いプロファイル情報として設定する。次に、優先順位の高いプロファイル情報として周辺に位置しているプロファイル情報Ｐ２４を設定する。【００６１】  現在接続中のアクセスポイント情報が含まれているプロファイル情報Ｐ２１は、移動により受信電波強度が小さくなり、サービスエリアＥ１からユーザは出ようとしているものと考えられ、今後使用される可能性が低いと判断できる。よって、��先順位設定部２１１は、プロファイル情報Ｐ２１を優先順位が最も低いプロファイル情報として優先順位付けを行う。その結果、プロファイル情報Ｐ２２、Ｐ２３、Ｐ２４、Ｐ２１の順に優先順位が決定される。この決定によりプロファイル情報Ｐ２１〜Ｐ２４の優先順位は並びかえられる。【００６２】  図５は、優先順位設定部２１１によって、各プロファイル情報に優先順位が設定され、その順番に並び替えられた状態の一例を示す図である。【００６３】  図５に示すように、サービスエリアＥ２のアクセスポイントＡ１２に関連付けられたプロファイル情報Ｐ２２が最も優先順位の高いプロファイル情報として優先順位設定部２１１によって並び替えられて管理される。このプロファイル情報２２に次いで優先順位の高いプロファイル情報として、サービスエリアＥ３のアクセスポイントＡ１３に関連付けられたプロファイル情報Ｐ２３が管理される。【００６４】  なお、各プロファイル情報Ｐ２１〜Ｐ２４は、例えばリスト構造で管理されており、優先順位の高いプロファイル情報Ｐ２２から優先順位順にアクセス可能となるような管理形式で、記憶部２０５に保存される。【００６５】  優先プロファイル情報選択部２１３は、制御部２１９からプロファイル情報Ｐ２１〜Ｐ２４が保存された旨を示す情報によって、無線通信装置２００が現在位置において最も優先順位の高いプロファイル情報を選択し、記憶部２０５から読み出す。【００６６】  また、優先プロファイル情報選択部２１３は、サービスエリア情報取得部２０４からの選択処理要求信号の入力によって、無線通信装置２００が現在位置において最も優先順位の高いプロファイル情報を選択し、記憶部２０５から読み出す。【００６７】  優先プロファイル情報選択部２１３は、読み出し処理を終了した後、その終了通知を、制御部２１９を介して受信電波強度取得部２１５に出力する。【００６８】  受信電波強度取得部２１５は、所定のアクセスポイントからの信号の電波強度を測定して、制御部２１９を介して測定した電波強度と、受信した信号のＳＳＩＤの対応情報とを記憶部２０５に保存する。【００６９】  詳細には、受信電波強度取得部２１５は、制御部２１９を介して状態変化検出部２０３から無線通信装置２００自在の状態変化情報としての通信アプリ起動開始の情報が入力されると、制御部２１９を介して、無線ＬＡＮインターフェース部２０２に対してＳＳＩＤを特定しないプローブ要求を行うよう通知する。【００７０】  プローブ要求を受けたアクセスポイントからの応答が無線ＬＡＮインターフェース部２０２、制御部２１９を介して受信電波強度取得部２１５へ通知されると、受信電波強度取得部２１５は、その時の信号の電波強度を測定し、測定した受信電波強度を、制御部２１９を介して、ＳＳＩＤの対応情報とともに記憶部２０５に保存するとともに、測定した電波強度をアクセスポイント接続判定部２１７に出力する。【００７１】  また、受信電波強度取得部２１５は、優先プロファイル情報選択部２１３からのプロファイル情報の読み出し終了の通知を受けて、優先プロファイル情報として選択されたプロファイル情報（例えばＰ２２）に設定のアクセスポイント情報であるＳＳＩＤが示すアクセスポイントに対してプローブ要求を行う。【００７２】  アクセスポイント接続判定部２１７は、制御部２１９を介して入力される、受信電波強度取得部２１５により測定された受信電波強度を用いて、当該受信電波強度の対象となる信号を送信したアクセスポイントと接続可能かを判定する。この判定結果に基づいて、アクセスポイント接続判定部２１７は、優先プロファイル情報選択部２１３により選択されたプロファイル情報のアクセスポイントへの接続要求を、制御部２１９を介して無線ＬＡＮインターフェース部２０２に行う。或いは、先の判定結果に基づいて、アクセスポイント接続判定部２１７は、次の優先順位のプロファイル情報を選択する選択要求を優先プロファイル情報選択部２１３に、制御部２１９を介して行う。【００７３】  具体的に、アクセスポイント接続判定部２１７では、入力される受信電波強度の対象となる信号を送信したアクセスポイントに対応するＳＳＩＤを格納した情報を、記憶部２０５から順に呼び出していき、その電波強度が閾値を超えている場合は、呼び出した情報のアクセスポイントに接続要求を行う。閾値を超えていない場合は、ＳＳＩＤを返してきた他のアクセスポイントの情報を参照し、その値が閾値を超えていないかを判定する。なお、アクセスポイント接続判定部２１７が、制御部２１９を介してアクセスポイントに接続要求を行う際は、プローブ要求後にアクセスポイントから通知される暗号方式、及び暗号化に必要な鍵情報、アクセスポイントへ接続するために必要なＩＰアドレスなどを含んでいるプロファイル情報を参照して、接続先のアクセスポイントを特定する。【００７４】  制御部２１９は、入力部２０１、無線ＬＡＮインターフェース部２０２、状態変化検出部２０３、サービスエリア情報取得部２０４、記憶部２０５、プロファイル情報取得部２０６、不揮発性記憶部２０７、優先順位設定部２１１、優先プロファイル情報選択部２１３、受信電波強度取得部２１５、アクセスポイント接続判定部２１７、制御部２１９間の信号の入出力を制御する。【００７５】  制御部２１９は、各部２０２、２０３、２０４、２０６、２１１、２１３、２１５、２１７等を制御することによって、無線通信装置２００が位置している状況に応じて、近隣に存在するサービスエリアの情報をアクセスポイントへ取得要求し、アクセスポイントから通知された情報を元に参照するプロファイル情報の優先順位付けを行う。この優先順位付けによって、無線通信装置２００では、次に移動する可能性の高いサービスエリアを形成するアクセスポイントのプロファイル情報を優先的に選択し、接続要求を行うよう制御する。【００７６】  次に、本実施の形態の無線通信装置２００におけるアクセスポイント接続処理について説明する。【００７７】  図６は、本発明に係る無線通信装置２００により実行されるアクセスポイント接続処理を説明するためのフローチャートである。【００７８】  無線通信装置２００は、図６に示す各ステップＳ１〜Ｓ９の処理を繰り返し行う。【００７９】  ここでは、図６を参照しつつ、無線通信装置２００によるアクセスポイント接続処理について、図１に示す無線通信システム１００において、無線通信装置２００が、異なるサービスエリアＥ１��Ｅ２間を、矢印で示す方向に地点Ｍ１、Ｍ２、Ｍ３の順に移動を行う場合を想定して説明する。【００８０】  なお、図１において、地点Ｍ１に位置する無線通信装置２００は、サービスエリアＥ１内を移動して、サービスエリアＥ２、Ｅ３の近隣へ位置したことを示している。また、地点Ｍ３に位置する無線通信装置２００は、サービスエリアＥ２内へ完全に移動した状態を示している。【００８１】  先ず、図１における地点Ｍ１に無線通信装置２００が位置するものとする。この地点Ｍ１における無線通信装置２００では、ユーザから通信アプリ起動のための入力が入力部２０１を介して制御部２１９へ通知されると、制御部２１９は通信アプリの起動を行う。その際に状態変化検出部２０３へアプリ起動を通知する。【００８２】  無線通信装置２００では、状態変化検出部２０３によってアプリ起動が検知されると、制御部２１９を介してその旨を示す情報が受信電波強度取得部２１５へ通知される。【００８３】  アプリ起動の通知を受けた受信電波強度取得部２１５は制御部２１９を介して、無線ＬＡＮインターフェース部２０２に対して、ＳＳＩＤを特定しないプローブ要求を行うよう通知する。【００８４】  無線通信システム１００において、地点Ｍ１に位置する無線通信装置２００からプローブ要求を受けたアクセスポイント（図１では、無線通信装置２００がサービスエリアＥ１内にいるためアクセスポイントＡ１１）は、ＳＳＩＤの情報を無線通信装置２００に送信する。【００８５】  無線通信装置２００は、アクセスポイントが送信したＳＳＩＤの情報を、無線ＬＡＮインターフェース部２０２で受信し、制御部２１９を介して受信電波強度取得部２１５へ通知（出力）する。このとき、受信電波強度取得部２１５は、入力されたＳＳＩＤの情報の電波強度を測定し、測定した受信電波強度とＳＳＩＤの対応情報を記憶部２０５へ保存する。【００８６】  この記憶部２０５に保存した情報を用いて、無線通信装置２００では、現在位置するサービスエリアにおけるアクセスポイントを検索して、接続する（ステップＳ１）。【００８７】  具体的には、無線通信装置２００では、アクセスポイント接続判定部２１７が、ＳＳＩＤを格納した情報を記憶部２０５から順に呼び出していき、その電波強度が閾値を超えている場合は、そのアクセスポイントに接続要求を行う。アクセスポイント接続判定部２１７において、閾値を超えていない場合は、ＳＳＩＤを送信した他のアクセスポイントの情報を参照し、その値が閾値を超えているか否かを判定する。アクセスポイントに接続要求を行う際は、プローブ要求後にアクセスポイントから通知される暗号方式、及び暗号化に必要な鍵情報、アクセスポイントへ接続するために必要なＩＰアドレスなどを含んでいるプロファイル情報を参照して行われる。このプロファイル情報を参照することで接続するアクセスポイントを特定することが可能となる。【００８８】  図１において、地点Ｍ１に位置する無線通信装置２００は、サービスエリアＥ１内に位置するため、プロファイル情報Ｐ２１（図４参照）のＩＰアドレスを用いて、アクセスポイントＡ１１に接続する。【００８９】  無線通信装置２００の受信電波強度取得部２１５は、接続先のアクセスポイント（ここでは、アクセスポイントＡ１１）から送信されるビーコンが閾値以下であるか否かを判定する（ステップＳ２）。ステップＳ２において、ビーコンが閾値以下であれば、ステップＳ３に移行し、閾値より大きければ、ステップＳ２の処理を繰り返す。【００９０】  例えば、無線通信装置２００が、ステップＳ２においてビーコンが閾値より大きく、ステップＳ２の処理を繰り返す場合は、無線通信装置２００が、図１に示す無線通信システム１００において地点Ｍに位置する等、サービスエリアＥ１内において、アクセスポイントＡ１１との接続状態が良好な位置に位置すると想定される。【００９１】  一方、ステップＳ２において、アクセスポイントからのビーコンが閾値以下の場合は、無線通信装置２００が図１に示すサービスエリアＥ１内を移動して、サービスエリアＥ２、Ｅ３の近隣へ位置している状況等、接続先のアクセスポイントにより形成されるサービスエリアのエッジ付近に位置する場合が想定される。【００９２】  具体的には、ステップＳ２では、無線通信装置２００の状態変化検出部２０３は、例えば、無線通信装置２００が位置しているサービスエリアＥ１を形成するアクセスポイントＡ１１から通知されるビーコンを、無線ＬＡＮインターフェース部２０２、制御部２１９を介して受信し、受信レベルが閾値以下となっているかを判定する。受信レベルが閾値以下となっていることを検出すると、制御部２１９へその旨を通知する。閾値より大きい場合は、現在接続しているアクセスポイントＡ１１への接続を継続する。【００９３】  無線通信装置２００は、実際に所属（接続）しているサービスエリアにおけるサービス提供の範囲外に移動する場合等、サービス提供先のアクセスポイントを変更する場合、サービス提供先のアクセスポイントからサービスエリア情報を取得する（ステップＳ３）。なお、各アクセスポイントは、無線通信装置２００からのサービスエリア情報取得要求を受けるサービスエリア情報要求受付部と、サービスエリア情報要求を受けて、サービスエリア情報要求元の前記無線通信装置２００に、当該無線通信装置２００が現在位置するサービスエリア及び現在位置するサービスエリアとは異なる近隣のサービスエリアを構成するアクセスポイントを示すサービスエリア情報を通知する近隣接続情報通知部とを有する。この構成によって、アクセスポイントは、無線通信装置２００からのサービスエリア情報取得要求をサービスエリア情報要求受付部で受けると、無線通信装置２００が現在位置するサービスエリア及び現在位置するサービスエリアとは異なる近隣のサービスエリアを構成するアクセスポイントを示すサービスエリア情報を記憶部から読み出して、近隣接続情報通知部を介して、サービスエリア情報要求元の無線通信装置２００に送信する。これにより無線通信装置２００では、無線ＬＡＮインターフェース部２０２を介してサービスエリア情報を取得する。【００９４】  このステップＳ３において、無線通信装置２００が接続先のアクセスポイントからプロファイル情報を取得するタイミングとしては、例えば、所属のサービスエリアを形成するアクセスポイントとの通信状態や、当該アクセスポイントとの位置関係を用いて設定できる。ここ��は、接続しているアクセスポイントからの受信レベルを用いて、その判定に基づいてサービスエリア情報の取得を行うものとして説明するが、これに限らず、例えば、無線通信装置２００自体に自装置の位置情報を用いてサービスエリア情報の取得を行ってもよい。この場合、無線通信装置２００に、自装置を測位する機能（例えば、ＧＰＳ装置）を搭載して、接続しているアクセスポイントとの位置関係を用いて、サービスエリア外への移動を判定するようにしてもよい。なお、サービスエリア情報の取得は、入力部２０１を介したユーザによる、提供を受けているサービスとは異なるサービスの提供を受けようとする入力で行われてもよい。【００９５】  ステップＳ３について、無線通信装置２００が地点Ｍ２に位置する場合に適用して、詳細に説明する。【００９６】  具体的には、サービスエリア情報取得部２０４は、制御部２１９を介して状態変化検出部２０３から受信レベルが閾値以下となったことを通知されると、無線通信装置２００が位置しているサービスエリア（例えば、サービスエリアＥ１）を形成するアクセスポイント（例えば、アクセスポイントＡ１１）に対してサービスエリアの情報取得要求を行う。【００９７】  このサービスエリア情報取得部２０４による取得要求は、制御部２１９を介して無線ＬＡＮインターフェース部２０２へ通知され、アクセスポイント（例えば、アクセスポイントＡ１１）に送信される。【００９８】  アクセスポイント（例えば、アクセスポイントＡ１１）は無線通信装置２００からの取得要求に対して応答して、サービスエリアの情報３００（図３参照）を送信する。アクセスポイントからの応答は、無線ＬＡＮインターフェース部２０２から制御部２１９へ通知され、取得された情報（図３に示すサービスエリア情報３００）は、記憶部２０５へ保存される。【００９９】  なお、接続先のアクセスポイント（例えば、アクセスポイントＡ１１）から送信されるサービスエリア情報に、各サービスエリアに散在するアクセスポイントの情報を示すプロファイル情報が付加されている場合、制御部２１９を介して、取得した情報（サービスエリア情報３００およびこれに付加されたプロファイル情報）が記憶部２０５に保存されるとともに、サービスエリア情報取得部２０４は、優先順位設定部２１１に対して、設定処理要求信号、つまり、取得したプロファイル情報の優先順位設定処理を行う旨の信号を、制御部２１９を介して通知する。【０１００】  次いで、プロファイル情報取得部２０６は、無線通信装置２００が取得したサービスエリア情報を用いて、当該サービスエリア情報が示す所属サービスエリア、隣接サービスエリア及び周辺サービスエリアのそれぞれに対応するプロファイル情報を取得する（ステップＳ４）。なお、無線通信装置２００が所属するサービスエリアに隣接するサービスエリア及び周辺のサービスエリアを纏めて近隣のサービスエリアと称する。すなわち、プロファイル情報取得部２０６は、サービスエリア情報取得部２０４によりサービスエリア情報が取得されると、取得したサービスエリア情報における近隣サービスエリアに対応するプロファイル情報を不揮発性記憶部２０７から読み出して、記憶部２０５に保存する。【０１０��】  具体的には、プロファイル情報取得部２０６は、制御部２１９を介してサービスエリア情報取得部２０４からサービスエリアＥ２、Ｅ３、Ｅ４の情報取得の通知を受けると、記憶部２０５に保存されたサービスエリアＥ２、Ｅ３、Ｅ４の情報を参照し、近隣に存在するサービスエリアがＥ２、Ｅ３、Ｅ４であることを確認すると、不揮発性記憶部２０７にあらかじめ保持していたサービスエリアＥ２、Ｅ３、Ｅ４のプロファイル情報Ｐ２２、Ｐ２３、Ｐ２４（図４参照）の読み出しを行い、記憶部２０５へ保存する。また、プロファイル情報取得部２０６は、プロファイル情報保存を示す旨を優先順位設定部２１１に通知する。【０１０２】  次いで、プロファイル情報取得部２０６からの、プロファイル情報保存を示す旨の通知を受けて、優先順位設定部２１１は、プロファイル情報取得部２０６により取得されたプロファイル情報の優先順位の設定を行う（ステップＳ５）。なお、この優先順位設定処理では、優先順位設定部２１１によりプロファイル情報の優先順位が設定された際に、優先順位付けされたプロファイル情報は記憶部２０５に保存されるとともに、この保存された旨を示す情報は、優先プロファイル情報選択部２１３に出力される。【０１０３】  具体的には、無線通信装置２００が地点Ｍ２に位置する場合、優先順位設定部２１１には、プロファイル情報取得部２０６から、記憶部２０５上にプロファイル情報Ｐ２２、Ｐ２３、Ｐ２４を保存した旨の通知が制御部２１９を介して入力される。【０１０４】  これを受けて、優先順位設定部２１１は、サービスエリア情報取得部２０４で取得された情報と、プロファイル情報取得部２０６で取得された情報からサービスエリアＥ１、Ｅ２、Ｅ３、Ｅ４に存在するアクセスポイントＡ１１、Ａ１２、Ａ１３、Ａ１４のプロファイル情報Ｐ２１、Ｐ２２、Ｐ２３、Ｐ２４に優先順位を設定する。【０１０５】  ここでは、無線通信装置２００が地点Ｍ２に位置するため、所属サービスエリアＥ１に隣接するサービスエリアはサービスエリアＥ２とＥ３であるため、プロファイル情報Ｐ２２、Ｐ２３が優先順位の高いプロファイル情報として設定される。【０１０６】  これらプロファイル情報Ｐ２２、Ｐ２３の順位付けであるが、現在取得されている情報からプロファイル情報Ｐ２２、Ｐ２３に設定のアクセスポイントが構成しているサービスエリアＥ２、Ｅ３へは、同程度に移動する可能性があるため、ここでは、ランダムに優先順位付けを行う。例えば、プロファイル情報Ｐ２２を最も優先順位の高いプロファイル情報として設定し、プロファイル情報Ｐ２３を２番目に優先順位の高いプロファイル情報として設定する。【０１０７】  次に、優先順位の高いプロファイル情報として周辺に位置しているＰ２４を設定する。  また、現在接続中のアクセスポイント情報が含まれているプロファイル情報Ｐ２１は、移動により受信電波強度が小さくなっているため、今後使用される可能性が低いと判断して、最も優先順位の低いプロファイル情報として優先順位付けされる。【０１０８】  これにより、Ｐ２２、Ｐ２３、Ｐ２４、Ｐ２１の順に優先順位が決定される（図５参照）。なお、サービスエリア情報取得部２０４から設定処理要求信号を受けた場合、優先��位設定部２１１は、優先順位付け対象のプロファイル情報として、サービスエリア情報に加えて付加されたプロファイル情報も含めて行う。【０１０９】  次いで、設定されたプロファイル情報の優先順位が保存されると、優先プロファイル情報選択部２１３は、優先順位の最も高いプロファイル情報を選択し、選択終了を受信電波強度取得部２１５に出力する（ステップＳ６）。【０１１０】  具体的には、ステップＳ６では、プロファイル情報の優先順位が保存された旨の通知が制御部２１９を介して入力されると、優先プロファイル情報選択部２１３は、無線通信装置２００が現在位置において最も優先順位の高いプロファイル情報Ｐ２２を選択し、記憶部２０５から読み出す処理を行う。読み出し処理が終了すると、優先プロファイル情報選択部２１３は、その終了通知を、制御部２１９を介して受信電波強度取得部２１５に通知する。なお、優先プロファイル情報選択部２１３は、サービスエリア情報取得部２０４から選択要求信号の入力を受けた場合、選択するプロファイル情報を、アクセスポイントから取得したときに既に設定されていた順位を用いて選択することとなる。【０１１１】  次いで、優先プロファイル情報が選択されると、受信電波強度取得部２１５は、選択された優先プロファイル情報のアクセスポイントから送信される受信電波強度を取得する（ステップＳ７）。【０１１２】  具体的には、ステップＳ７では、受信電波強度取得部２１５は、優先プロファイル情報の選択通知を受けると、選択されたプロファイル情報Ｐ２２に設定のアクセスポイント情報であるＳＳＩＤを参照してプローブ要求を行う。プローブ要求を受けたアクセスポイントＡ１２はその要求に対する応答を無線ＬＡＮインターフェース部２０２に通知する。上記通知は、制御部２１９を介して受信電波強度取得部２１５へ通知され、受信電波強度取得部２１５は、その時の信号の電波強度を測定する。【０１１３】  なお、測定した受信電波強度は制御部２１９を介してアクセスポイント接続判定部２１７へ通知される。【０１１４】  次いで、受信電波強度が通知されたアクセスポイント接続判定部２１７は、通知された受信電波強度により接続可能かを判定し（ステップＳ８）、接続可能であれば、ステップＳ２に移行し、接続不能であれば、ステップＳ９に移行する。【０１１５】  具体的には、アクセスポイント接続判定部２１７は、接続可能と判断した場合、優先プロファイル情報選択部２１３によって選択されたプロファイル情報Ｐ２２に設定のアクセスポイント情報を参照して、アクセスポイントＡ１２への接続要求を行う。接続要求は、制御部２１９、無線ＬＡＮインターフェース部２０２を介してアクセスポイントへ通知される。アクセスポイントＡ１２からの応答があった場合、その応答は、無線ＬＡＮインターフェース部２０２、制御部２１９を介してアクセスポイント接続判定部２１７へ通知される。【０１１６】  受信電波強度取得部２１５からの通知が受信不可能である場合、アクセスポイント接続判定部２１７は、次の優先順位のプロファイル情報を選択する（ステップＳ９）。【０１１７】  具体的には、アクセスポイント接続判定部２１７は、制御部２１９を介して優先プロファル情報選択部��１３に、次の優先順位のプロファイル情報を選択させる旨を通知して、優先プロファル情報選択部２１３に、次の優先順位であるプロファイル情報の選択を行わせて、ステップＳ７に移行する。【０１１８】  以上のように、この構成によれば、自装置２００が位置している状況に応じて、近隣に存在するサービスエリアの情報を取得し、移動する可能性の高いサービスエリアを形成しているアクセスポイントのプロファイル情報を優先的に選択して接続できる。このため、無線通信装置２００が異なるサービスエリア間を移動した場合において、迅速なアクセスポイント接続を実現することが可能となる。また、図１で示された地点Ｍ３へ無線通信装置２００が移動する際に、アクセスポイントＡ１１からのビーコン受信強度の低下を検出するため、切断することなくサービスエリアＥ２での通信を行うことができるとともに、アクセスポイント検索の処理が不要となるため消費電力の低減も実現可能となる。【０１１９】  よって、無線通信装置２００が異なるサービスエリア間を移動した場合において迅速なアクセスポイント接続を実現することができる。【０１２０】（実施の形態２）
図７は、本発明の実施の形態２に係る無線通信装置を有する無線通信システムの構成を示す概念図である。【０１２１】  図７に示すように、無線通信システム４００は、無線通信装置５００と、アクセスポイントＡ２１と、アクセスポイントＡ２２〜Ａ２４とを備えて構成される。無線通信装置５００はアクセスポイントＡ２１により形成されるサービスエリアＥ１１に位置している。サービスエリアＥ１１に隣接しているサービスエリアとして、アクセスポイントＡ２２、Ａ２３によりそれぞれ形成されるサービスエリアＥ１２、Ｅ１３が存在し、サービスエリアＥ１２、Ｅ１３に隣接しているサービスエリアとして、アクセスポイントＡ２４により形成されるサービスエリアＥ１４が存在する。なお、図７に示す無線通信装置５００ａ、５００ｂは、無線通信システム４００において、サービスエリアＥ１１内の地点Ｍ１１に位置する無線通信装置５００が、サービスエリアＥ１２の地点Ｍ１２、サービスエリアＥ１４の地点Ｍ１３に移動した状態の無線通信装置を示している。互いに異なるサービスエリアＥ１１〜Ｅ１３を、それぞれ形成するアクセスポイントＡ２１〜Ａ２４は、それぞれ、無線通信装置５００と通信可能であり、無線通信装置５００からのプローブ要求、接続要求に応答するとともに、サービスを提供する。なお、各アクセスポイントＡ２１〜Ａ２４は、無線通信装置５００からのサービスエリア情報取得要求を受けるサービスエリア情報要求受付部と、サービスエリア情報要求を受けて、サービスエリア情報要求元の前記無線通信装置５００に、当該無線通信装置５００が現在位置するサービスエリア及び現在位置するサービスエリアとは異なる近隣のサービスエリアを構成するアクセスポイントを示すサービスエリア情報を通知する近隣接続情報通知部とを有する。【０１２２】  本実施の形態２に係る無線通信装置５００は、所属サービスエリア外への移動に伴う接続先となるアクセスポイントを変更する際に、優先的に接続するアクセスポイントのプロファイル情報を予め設定しておき、その設定に従い接続処理を行うものである。【０１２３】  図７では、その一例として、無線通信システム４００において、無線通信装置５００は、異なるサービスエリアＥ１１−Ｅ１２間、Ｅ１２−Ｅ１４間を、ユーザが移動前に予め決めた予定に従って移動する状態が図示されている。【０１２４】  この実施の形態２の無線通信装置５００は、実施の形態１の無線通信装置２００と比較して、所属サービスエリア外のサービスエリアのアクセスポイントに接続する際に、接続中のアクセスポイントからサービスエリア情報を取得することなく、プロファイル情報の順位付けを行える点が異なる。【０１２５】  図８は、本発明の実施の形態２に係る無線通信装置５００の要部構成を示す機能ブロック図である。なお、図８に示す無線通信装置５００は、図２に示す実施の形態１に対応する無線通信装置２００と同様の基本的構成を有しており、同一の構成要素には同一の符号を付し、その説明を省略する。【０１２６】  図８に示すように無線通信装置５００は、入力部２０１ａと、無線ＬＡＮインターフェース部２０２と、プロファイル情報取得部２０６ａと、優先プロファイル情報選択部２１３と、受信電波強度取得部２１５と、アクセスポイント接続判定部２１７と、記憶部５０１と、状態変化検出部５０２と、優先順位設定部５０４と、不揮発性記憶部５０６と、制御部５０８とを有する。【０１２７】  尚、無線通信装置５００において、入力部２０１ａ、無線ＬＡＮインターフェース部２０２、プロファイル情報取得部２０６ａ、優先プロファイル情報選択部２１３、受信電波強度取得部２１５、アクセスポイント接続判定部２１７、記憶部５０１、状態変化検出部５０２、優先順位設定部５０４、不揮発性記憶部５０６、制御部５０８等の各部は、実施の形態における無線通信装置２００のものと同様に、典型的には集積回路であるＬＳＩ（Ｌａｒｇｅ  Ｓｃａｌｅ  Ｉｎｔｅｇｒａｔｉｏｎ）により構成される。また、これら各部は、個別に１チップ化されても良いし、一部又は全てを含むように１チップ化されても良い。ここではＬＳＩとしたが、集積度の違いによりＩＣ、システムＬＳＩ、スーパーＬＳＩ、ウルトラＬＳＩと呼称されることもある。【０１２８】  また、集積回路化の手法はＬＳＩに限るものではなく、専用回路または汎用プロセッサにより行っても良い。ＬＳＩ製造後に、プログラムすることが可能なＦＰＧＡ（Ｆｉｅｌｄ  Ｐｒｏｇｒａｍｍａｂｌｅ  Ｇａｔｅ  Ａｒｒａｙ）や、ＬＳＩ内部の回路セルの接続や設定を再構成可能なコンフィギュラブル・プロセッサを利用して各部を構成しても良い。さらには、半導体技術の進歩又は派生する別技術によりＬＳＩに置き換わる集積回路化の技術により各部２０１ａ、２０２，２０６ａ、２１３，２１５，２１７，５０１，５０２，５０４，５０６、５０８の集積化を行っても良い。例えば、バイオ技術を適応することによって集積化を行ってもよい。【０１２９】  なお、無線通信装置５００における入力部２０１ａは、例えば、操作キーなどを介したユーザの操作入力を受けて制御部５０８に出力し、無線通信装置５００における種々の動作を指示する。具体的には、ユーザから、スケジュールに沿ってアクセスポイントを接続するスケジュールアプリ機能の起動の入力を受け付けて、制御部５０８に出力してスケジュールアプリを起動させる。また、入力部２０１ａは、スケジュールアプリ起動後に、ユーザから入力される、移動するスケジュール＜時刻、場所＞を、制御部５０８を介して記憶部５０１に記憶させる。この入力部２０１ａによるスケジュールアプリの起動要求は、制御部５０８を介して状態変化検出部５０２に出力する。【０１３０】  記憶部５０１は、記憶部２０５と比較して、サービスエリア情報に換えて、サービスエリア間を移動する際のスケジュール情報を、入出力自在に保存する点が異なる。【０１３１】  記憶部５０１に保存されるスケジュール情報は、ここでは、予定している時間を示す＜時刻＞と、＜時刻＞に位置する待ち合わせ場所や移動先の場所を示す＜場所＞の情報を有するスケジュールによりなるスケジュールテーブルとする。【０１３２】  スケジュールにおいて、＜場所＞を示す情報には、当該＜場所＞が示す場所での接続先として優先させるアクセスポイントを関連付けられる情報が付与されている。【０１３３】  図９は、記憶部５０１に保存されるスケジュールテーブルの一例を示す図である。【０１３４】  図９に示すスケジュールテーブル５１０は、データ構造となっており、例えば、携帯電話などで見られるスケジュールアプリにより登録、管理されているデータにより構築されている。なお、ここでは、スケジュールテーブル５１０を、無線通信装置５００が過去に移動した際に接続したアクセスポイントとの通信状態を用いて、作成されたものとして説明する。【０１３５】  スケジュールテーブル５１０において、スケジュールＤ１１は、時刻「１２：００」に「○○駅」へ移動する予定を示し、スケジュールＤ１２は時刻「１４：００」に「○×公園」に移動する予定を示す。また、スケジュールＤ１３は、時刻「１５：００」に「△△喫茶店」に移動していることを示している。なお、各スケジュールＤ１１、Ｄ１２、Ｄ１３は、ここでは、入力部２０１ａを介したユーザによるスケジュールアプリ起動後に、当該入力部２０１ａを介して入力されることによって、記憶部５０１に保存された情報（時刻、場所）とする。【０１３６】  プロファイル情報取得部２０６ａは、記憶された各スケジュール（ここでは、スケジュールＤ１１、Ｄ１２、Ｄ１３等）のそれぞれを用いて、これらスケジュールが示す場所に対応するアクセスポイントのプロファイル情報を不揮発性記憶部５０６から読み出して記憶部５０１に保存する。なお、プロファイル情報は、アクセスポイントへ接続するために必要な情報を示すものであり、アクセスポイントを特定するための情報である。【０１３７】  また、プロファイル情報取得部２０６ａは、プロファイル情報を取得すると、その旨の通知を、制御部５０８を介して優先順位設定部５０４に出力する。【０１３８】  また、プロファイル情報取得部２０６ａは、スケジュールテーブルのスケジュールに設定の＜場所＞を参照することで、＜場所＞にリンクされた情報を読み出し可能となっている。具体的には、スケジュールの＜場所＞には、不揮発性記憶部５０６におけるプロファイル情報の位置（アドレス）を示す位置情報（例えば、ポインタ）が関連付けられている。この位置情報を用いて、プロファイル情報取得部２０６ａは、該当するプロファイル情報を取得することができる。なお、不揮発性記憶部５０６に記憶されるプロファイル情報は、実施の形態１のプロファイル情報と同様に、それぞれサービスを提供しているアクセスポイントを特定するためのＳＳＩＤを含む、当該アクセスポイントに接続する際に必要な情報を有する。ここでは、プロファイル情報は、実施の形態１と同様に、例えば、サービスを提供しているアクセスポイントを特定するための識別情報（ＳＳＩＤ）、通信で用いる暗号方式及び暗号化に必要な鍵情報（例えば、ＷＥＰ（Ｗｉｒｅｄ  Ｅｑｕｉｖａｌｅｎｔ  Ｐｒｉｖａｃｙ）ＫＥＹ）、アクセスポイントへ接続するために必要な情報（ＩＰアドレス）などを有する。【０１３９】  図１０は、プロファイル情報取得部２０６ａが、不揮発性記憶部５０６から読み込むプロファイル情報の一例を示す図である。【０１４０】  図１０に示すプロファイル情報は、例えば、テキストベースで構築され、サービスエリアＥ１１、Ｅ１２，Ｅ１４の各プロファイル情報をプロファイル情報Ｐ３１，Ｐ３２，ＰＰ３４で示している。【０１４１】  すなわち、図１０では、サービスエリアＥ１１のアクセスポイントのプロファイル情報Ｐ３１は、サービスを提供しているアクセスポイントを特定するためのＳＳＩＤとしての「Ｓｅｒｖｉｃｅ＿ＡｒｅａＥ１１」と、暗号化方式及び暗号化に必要な情報ＷＥＰ  ＫＥＹとしての「ｊｅｏｉｕｏｉｔｌｋｊ２２」とアクセスポイントへ接続するために必要なＩＰアドレス（ＩＰ＿Ａｄｄｒ）としての「１３２．１８６．２．２２」を有している。同様に、サービスエリアＥ１２のプロファイル情報Ｐ３２は、「ＳＳＩＤ：Ｓｅｒｖｉｃｅ＿ＡｒｅａＥ１２、ＷＥＰ  ＫＥＹ：ｋｌａｕｊｏｅｉｕ９３、ＩＰ＿Ａｄｄｒ：１９２．１６８．０．２」を有している。また、サービスエリアＥ１４のプロファイル情報Ｐ３４は、「ＳＳＩＤ：Ｓｅｒｖｉｃｅ＿ＡｒｅａＥ１４、ＷＥＰ  ＫＥＹ：ｋｏｉｔｏｉｒｏｉｉｕｏ２、ＩＰ＿Ａｄｄｒ：１０．６８．３６．２２」を有している。【０１４２】  不揮発性記憶部５０６は、制御部５０８を介して読み出し可能な、サービスエリアに関するプロファイル情報（サービスエリアを形成するアクセスポイントのプロファイル情報）を記憶するものであり、ここでは、予め記憶しているものとする。【０１４３】  不揮発性記憶部５０６に記憶されるプロファイル情報は、それぞれサービスを提供しているアクセスポイントを特定するためのＳＳＩＤ、暗号方式及び暗号化に必要な鍵情報、アクセスポイントへ接続するために必要なＩＰアドレスなどから構成されている。【０１４４】  不揮発性記憶部５０６は、無線通信システム４００における異なるサービスエリア全てのアクセスポイントのプロファイル情報を記憶している。本実施の形態における不揮発性記憶部５０６では、少なくとも、サービスエリアＥ１１〜Ｅ１４のアクセスポイントＡ２１〜Ａ２４毎のプロファイル情報が記憶されている。【０１４５】  優先順位設定部５０４は、記憶部５０１に格納された情報を用いて、プロファイル情報取得部２０６ａにより取得されたプロファイル情報に対して、優先的に接続するアクセスポイントの情報を含む順に、優先順位を設定する。【０１４６】  具体的には、優先順位設定部５０４は、記憶部５０１のスケジュール（例えば、図９で示すスケジュールＤ１１、Ｄ１２、Ｄ１３）に設定の＜時刻＞を用いて、実行時間の早いスケジュール順に、それぞれ対応するプロファイル情報を順位付けする。【０１４７】  さらに、優先順位設定部５０４は、無線ＬＡＮインターフェース部２０２から制御部５０８にサービスエリアのアクセスポイントへの接続完了信号が出力された際に、次の移動先であるサービスエリアのアクセスポイントへの接続を迅速に行うため、記憶部５０１に保持されているプロファイル情報を読み出して、優先順位の変更を行う。【０１４８】  また、優先順位設定部５０４は、優先順位付けが処理を終了すると、制御部５０８を介して優先プロファイル情報選択部２１３に優先順位付け終了通知信号を出力する。【０１４９】  優先プロファイル情報選択部２１３は、優先順位付け終了通知信号の入力によって、優先順位されたプロファイル情報において、優先順の高いプロファイル情報（優先プロファイル情報）を選択し、記憶部５０１から読み出す。また、優���プロファイル情報選択部２１３は、優先プロファイル情報の読み出し終了後、その終了通知信号を、制御部５０８を介して受信電波強度取得部２１５に出力する。【０１５０】  受信電波強度取得部２１５は、実施の形態１のものと同様に、プロファイル情報に設定されたＳＳＩＤを参照して、制御部５０８、無線ＬＡＮインターフェース部２０２を介したアクセスポイントへのプローブ要求を行う。そして、受信電波強度取得部２１５は、アクセスポイントからのプローブ要求の応答を受けて、応答時の受信電波の受信強度を測定し、制御部５０８を介してアクセスポイント接続判定部２１７へ出力する。【０１５１】  具体的には、受信電波強度取得部２１５は、優先プロファイル情報選択部２１３又はアクセスポイント接続判定部２１７から制御部５０８を介した信号が入力された際に、優先プロファイル情報のアクセスポイント、又は、接続判定対象のアクセスポイントからの信号（例えばビーコン）の受信強度（接続受信レベル）を判定する。【０１５２】  アクセスポイント接続判定部２１７は、受信電波強度の測定結果を用いて、受信電波強度測定対象となる信号を送信したアクセスポイントへの接続判定を行う。アクセスポイント接続判定部２１７において、接続可能であれば、制御部５０８、無線ＬＡＮインターフェース部２０２を介して、プロファイル情報を用いてアクセスポイントへ接続要求を行う。一方、アクセスポイント接続判定部２１７において、接続不能であれば、制御部５０８を介して、同じアクセスポイントからの電波強度の判定をするために、受信電波強度取得部２１５に、電波強度取得指示信号を出力する。【０１５３】  制御部５０８は、入力部２０１ａ、無線ＬＡＮインターフェース部２０２、プロファイル情報取得部２０６ａ、優先プロファイル情報選択部２１３、受信電波強度取得部２１５、アクセスポイント接続判定部２１７、記憶部５０１、状態変化検出部５０２、優先順位設定部５０４、不揮発性記憶部５０６間の信号の入出力を制御する。【０１５４】  制御部５０８は、各部２０２、２０６ａ、２１３、２１５、２１７、５０１、５０２、５０４、５０６の制御によって、予め優先順位付けされたプロファイル情報（スケジュールテーブル５１０）を管理して、移動予定先のサービスエリアを形成するアクセスポイントへの接続情報を優先的に選択し、接続要求する制御を行う。また、スケジュールテーブル５０１を保持する。【０１５５】  次に、本発明に係る無線通信装置５００におけるアクセスポイントの接続方法について図１１を用いて説明する。【０１５６】  図１１は、本発明の実施の形態２に係る無線通信装置におけるアクセスポイント接続を説明するフローチャートである。【０１５７】  ここでは、図１１に基づく無線通信装置５００におけるアクセスポイントへの接続処理の説明を、図７に示す無線通信システム４００において、無線通信装置５００が、スケジュールテーブル５１０（図９参照）に従って、サービスエリアＥ１１、Ｅ１２、Ｅ１４と順に移動する場合を適用して説明する。【０１５８】  すなわち、図７において、地点Ｍ１１に位置する無線通信装置５００は、スケジュールテーブル５１０のスケジュールＤ１１の時刻１２：００にサー���スエリアＥ１１へ到達している状態を示すものとする。また、図７において、地点Ｍ１２に位置する無線通信装置５００ａは、サービスエリアＥ１１内を移動して、地点Ｍ１１から、スケジュールＤ１２の時刻１４：００にサービスエリアＥ１２に到達している状態を示すものとする。さらに、図７において、地点Ｍ１３に位置する無線通信装置５００ｂは、地点Ｍ１２から更に移動して、スケジュールＤ１３の時刻１５：００にサービスエリアＥ１４に到達している状態を示すものとする。【０１５９】  図７において、サービスエリアＥ１１内の無線通信装置５００では、ユーザから通信アプリ起動のための入力が行われると、その情報が入力部２０１ａを介して制御部５０８へ通知され、制御部５０８は通信アプリの起動を行うとともに、状態変化検出部５０２へアプリ起動を通知する。【０１６０】  次いで、状態変化検出部５０２は、制御部５０８からの情報でアプリが起動されたことを検知し、制御部５０８へその旨を通知する（ステップＳ１０）。【０１６１】  プロファイル情報取得部２０６ａは、制御部５０８からの通知を受けると、図９に示すスケジュールテーブル５１０（詳細には、スケジュール）に設定の＜場所＞を用いて、それに対応する不揮発性記憶部５０６に保存されているプロファイル情報（ここでは、プロファイル情報Ｐ３１、Ｐ３２、Ｐ３４）を読み出す（ステップＳ１１）。【０１６２】  なお、プロファイル情報は、上述したようにアクセスポイントへ接続するために必要な情報を示すもので、この情報はアクセスポイントを特定するための情報として利用することが可能である。【０１６３】  また、プロファイル情報は、記憶部５０１のスケジュールテーブルに設定の＜場所＞に関連付けられており、プロファイル情報取得部２０６ａは、これら＜場所＞とプロファイル情報を関連付ける情報を用いて、不揮発性記憶部５０６からプロファイル情報を読み出す。【０１６４】  図１２は、プロファイル情報取得部によるスケジュールテーブルを用いたプロファイル情報の読み出しの説明に供する図である。【０１６５】  図１２に示すように、記憶部５０１では、スケジュールテーブルにおけるスケジュールにおける＜場所＞の情報が別途、一次元配列で管理され、個々の配列に、不揮発性記憶部５０６に格納されているプロファイル情報のアドレスへのポインタが関連付けられている。また、記憶部５０１は、各スケジュールに対して、無線通信装置５００の移動順にアドレス（例えば、「１０００」、「１００２」、「１００４」）を付与して保存するものとする。【０１６６】  これによりプロファイル情報取得部２０６ａは、記憶部５０１のスケジュールにおける＜場所＞を読み出すことで、読み出した＜場所＞に関連付けられているポインタを用いて不揮発性記憶部５０６から、ポインタの示すアドレスのプロファイル情報を読み出すことができる。【０１６７】  例えば、無線通信装置５００において、「○○駅」という情報が記述された記憶部５０１上の１０００番地目の配列が選択されると、そのデータはアドレス４００番地へのポインタを有しているので、同時にポインタ先のプロファイル情報も読み出すことができる。【０１６８】  このようにプロファイル情報取得��２０６ａにより読み出されるプロファイル情報は、スケジュールの＜場所＞でサービス提供先となるアクセスポイントのプロファイル情報である。ここでは、プロファイル情報取得部２０６ａによって、スケジュールＤ１１に設定の＜場所＞に対応するプロファイル情報Ｐ３１、スケジュールＤ１２に設定の＜場所＞に対応するプロファイル情報Ｐ３２、スケジュールＤ１３に設定の＜場所＞に対応するプロファイル情報Ｐ３４が読み出される。【０１６９】  このように、プロファイル情報を読み出した後、プロファイル情報取得部２０６ａは、制御部５０８を介して優先順位設定部５０４へプロファイル情報読出終了を通知する。【０１７０】  優先順位設定部５０４は、スケジュールＤ１１、Ｄ１２、Ｄ１３に設定の＜時刻＞を参照して、プロファイル情報取得部２０６ａによって取得されたプロファイル情報の優先順位付けを行う（ステップＳ１２）。【０１７１】  ステップＳ１２における優先順位設定部５０４の優先順位付けは、ここでは、登録されたスケジュールが実行される時刻の順に対応するプロファイル情報に優先順位を付けていく。【０１７２】  優先順位設定部５０４では、例えば、図９のスケジュールテーブル５１０において、最初に実行されるスケジュールは＜時刻＞が１２：００に設定されているスケジュールＤ１１であるから、それに対応するプロファイル情報であるプロファイル情報Ｐ３１を最も優先順位のものとして優先順位付けを行う。【０１７３】  次に実行されるスケジュールは＜時刻＞が１４：００のスケジュールＤ１２であるから、それに対応するプロファイル情報Ｐ３２が２番目に優先順位の高いプロファイル情報として優先順位付けが行われる。同様にして、プロファイル情報Ｐ３４にも優先順位付けが行われることになる。【０１７４】  以上のように順位付けされたプロファイル情報の一例を図１３に示す。【０１７５】  図１３は、優先順位設定部により優先順位付けされたプロファイル情報のデータ構造の一例を示す図である。【０１７６】  図１３に示すように、優先順位設定部５０４は、プロファイル情報Ｐ３１→Ｐ３２→Ｐ３４と各プロファイル情報に対して優先順位付けを行う。【０１７７】  優先順位設定部５０４は、優先順位付け処理が終了すると、制御部５０８を介して優先プロファイル情報選択部２１３へその旨を通知する。【０１７８】  この通知を受けて優先プロファイル情報選択部２１３は、優先順位の最も高いプロファイル情報Ｐ３１を選択し、記憶部５０１から読み出す処理を行う（ステップＳ１３）。この選択したプロファイル情報の読み出し処理が終了すると、優先プロファイル情報選択部２１３は、その終了通知を、制御部５０８を介して受信電波強度取得部２１５に通知する。【０１７９】  優先プロファイル情報選択終了通知を受けた受信電波強度取得部２１５は、選択されたプロファイル情報Ｐ３１に設定のＳＳＩＤが示すアクセスポイントからの受信電波の強度を取得する（ステップＳ１４）。【０１８０】  具体的に、ステップＳ１４では、受信電波強度取得部２１５は、プロファイル情報Ｐ３１に設定されたＳＳＩＤを参照して、制御部５０８、無線ＬＡＮインターフェース部２０２を介したアクセスポイントへのプローブ要求��行う。プローブ要求をうけたアクセスポイントは、その応答を無線ＬＡＮインターフェース部２０２、制御部５０８を介して受信電波強度取得部２１５へ通知する。この応答信号を用いて、受信電波強度取得部２１５は、受信された電波の受信強度を測定し、制御部５０８を介してアクセスポイント接続判定部２１７へ通知する。なお、測定した結果は、制御部５０８を介してアクセスポイント接続判定部２１７へ通知される。【０１８１】  この通知を受けて、アクセスポイント接続判定部２１７は、アクセスポイントへの接続判定、つまり、受信信号を送信したアクセスポイントへ接続可能か否かを判定する（ステップＳ１５）。【０１８２】  ステップＳ１５において、アクセスポイントへ接続可能と判断できる場合、制御部５０８、無線ＬＡＮインターフェース部２０２を介してアクセスポイント（例えば、アクセスポイントＡ２１）へ接続要求を行う。この接続要求は、プロファイル情報Ｐ３１に設定された情報を参照して行われる。上記接続要求を受けたアクセスポイント（例えば、アクセスポイントＡ２１）は、無線通信装置５００に対して応答し、無線通信装置５００では、無線ＬＡＮインターフェース部２０２、制御部５０８を介してアクセスポイント接続判定部２１７に通知される。また、サービスエリアＥ１１のアクセスポイントＡ２１への接続完了が、無線ＬＡＮインターフェース部２０２から制御部５０８へ通知され、制御部５０８は、優先順位設定部５０４に対して処理要求を行い、ステップＳ１６に移行する。なお、処理要求の内容は、次の移動先であるサービスエリア（ここでは、Ｅ１２）のアクセスポイント（ここでは、Ａ２２）への接続を迅速に行うため、記憶部５０１に保持されているプロファイル情報を読み出して、優先順位の変更を行うものである。【０１８３】  ステップＳ１５において、アクセスポイントへ接続不可能と判断する場合は、再度受信電波強度取得部２１５へ電波強度を取得するよう制御部５０８を介して通知し、ステップＳ１４に移行する。【０１８４】  ステップＳ１６では、優先順位設定部５０４は、プロファイル情報に対して設定された順位を変更する。【０１８５】  具体的に、ステップＳ１６では、優先順位設定部５０４は、現在接続中のアクセスポイントＡ２１の接続情報として設定されているプロファイル情報Ｐ３１を、今後無線通信装置５００の移動が発生した場合での使用可能性の低いものとして、最も低い優先順位付けを行う。そして、優先順位設定部５０４は、次の移動先となっているサービスエリアＥ１２を形成するアクセスポイントＡ２２への接続情報が設定されたプロファイル情報Ｐ３２を最も優先順位の高いプロファイル情報として設定する。なお、プロファイル情報Ｐ３４は２番目の優先順位が付けられる。【０１８６】  図１４は、優先順位設定部における、優先順位付けの変更結果を示す図である。【０１８７】  図１４では、プロファイル情報Ｐ３１が最も優先順位の低いプロファイル情報として設定され、プロファイル情報Ｐ３２が最も優先順位の高いプロファイル情報として設定されている。【０１８８】  以上の処理の後、無線通信装置５００では、次のスケジュールＤ１２でのアクセスポイント接続に備えることが可能と���る。【０１８９】  この次のスケジュールＤ１２に関連するサービスエリアＥ１２を形成する次の接続先であるアクセスポイントＡ２２への接続要求は、ステップＳ１７の処理の後、行われる。【０１９０】  ステップＳ１７では、状態変化検出部５０２は、現在接続中のアクセスポイントＡ２１からのビーコン（無線ＬＡＮインターフェース部２０２、制御部５０８を介して受信される信号）の受信レベル（接続受信レベル）が閾値以下となったかを判定する。【０１９１】  このステップＳ１７の状態変化検出部５０２におけるビーコン受信レベルの閾値判定の結果、閾値以下であると検出された場合に、ステップＳ１３に戻り、優先プロファイル情報選択部２１３は、次に順位付けされたプロファイル情報Ｐ３２を選択する。【０１９２】  また、ステップＳ１７において、状態変化検出部５０２によるビーコンの受信レベル判定の結果、受信レベルが閾値より大きい場合は、現在接続しているアクセスポイントへの接続を維持する（ステップＳ１８）。【０１９３】  以上のように、本実施の形態２の無線通信装置５００では、記憶部５０１で、スケジュールテーブルのスケジュールに沿って移動する際に、スケジュール毎に関連するプロファイル情報を優先的に順位付けして、この優先的に順位付けされたプロファイル情報を用いて、各スケジュール実行に際し、接続先のアクセスポイントを設定する。【０１９４】  つまり、無線通信装置５００によれば、あらかじめ優先順位付けされたプロファイル情報を管理することで、移動予定先のサービスエリアを形成するアクセスポイントへの接続情報を優先的に選択し、接続要求を行うことが可能となる。【０１９５】  例えば、ユーザが移動するサービスエリアの順にプロファイル情報の優先順位付けを行っておけば、移動予定先のプロファイル情報を常に優先的に選択することができる。よって、移動先のアクセスポイントへの迅速な接続を実現することが可能となる。また、移動先のサービスエリア情報を取得する必要が無いため、消費電力を低減することが可能となる。【０１９６】（実施の形態３）
図１５は、本発明の実施の形態３に係る無線通信装置を有する無線通信システムの構成を示す概念図である。【０１９７】  図１５に示す無線通信システム７００は、実施の形態２の無線通信システム４００において、無線通信装置５００に換えて無線通信装置８００を備えるものであり、各サービスエリアＥ１１〜Ｅ１４及びこれらサービスエリアＥ１１〜Ｅ１４を形成するアクセスポイントＡ２１〜Ａ２４は同様のものである。【０１９８】  すなわち、図１５に示す無線通信システム７００は、無線通信装置８００と、アクセスポイントＡ２１と、アクセスポイントＡ２２〜Ａ２４とを備えて構成される。無線通信装置８００はアクセスポイントＡ２１により形成されるサービスエリアＥ１１に位置している。【０１９９】  サービスエリアＥ１１に隣接している異なるサービスエリアとして、アクセスポイントＡ２２、Ａ２３によりそれぞれ形成されるサービスエリアＥ１２、Ｅ１３が存在し、サービスエリアＥ１２、Ｅ１３に隣接している異なるサービスエリアとして、アクセスポイントＡ２４により形成されるサービスエリアＥ１４が存在する。なお、各アクセスポイントＡ２１〜Ａ３４は、無線通信装置８００からのサービスエリア情報取得要求を受けるサービスエリア情報要求受付部と、サービスエリア情報要求を受けて、サービスエリア情報要求元の無線通信装置８００に、無線通信装置８００が現在位置するサービスエリア及び現在位置するサービスエリアとは異なる近隣のサービスエリアを構成するアクセスポイントを示すサービスエリア情報を通知する近隣接続情報通知部とを有する。【０２００】  図１６は本発明の実施の形態３に係る無線通信装置８００の要部構成を示す機能ブロック図である。なお、図１６に示す無線通信装置８００は、図８に示す実施の形態２に対応する無線通信装置５００と同様の基本的構成において、サービスエリア情報取得部８１２を設け、このサービスエリア情報取得部８１２を用いて情報収集を行う機能を、制御部８１４に設けたものである。よって、以下では、無線通信装置８００は、無線通信装置５００と同一の構成要素には同一の符号を付し、その説明を省略する。【０２０１】  すなわち、無線通信装置８００は、無線通信装置２００と同様な基本的な機能を有する入力部２０１ａと、無線ＬＡＮインターフェース部２０２と、優先プロファイル情報選択部２１３と、受信電波強度取得部２１５と、不揮発性記憶部５０６とに加え、記憶部８０１と、プロファイル情報取得部８０３と、状態変化検出部８０６と、優先順位設定部８０８と、アクセスポイント接続判定部８１０と、サービスエリア情報取得部８１２と、制御部８１４とを有する。【０２０２】  尚、無線通信システム７００において、無線通信装置８００は、無線通信装置２００と同様に、入力部２０１ａ、無線ＬＡＮインターフェース部２０２、優先プロファイル情報選択部２１３、受信電波強度取得部２１５、不揮発性記憶部５０６、記憶部８０１、プロファイル情報取得部８０３、状態変化検出部８０６、優先順位設定部８０８、アクセスポイント接続判定部８１０、サービスエリア情報取得部８１２、制御部８１４の各部は、典型的には集積回路であるＬＳＩ（Ｌａｒｇｅ  Ｓｃａｌｅ  Ｉｎ��ｅｇｒａｔｉｏｎ）により構成される。【０２０３】  これら各部は、個別に１チップ化されても良いし、一部又は全てを含むように１チップ化されても良い。ここではＬＳＩとしたが、集積度の違いによりＩＣ、システムＬＳＩ、スーパーＬＳＩ、ウルトラＬＳＩと呼称されることもある。【０２０４】  また、集積回路化の手法はＬＳＩに限るものではなく、専用回路または汎用プロセッサにより行っても良い。ＬＳＩ製造後に、プログラムすることが可能なＦＰＧＡ（Ｆｉｅｌｄ  Ｐｒｏｇｒａｍｍａｂｌｅ  Ｇａｔｅ  Ａｒｒａｙ）や、ＬＳＩ内部の回路セルの接続や設定を再構成可能なコンフィギュラブル・プロセッサを利用して各部を構成しても良い。さらには、半導体技術の進歩又は派生する別技術によりＬＳＩに置き換わる集積回路化の技術により各部２０１〜２１３の集積化を行っても良い。例えば、バイオ技術を適応することによって集積化を行ってもよい。【０２０５】  入力部２０１ａは、例えば、操作キーなどを介したユーザの操作入力によって、無線通信装置２００において各部を用いた種々の動作を行う。具体的には、ユーザから、スケジュールに沿ってアクセスポイントを接続するスケジュールアプリ機能の起動の入力を受け付けて、制御部８１４に出力してスケジュールアプリを起動させる。また、入力部２０１ａは、スケジュールアプリ起動後に、ユーザから入力される、移動するスケジュール＜時刻、場所＞を、制御部８１４を介して記憶部８０１に記憶させる。また、入力部２０１ａは、スケジュールアプリの起動要求信号を、制御部８１４を介して状態変化検出部８０６に出力する。【０２０６】  不揮発性記憶部５０６は、実施の形態２の無線通信装置５００が有するものと同様のものであり、制御部８１４を介して読み出し可能な、サービスエリアに関するプロファイル情報（サービスエリアを形成するアクセスポイントのプロファイル情報）を記憶する。ここでは、不揮発性記憶部５０６は、無線通信システム７００における異なるサービスエリアＥ１１〜Ｅ１４のアクセスポイントＡ２１〜Ａ２４毎のプロファイル情報が記憶されている。なお、プロファイル情報は、それぞれサービスを提供しているアクセスポイントを特定するためのＳＳＩＤ、暗号方式及び暗号化に必要な鍵情報、アクセスポイントへ接続するために必要なＩＰアドレスなどから構成されている。【０２０７】  記憶部８０１は、制御部８１４を介して入出力される情報を保存する。なお、以下では制御部８１４を介した各部間の情報の入出力は、各部間の入出力として説明することもある。【０２０８】  具体的には、記憶部８０１は、制御部８１４を介して、入力部２０１ａから入力され、サービスエリア間を移動する際に用いられるスケジュール情報を保存する。【０２０９】  また記憶部８０１は、サービスエリア情報取得部８１２により取得されたサービスエリア情報や不揮発性記憶部５０６からのサービスエリア（詳細にはアクセスポイント）のプロファイル情報を保存する。【０２１０】  更に、記憶部８０１は、受信電波強度取得部２１５によって測定された信号の電波強度と、当該信号の発信元であるアクセスポイントのＳＳＩＤの対応情報とを保存する。【０２１１】  また、記憶部８０１は��優先順位設定部８０８で優先順位付けされたプロファイル情報を、例えば、リスト構造で、優先順位の高いプロファイル情報から優先順位順にアクセス可能となるような管理形式で保存する。【０２１２】  記憶部８０１に保存されるスケジュール情報は、ここでは、予定している時間を示す＜時刻＞と、＜時刻＞に位置する待ち合わせ場所や移動先の場所を示す＜場所＞の情報を有するスケジュールによりなるスケジュールテーブルとする。【０２１３】  スケジュールにおいて、＜場所＞を示す情報には、当該＜場所＞が示す場所での接続先として優先させるアクセスポイントを関連付けられる情報が付与されている。【０２１４】  なお、記憶部８０１で記憶されるスケジュール情報は、記憶部５０１で記憶される、スケジュールＤ１１〜Ｄ１３を有するスケジュールテーブル５１０（図９参照）と同様のものとする。【０２１５】  プロファイル情報取得部８０３は、制御部８１４からの通知を受けて不揮発性記憶部５０６に保存されているプロファイル情報（例えば、プロファイル情報Ｐ３１、Ｐ３２、Ｐ３４）を読み出して、記憶部５０１上にプロファイル情報を保存すると、その旨の通知を、制御部８１４を介して優先順位設定部８０８に出力する。【０２１６】  具体的には、プロファイル情報取得部８０３は、記憶された各スケジュール（ここでは、図９に示すスケジュールＤ１１、Ｄ１２、Ｄ１３等）のそれぞれを用いて、これらスケジュールが示す場所に対応するアクセスポイントのプロファイル情報を不揮発性記憶部５０６から読み出して記憶部８０１に保存する。【０２１７】  また、プロファイル情報取得部８０３は、スケジュールテーブルのスケジュールに設定の＜場所＞を参照することで、＜場所＞にリンクされた情報を読み出し可能となっている。具体的には、スケジュールの＜場所＞には、不揮発性記憶部５０６におけるプロファイル情報の位置（アドレス）を示す位置情報（例えば、ポインタ）が関連付けられている。【０２１８】  この位置情報を用いて、プロファイル情報取得部８０３は、該当するプロファイル情報を不揮発性記憶部５０６から取得することができる。なお、不揮発性記憶部５０６に記憶されるプロファイル情報は、アクセスポイントへ接続するために必要な情報を示すものであり、アクセスポイントを特定するための情報である。【０２１９】  具体的には、プロファイル情報は、実施の形態１のプロファイル情報と同様に、それぞれサービスを提供しているアクセスポイントを特定するためのＳＳＩＤを含む、当該アクセスポイントに接続する際に必要な情報を有する。ここでは、プロファイル情報は、実施の形態１と同様に、例えば、サービスを提供しているアクセスポイントを特定するための識別情報（ＳＳＩＤ）、通信で用いる暗号方式及び暗号化に必要な鍵情報（例えば、ＷＥＰ（Ｗｉｒｅｄ  Ｅｑｕｉｖａｌｅｎｔ  Ｐｒｉｖａｃｙ）ＫＥＹ）、アクセスポイントへ接続するために必要な情報（ＩＰアドレス）などを有する。このプロファイル情報の一例としては、例えば、図１０に示すものが挙げられる。【０２２０】  また、プロファイル情報取得部８０３は、記憶部５０１にサービスエリア情報が記憶されている際には、サービスエリア情報を用いて、こ���らサービスエリア情報が示す各サービスエリアに対応するアクセスポイントのプロファイル情報を取得する。具体的には、プロファイル情報取得部８０３は、サービスエリア情報取得部８１２から制御部８１４を介したサービスエリアの情報取得信号の入力を受けて、記憶部８０１に保存されたサービスエリア情報を読み込む。そして、この読み込んだサービスエリア情報を用いて、不揮発性記憶部５０６から、サービスエリア情報が示すアクセスポイントのプロファイル情報を取得する。【０２２１】  本実施の形態では、プロファイル情報取得部８０３は、記憶部８０１から、サービスエリア情報取得部８１２により取得されたサービスエリア情報を取得する。この取得したサービスエリア情報を用いて、プロファイル情報取得部８０３は、当該サービスエリア情報の示すサービスエリアに対応するアクセスポイントのプロファイル情報を不揮発性記憶部５０６から読み出して記憶部８０１に保存する。【０２２２】  状態変化検出部８０６は、制御部８１４を介して入力される情報を用いて、無線通信装置８００自体の使用状態の変化を検出し、制御部８１４に出力する。【０２２３】  具体的には、状態変化検出部８０６は、ユーザにより入力部２０１ａを介して入力されたスケジュールアプリ起動を、無線通信装置８００自体の状態変化として検出し、制御部８１４を介して受信電波強度取得部２１５に出力する。【０２２４】  また、状態変化検出部８０６は、無線ＬＡＮインターフェース部２０２及び制御部８１４を介して入力される、無線通信装置８００の位置するサービスエリアを形成するアクセスポイントからのビーコン（信号）の受信レベル（接続受信レベル）を判定する。【０２２５】  状態変化検出部８０６におけるビーコンの受信レベルの判定は、例えば、接続先のアクセスポイントからのビーコン（信号）の受信レベルを予め設定された閾値と比較することによって行う。ビーコンが閾値以上であれば、制御部８１４を介して無線ＬＡＮインターフェース部２０２に、現在接続しているアクセスポイントへの接続を継続させ、閾値以下であれば、制御部８１４を介してプロファイル情報取得部８０３にその旨の信号を出力する。【０２２６】  優先順位設定部８０８は、記憶部８０１に格納された情報を用いて、プロファイル情報取得部８０３により取得されたプロファイル情報に対して、優先的に接続するアクセスポイントの情報を含む順に、優先順位を設定する。【０２２７】  具体的には、優先順位設定部８０８は、プロファイル情報取得部８０３から、制御部８１４を介して入力される、プロファイル情報の記憶部８０１への保存終了信号を受けて、サービスエリア情報取得部８１２で取得された情報と、プロファイル情報取得部８０３で取得された情報を用いて、サービスエリアに存在するアクセスポイントのプロファイル情報に優先順位付けを行う。【０２２８】  例えば、優先順位設定部８０８は、記憶部８０１のスケジュール（例えば、図９で示すスケジュールＤ１１、Ｄ１２、Ｄ１３）に設定の＜時刻＞を用いて、実行時間の早いスケジュール順に、それぞれ対応するプロファイル情報を順位付けする。【０２２９】  また、優先順位設定部８０８は、無線ＬＡＮインターフェース部２���２から制御部８１４にサービスエリアのアクセスポイントへの接続完了信号が出力された際に、次の移動先であるサービスエリアのアクセスポイントへの接続を迅速に行うため、記憶部８０１に保持されているプロファイル情報を読み出して、優先順位の変更を行う。【０２３０】  また、優先順位設定部８０８は、優先順位付けが処理を終了すると、制御部８１４を介して優先プロファイル情報選択部２１３に優先順位付け終了通知信号を出力する。【０２３１】  優先順位設定部８０８により設定される優先順位は、優先順位設定部８０８によって、現在位置している場所から次の移動先サービスエリアへ移動する過程において、選択される可能性が高いプロファイル情報から順に付与される。【０２３２】  また、優先順位設定部８０８は、接続中のアクセスポイントからの受信電波強度と、記憶部８０１のスケジュール或いは、接続中のアクセスポイントからのサービスエリア情報とを用いて、接続状況が良好であろう順に、接続されるサービスエリア（具体的には、接続先となるアクセスポイント）の優先順位を設定して、これに対応してプロファイル情報を優先順に並び替える。【０２３３】  例えば、接続中のアクセスポイントからの受信電波強度が小さくなった場合、サービスエリア情報とプロファイル情報とから、所属サービスエリアに近い他のサービスエリアを形成するアクセスポイントのプロファイル情報を、最も優先するように並び換える。【０２３４】  なお、優先順位を付ける際に、対象となるサービスエリアにおける、所属サービスエリアに対する近さが、同程度の近さである場合、優先順位設定部８０８は、これら対象となるサービスエリアを形成するアクセスポイントのプロファイル情報の優先順位付けをランダムに行う。【０２３５】  アクセスポイント接続判定部８１０は、受信電波強度の測定結果を用いて、受信電波強度測定対象となる信号を送信したアクセスポイントへの接続判定を行う。アクセスポイント接続判定部８１０において、接続可能であれば、制御部８１４、無線ＬＡＮインターフェース部２０２を介して、プロファイル情報を用いてアクセスポイントへ接続要求を行う。一方、アクセスポイント接続判定部８１０において、接続不能であれば、制御部８１４を介して、同じアクセスポイントからの電波強度の判定をするために、受信電波強度取得部２１５に、電波強度取得指示信号を出力する。【０２３６】  また、アクセスポイント接続判定部８１０は、制御部８１４を介して入力される、受信電波強度取得部２１５により測定された受信電波強度を用いて、当該受信電波強度の対象となる信号を送信したアクセスポイントと接続可能かを判定する。この判定結果に基づいて、アクセスポイント接続判定部８１０は、優先プロファイル情報選択部２１３により選択されたプロファイル情報のアクセスポイントへの接続要求を、制御部８１４を介して無線ＬＡＮインターフェース部２０２に行う。【０２３７】  一方、先の判定結果が接続不能である場合、アクセスポイント接続判定部８１０は、制御部８１４を介して、次の優先順位のプロファイル情報を選択させるべく優先プロファイル情報選択部２１３へ信号を出力する、或いは、サービスエリアの収集を実施させるべくサービスエリア情報取得部８１２へ信号を出力する。【０２３８】  サービスエリア情報取得部８１２は、アクセスポイント接続判定部８１０から制御部８１４を介して入力される、近隣のサービスエリアの情報収集要求を受けて、サービスエリアを形成するアクセスポイントの情報を含む情報を収集する。【０２３９】  具体的に、サービスエリア情報取得部８１２は、アクセスポイント接続判定部８１０からの要求に応じて、近隣のサービスエリアを形成するアクセスポイントのプロファイル情報を取得するための情報を接続しているサービスエリアのアクセスポイントから取得する。【０２４０】  具体的には、サービスエリア情報取得部８１２は、接続しているサービスエリアを形成するアクセスポイントに対するサービスエリア情報の取得要求を、無線ＬＡＮインターフェース部２０２に出力する。【０２４１】  この取得要求に対するアクセスポイントの応答として送信されるサービスエリア情報は、無線ＬＡＮインターフェース部２０２から制御部８１４へ出力されて、記憶部８０１に記憶されることによって、サービスエリア情報取得部８１２に取得される。【０２４２】  図１７は、アクセスポイントから取得したサービスエリア情報の一例を示す図である。なお、取得したサービスエリア情報は、図３で示すサービスエリア情報３００と同様に形成されている。すなわち、サービスエリア情報３００ａは、テキストベースで構成され、例えば、＜所属サービスエリア＞、＜隣接サービスエリア＞及び＜周辺サービスエリア＞の三種類の情報を有する。【０２４３】  サービスエリア情報における＜所属サービスエリア＞は、現在接続しているアクセスポイントが提供しているサービスエリアを示し、＜隣接サービスエリア＞は現在接続しているサービスエリアに隣接しているサービスエリアの情報を示している。また、＜周辺サービスエリア＞は現在接続しているサービスエリアの周辺に位置している（隣接しているサービスエリアよりは遠い場所に位置している）ことを示している。＜隣接サービスエリア＞及び＜周辺サービスエリア＞は、＜所属サービスエリア＞の近隣に存在するサービスエリアを示している。なお、図１７のサービスエリア情報では、接続中のアクセスポイントはサービスエリアＥ１２を提供していることを示し、隣接しているサービスエリアはＥ１１、Ｅ１３、Ｅ１４である、ということを示している。なお、＜周辺サービスエリア＞は空欄である。これは隣接するサービスエリアは存在するものの、その他近くにはサービスエリアが存在しないことを示している。【０２４４】  制御部８１４は、無線ＬＡＮインターフェース部２０２、優先プロファイル情報選択部２１３、受信電波強度取得部２１５、不揮発性記憶部５０６、記憶部８０１、プロファイル情報取得部８０３、状態変化検出部８０６、優先順位設定部８０８、アクセスポイント接続判定部８１０、サービスエリア情報取得部８１２間の信号の入出力を制御する。【０２４５】  制御部８１４は、各部２０２、２１３、２１５、８０３、８０６、８０８、８１０、８１２の動作を制御することによって、予め優先順位付けされたプロファイル情報を管理して、移動予定先のサービスエリアを形成するアクセスポイントへの接��情報を優先的に選択し、接続要求を行う。ここでは、ユーザが移動するサービスエリアの順にプロファイル情報の優先順位付けを行っておくことで、移動予定先のプロファイル情報を常に優先的に選択するように制御する。また、制御部８１４は、予め優先順位付けされたプロファイル情報から最も優先順位の高いプロファイル情報を選択し、アクセスポイントへ接続失敗となった場合、その時点での近隣のサービスエリア情報及びそれらサービスエリアのプロファイル情報の収集を行いプロファイル情報に対する優先順位付けを実行する制御を行う。【０２４６】  次に、本発明に係る無線通信装置８００におけるアクセスポイント接続方法について説明する。【０２４７】  図１８〜図２０は、本発明の実施の形態３に係る無線通信装置におけるアクセスポイント接続を説明するフローチャートである。【０２４８】  ここでは、図１８〜図２０に基づく無線通信装置８００におけるアクセスポイント接続処理の説明を、図１５に示す無線通信システム７００において、予め設定された予定に従って移動中の無線通信装置８００が、予定外の位置に移動した場合を適用して説明する。【０２４９】  図２１及び図２２は、図１５に示す無線通信システムでの無線通信装置の移動を示す図である。詳細には、図２１は、図１５で示した無線通信装置８００が移動を行い、移動前に予めユーザが決めた予定に従って異なるサービスエリアＥ１１−Ｅ１２間の移動を示す図である。また、図２２は、無線通信装置８００がサービスエリアＥ１２−Ｅ１３間を移動した状況を示しており、ユーザにより予め設定された予定とは異なった移動を示す図である。なお、図１５に示す本実施の形態３の無線通信システム７００は、図７に示す実施の形態２の無線通信システム４００と同様の、アクセスポイントＡ２１〜Ａ２４により形成されるサービスエリアＥ１１〜Ｅ１４を有している。このため、図１５、図２１及び図２２における地点Ｍ１１〜Ｍ１３は、実施の形態２で用いた地点と同符号を付して説明する。【０２５０】  また、ユーザにより予め設定された予定とは、無線通信装置８００の記憶部８０１において記憶されるスケジュールテーブルである。なお、このスケジュールテーブルは、無線通信装置８００において、スケジュールアプリ起動後、ユーザが入力部２０１ａから情報を入力し、制御部８１４を介して記憶部８０１に保存されて形成されるものである。【０２５１】  本実施の形態では、記憶部８０１に記憶されるスケジュールテーブルは、実施の形態２の記憶部５０１に記憶されるスケジュールテーブル５１０と同様のものであるため、無線通信装置８００は、スケジュールテーブル５１０に従って移動するものとして説明する。【０２５２】  すなわち、ここでは、スケジュールＤ１１は、時刻１２：００に○○駅へ移動する予定を示し、図１５で示すサービスエリアＥ１１の地点Ｍ１１に無線通信装置８００が位置している状態を示す。また、スケジュールＤ１２は、時刻１４：００に○×公園に移動する予定を示し、図２１で示すサービスエリアＥ１２の地点Ｍ１２に無線通信装置８００が位置していることを示す。さらに、スケジュールＤ１３は、時刻１５：００に△△喫茶店に移動していることを示し、図２���に示されたサービスエリアＥ１４の地点Ｍ１３に無線通信装置８００が位置していることを示す。【０２５３】  まず、図１５に示す無線通信システム７００における無線通信装置８００において、ユーザから通信アプリ起動のための入力が行われると、その情報が入力部２０１ａを介して制御部８１４へ通知される。この通知を受けた制御部８１４は通信アプリの起動を行うとともに、通信アプリが起動された旨を、状態変化検出部８０６に通知する。【０２５４】  この通知を受けて、状態変化検出部８０６は通信アプリの起動を検知し、制御部８１４を介して、プロファイル情報取得部８０３へ通知する（ステップＳ２０）。【０２５５】  プロファイル情報取得部８０３は、制御部８１４からの通知を受けて不揮発性記憶部５０６に保存されているプロファイル情報（ここではプロファイル情報Ｐ３１、Ｐ３２、Ｐ３４のプロファイル情報を読み出す（ステップＳ２１）。【０２５６】  なお、プロファイル情報は、上述したようにアクセスポイントへ接続するために必要な情報を示すもので、この情報はアクセスポイントを特定するための情報として利用することが可能である。【０２５７】  このプロファイル情報は、記憶部８０１のスケジュールテーブルに設定の＜場所＞に関連付けられており、プロファイル情報取得部８０３は、これら＜場所＞とプロファイル情報を関連付ける情報を用いて、不揮発性記憶部５０６からプロファイル情報を読み出す。【０２５８】  なお、スケジュールテーブルを用いたプロファイル情報取得部８０３による不揮発性記憶部５０６からのプロファイル情報の読み出しは、図１２を用いて説明した実施の形態２のプロファイル情報取得部２０６ａと同様である。【０２５９】  すなわち、図１２に示すように、記憶部８０１では、スケジュールテーブルにおけるスケジュールにおける＜場所＞の情報が一次元配列で管理され、個々の配列に、不揮発性記憶部５０６に格納されているプロファイル情報のアドレスへのポインタが関連付けられている。また、記憶部８０１は、各スケジュールに対して、無線通信装置５００の移動順にアドレス（例えば、「１０００」、「１００２」、「１００４」）を付与して保存するものとする。【０２６０】  これにより、プロファイル情報取得部８０３は、記憶部８０１のスケジュールにおける＜場所＞を読み出すことで、読み出した＜場所＞に関連付けられているポインタを用いて不揮発性記憶部５０６から、ポインタの示すアドレスのプロファイル情報を読み出すことができる。【０２６１】  このようなプロファイル情報取得部８０３によるプロファイル情報の読み出し終了後、プロファイル情報取得部８０３は、制御部８１４を介して優先順位設定部８０８に読み出し終了を通知する。【０２６２】  プロファイル情報読出終了の通知を受けて、優先順位設定部８０８は、スケジュールテーブル５０１のスケジュールＤ１１、Ｄ１２、Ｄ１３に設定の＜時刻＞を参照して、プロファイル情報取得部８０３によって取得されたプロファイル情報の優先順位付けを行う（ステップＳ２２）。【０２６３】  なお、ステップＳ２２における優先順位設定部８０８の優先順位付けは、実施の形態２における優先順位設定部５０４の処理（ステップＳ１２）と同様であるため説明は省略する。【０２６４】  ステップＳ２２で、優先順位設定部８０８により優先順位付けされたプロファイル情報のデータ構造は、図１３に示すように、プロファイル情報Ｐ３１→Ｐ３２→Ｐ３４と各プロファイル情報に対して優先順位付けが行われる。【０２６５】  優先順位付け処理が終了すると、優先順位設定部８０８は、制御部８１４を介して優先プロファイル情報選択部２１３へ優先順位設定終了を通知する。【０２６６】  優先順位設定終了通知を受けて、優先プロファイル情報選択部２１３は、優先順位の最も高いプロファイル情報Ｐ３１を選択し、記憶部８０１から読み出す（ステップＳ２３）。優先プロファイル情報選択部２１３による選択したプロファイル情報の読み出しが終了すると、優先プロファイル情報選択部２１３は、その終了通知を、制御部８１４を介して受信電波強度取得部２１５に通知する。【０２６７】  優先プロファイル情報選択終了通知を受けた受信電波強度取得部２１５は、選択されたプロファイル情報Ｐ３１に設定のＳＳＩＤが示すアクセスポイントからの受信電波の強度を取得する（ステップＳ２４）。【０２６８】  具体的にステップＳ２４では、受信電波強度取得部２１５は、プロファイル情報Ｐ３１に設定されたＳＳＩＤを参照して、制御部８１４、無線ＬＡＮインターフェース部２０２を介したアクセスポイントへのプローブ要求を行う。プローブ要求をうけたアクセスポイントは、その応答を無線ＬＡＮインターフェース部２０２、制御部８１４を介して受信電波強度取得部２１５へ通知する。この応答信号を用いて、受信電波強度取得部２１５は、受信された電波の受信強度を測定する。なお、測定した結果は、制御部８１４を介してアクセスポイント接続判定部８１０へ通知される。【０２６９】  この測定結果を受けて、アクセスポイント接続判定部８１０は、アクセスポイントへの接続判定、つまり、受信信号を送信したアクセスポイントへ接続可能か否かを判定する（ステップＳ２５）。【０２７０】  ステップＳ２５において、アクセスポイント接続判定部８１０が、アクセスポイントへ接続可能と判断した場合、制御部８１４、無線ＬＡＮインターフェース部２０２を介してアクセスポイントへ接続要求を行う。この接続要求は、プロファイル情報Ｐ３１に設定された情報を参照して行われる。接続要求を受けたアクセスポイントは、無線通信装置８００に対して応答し、無線通信装置８００では、無線ＬＡＮインターフェース部２０２、制御部８１４を介してアクセスポイント接続判定部８１０に通知される。また、アクセスポイントサービスエリアＥ１１のアクセスポイントＡ２１への接続完了が、無線ＬＡＮインターフェース部２０２から制御部８１４へ通知され、制御部８１４は、優先順位設定部８０８に対して処理要求を行い、ステップＳ２６に移行する。なお、処理要求の内容は、次の移動先であるサービスエリア（ここではＥ１２）のアクセスポイント（ここではＡ２２）への接続を迅速に行うため、記憶部８０１に保持されているプロファイル情報を読み出して、優先順位の変更を行うものである。【０２７１】  ステップＳ２５において、アクセスポイント接続判定部８１０が、接続不可能と判断する場合、サービ��エリアの収集を実施するよう、制御部８１４を介してサービスエリア情報取得部８０４へ通知してステップＳ３６に移行する。【０２７２】  ステップＳ２６では、優先順位設定部８０８は、プロファイル情報に対して設定された順位を変更する。【０２７３】  具体的に、ステップＳ２６では、優先順位設定部８０８は、現在接続中のアクセスポイントＡ２１への接続情報として設定されているプロファイル情報Ｐ３１を、今後無線通信装置８００の移動が発生した場合での使用可能性の低いものとして、最も低い優先順位付けを行う。また、優先順位設定部８０８は、次の移動先となっているサービスエリアＥ１２を形成するアクセスポイントＡ２２の接続情報が設定されているプロファイル情報Ｐ３２を最も優先順位の高いプロファイル情報として設定する。なお、優先順位設定部８０８は、プロファイル情報Ｐ３４に２番目の優先順位を付ける。なお、優先順位付けが変更された結果の一例は図１４に示すものと同様であり、この優先順位付けされたプロファイル情報によれば、次のスケジュールＤ１２に設定された場所へ移動する際の、迅速なアクセスポイント接続に備えることができる。【０２７４】  この優先順位変更処理の後、状態変化検出部８０６は、接続中のアクセスポイントからのビーコンの受信レベルが閾値以下となっているか否かの判定を行う（ステップＳ２７）。【０２７５】  このステップＳ２７では、接続中のアクセスポイントからのビーコンの受信レベルが閾値より大きければ、ステップＳ２７の処理は繰り返され、現在接続中のアクセスポイントＡ２１へ継続して接続が行われる。これにより無線通信装置８００は、接続中のアクセスポイントを介して良好なサービス提供を受けることができる。【０２７６】  つまり、無線通信装置８００において、次の接続先であるアクセスポイントＡ２２への接続要求は、現在接続中のアクセスポイントＡ２１からのビーコン受信レベルが閾値以下となったことを状態変化検出部８０６が検出した場合に行われる。【０２７７】  例えば、無線通信装置８００は、図２１に示すように、無線通信システム７００において、所属するサービスエリアＥ１１の地点Ｍ１１から隣接するサービスエリアＥ１２の地点Ｍ１２に移動しているものとする。【０２７８】  このように無線通信装置８００が移動している場合、状態変化検出部８０６が、無線ＬＡＮインターフェース部２０２、制御部８１４を介して受信されるアクセスポイントＡ２１からのビーコンの受信レベルが閾値以下になったことを検出すると、その旨を制御部８１４へ通知する。制御部８１４は、上記通知を優先プロファイル情報選択部２１３へ通知して、ステップＳ２８に移行する。【０２７９】  ステップＳ２８では、ビーコン受信レベルが閾値以下の通知を受けて、優先プロファイル情報選択部２１３は、優先順位の最も高いプロファイル情報Ｐ３２を選択し、記憶部８０１から読み出す。読み出し処理が終了すると、優先プロファイル情報選択部２１３は、その終了通知を、制御部８１４を介して受信電波強度取得部２１５に通知して、ステップＳ２９に移行する。【０２８０】  優先プロファイル情報選択部２１３により優先プロファイル情報が選択されると受信電波強度取得部２１５��、選択されたプロファイル情報のアクセスポイントから送信される信号の受信電波強度を取得する（ステップＳ２９）。【０２８１】  具体的に、ステップＳ２９では、受信電波強度取得部２１５は、制御部８１４から優先プロファイル情報選択終了の通知を受けて、受信電波強度取得部２１５は、プロファイル情報Ｐ３２に設定されているＳＳＩＤを参照して、制御部８１４、無線ＬＡＮインターフェース部２０２を介してプローブ要求を行う。プローブ要求を受けたアクセスポイントは、その要求に対する応答を無線ＬＡＮインターフェース部２０２、制御部８１４を介して受信電波強度取得部２１５に通知する。受信電波強度取得部２１５は、通知された信号から電波強度を測定し、その結果について制御部８１４を介してアクセスポイント接続判定部８１０へ通知する。【０２８２】  この測定結果を受けて、アクセスポイント接続判定部８１０は、アクセスポイントへの接続判定、つまり、受信信号を送信したアクセスポイントへ接続可能か否かを判定する（ステップＳ３０）。接続可能と判断できる場合は、制御部８１４、無線ＬＡＮインターフェース部２０２を介してアクセスポイントへ接続要求を行う。接続要求は、プロファイル情報Ｐ３２に設定された情報を参照して行われる。上記接続要求を受けたアクセスポイントは、無線通信装置８００に対して応答を返す。その応答は無線ＬＡＮインターフェース部２０２、制御部８１４を介してアクセスポイント接続判定部８１０へ通知される。なお、接続できないと判断された場合は、サービスエリア情報の収集を実施するよう制御部８１４を介してサービスエリア情報取得部８０４へ通知してステップＳ３６に移行する。【０２８３】  サービスエリアＥ１２のアクセスポイントＡ２２への接続完了が、無線ＬＡＮインターフェース部２０２を介して制御部８１４へ通知されると、優先順位設定部８０８に対して処理要求が行われ、ステップＳ３１に移行する。【０２８４】  ステップＳ３１では、優先順位設定部８０８は、記憶部８０１に保持されているプロファイル情報を読み出して、優先順位を設定する。【０２８５】  ステップＳ３１における優先順位設定部８０８では、現在接続中のアクセスポイントＡ２２の接続情報が設定されているプロファイル情報Ｐ３２は、今後移動が発生した場合使用される可能性が低いため、優先順位を３番目に優先順位付けし、次の移動先となっているサービスエリアＥ１４を形成するアクセスポイントＡ２４への接続情報が設定されたプロファイル情報Ｐ３４を最も優先順位の高いプロファイル情報として設定する。図２３にプロファイル情報に対する優先順位の設定変更の結果を示す。【０２８６】  この優先順位変更処理の後、状態変化検出部８０６は、接続中のアクセスポイントＡ２２からのビーコンの受信レベルが閾値以下となっているか否かの判定を行う（ステップＳ３２）。【０２８７】  このステップＳ３２では、ステップＳ２７と同様に、接続中のアクセスポイントからのビーコンの受信レベルが閾値より大きければ、ステップＳ３２の処理は繰り返えされ、現在接続中のアクセスポイントＡ２２へ継続して接続が行われる。【０２８８】  状態変化検出部８０６において、アクセスポイントＡ２２からのビ���コン受信レベルが閾値以下になったことを検出すると、その旨を制御部８１４へ通知し、制御部８１４は、記通知をプロファイル情報取得部８０３へ通知し、ステップＳ３３に移行する。【０２８９】  この場合、図２２に示すようにサービスエリアＥ１２に存在する無線通信装置８００が、スケジュールＤ１３に設定の情報とは異なる移動先である、サービスエリアＥ１３に向かって移動を始めていると想定する。【０２９０】  優先プロファイル情報選択部２１３は上記通知を受けると、優先順位の最も高いプロファイル情報Ｐ３４を選択し、記憶部８０１から読み出す処理を行う（ステップＳ３３）。読み出し処理が終了すると、優先プロファイル情報選択部２１３は、制御部８１４を介して受信電波強度取得部２１５に、読み出しが終了した旨を通知する。【０２９１】  ステップＳ３４では、受信電波強度取得部２１５は、選択されたプロファイル情報に示すアクセスポイントから送信される信号を用いて受信電波強度を取得する。【０２９２】  具体的に、ステップＳ３４では、受信電波強度取得部２１５は、上記制御部８１４からの通知を受けると、プロファイル情報Ｐ３４に設定されているＳＳＩＤを参照して、制御部８１４、無線ＬＡＮインターフェース部２０２を介してプローブ要求を行う。プローブ要求を受けたアクセスポイントは、その要求に対する応答を無線ＬＡＮインターフェース部２０２、制御部８１４を介して受信電波強度取得部２１５に通知する。受信電波強度取得部２１５は、通知された信号から電波強度を測定し、その結果について制御部８１４を介してアクセスポイント接続判定部８１０へ通知する。【０２９３】  アクセスポイント接続判定部８１０は上記結果から、アクセスポイントへの接続判定を行う（ステップＳ３５）。接続可能と判断できる場合は制御部８１４、無線ＬＡＮインターフェース部２０２を介してアクセスポイントへ接続要求を行う。接続要求は、プロファイル情報Ｐ３４に設定された情報を参照して行われる。この接続要求を受けたアクセスポイントは、無線通信装置８００に対して応答を返す。その応答は無線ＬＡＮインターフェース部２０２、制御部８１４を介してアクセスポイント接続判定部８１０へ通知される。なお、接続不可能と判断する場合は、制御部８１４を介して、サービスエリア情報取得部８１２へサービスエリア情報収集の依頼を行い、ステップＳ３６に移行する。【０２９４】  ここで、図２２に示されるようにユーザはスケジュールＤ１３とは異なる移動場所Ｅ１３への移動を行っているため、受信電波強度取得部２１５は受信電波強度を取得することができず、アクセスポイント接続判定部８１０は接続できないと判断することになる。【０２９５】  アクセスポイント接続判定部８１０は、受信電波強度を取得できなかった場合（アクセスポイントへ接続できない場合）、スケジュールとは異なる移動を行ったと判断し、再度、隣接している、近隣のサービスエリア情報の収集を行うように、制御部８１４を介してサービスエリア情報取得部８１２へその旨を通知する（ステップＳ３６）。【０２９６】  上記通知を受けてサービスエリア情報取得部８１２は、無線通信装置８００が位置しているサービスエリアＥ１２を形成するアクセスポイントＡ２２に対して近隣のサービスエリア情報取得要求を行う（ステップＳ３７）。取得要求は、制御部８１４を介して無線ＬＡＮインターフェース部２０２へ通知される。アクセスポイントは無線通信装置８００からの取得要求に対して、サービスエリアの情報を応答する。アクセスポイントからの応答は、無線ＬＡＮインターフェース部２０２を介して制御部８１４へ通知され、取得された情報は、記憶部８０１へ保存される。取得されたサービスエリア情報は、ここでは図１７に示すものとする。【０２９７】  サービスエリア情報取得部８１２から制御部８１４を介して、サービスエリアＥ１１、Ｅ１３、Ｅ１４の情報取得を通知されたプロファイル情報取得部８０３は、記憶部８０１へ保存されたサービスエリアの情報を参照する。隣接しているサービスエリアがＥ１１、Ｅ１３、Ｅ１４であることを分かると、不揮発性記憶部５０６にあらかじめ保持していたサービスエリアＥ１１、Ｅ１３、Ｅ１４のプロファイル情報Ｐ３１、Ｐ３３、Ｐ３４の読み出しを行い、記憶部８０１へ保存する（ステップＳ３８）。【０２９８】  図２４は、プロファイル情報取得部８０３により不揮発性記憶部５０６から読み出されたプロファイル情報の一例を示す図である。なお、図２４に示すプロファイル情報Ｐ３１は、サービスエリアＥ１１のプロファイル情報を示し、プロファイル情報Ｐ３３はサービスエリアＥ１３のプロファイル情報を示す。さらに、プロファイル情報Ｐ３４はサービスエリアＥ１４のプロファイル情報を示している。【０２９９】  プロファイル情報取得部８０３より、記憶部８０１上へのプロファイル情報Ｐ３１、Ｐ３３、Ｐ３４の保存通知が制御部８１４を介して優先順位設定部８０８へあると、優先順位設定部８０８は、サービスエリア情報取得部８１２で取得された情報と、プロファイル情報取得部８０３で取得された情報からサービスエリアＥ１１、Ｅ１３、Ｅ１４に存在するアクセスポイントＡ１１、Ａ１３、Ａ１４のプロファイル情報Ｐ３１、Ｐ３３、Ｐ３４に優先順位付けを行う（ステップＳ３９）。【０３００】  例えば、無線通信装置８００はサービスエリアＥ１２に位置しており、サービスエリアＥ１１、Ｅ１３、Ｅ１４が隣接し、移動する可能性が高いことからプロファイル情報Ｐ３１、Ｐ３３、Ｐ３４を優先順位の高いプロファイル情報として設定する。この時のプロファイル情報Ｐ３１、Ｐ３３、Ｐ３４の優先順位付けであるが、現在取得されている情報からＰ３１、Ｐ３３、Ｐ３４に設定のアクセスポイントが構成しているサービスエリアＥ１１、Ｅ１３、Ｅ１４へは、同程度に移動する可能性がある。よって、上述したように、ここでは、ランダムに優先順位付けを行い、Ｐ３４を最も優先順位の高いプロファイル情報として優先順位付けを行う。その他Ｐ３３を２番目に優先順位の高いプロファイル情報として、Ｐ３１を３番目に優先順位の高いプロファイル情報として優先順位付けを行う。現在接続中のアクセスポイント情報が含まれているプロファイル情報Ｐ３２は、移動により受信電波強度が小さくなり、サービスエリアＥ１２からユーザは出ようとしているものと考えられ、今後使用される可能性が低いと判断できる。よって、優先順位が最も低いプロファイ���情報として優先順位付けを行う。その結果、Ｐ３４→Ｐ３３→Ｐ３１→Ｐ３２のように優先順位付けされる。【０３０１】  図２５は優先順位設定部８０８によって、各プロファイル情報に優先順位付けが行われ、その順番に並び替えられた状態を説明する図である。プロファイル情報Ｐ３４が最も優先順位の高いプロファイル情報として管理されることとなり、その次にプロファイル情報３３が優先順位の高いプロファイル情報として管理される。優先順位設定部８０８から、優先順位付けされたプロファイル情報が記憶部８０１に保存されたことが制御部８１４を介して優先プロファイル情報選択部２１３に通知される。【０３０２】  制御部８１４からの通知を受けた優先プロファイル情報選択部２１３は、無線通信装置８００が現在位置しているサービスエリアＥ１２において最も優先順位の高いプロファイル情報Ｐ３４を選択し、記憶部８０１から読み出す処理を行う（ステップＳ４０）。【０３０３】  読み出し処理が終了すると、優先プロファイル情報選択部２１３は、その終了通知を、制御部８１４を介して受信電波強度取得部２１５に通知する。【０３０４】  受信電波強度取得部２１５は上記通知をうけると、選択されたプロファイル情報Ｐ３４に設定されているＳＳＩＤを参照し、制御部８１４、無線ＬＡＮインターフェース部２０２を介してプローブ要求を行う。プローブ要求をうけたアクセスポイントはその要求に対する応答を無線ＬＡＮインターフェース部２０２、制御部８１４を介して受信電波強度取得部２１５へ通知する。受信電波強度取得部２１５は、受信した信号の電波強度を測定し、その結果について制御部８１４を介してアクセスポイント接続判定部８１０へ通知する（ステップＳ４１）。【０３０５】  アクセスポイント接続判定部８１０は、受信電波強度取得部２１５から通知された結果を用いて、アクセスポイントへの接続判定を行う（ステップＳ４２）。ステップＳ４２で、アクセスポイント接続判定部８１０が、接続可能と判断できる場合、優先プロファイル情報選択部２１３によって選択されたプロファイル情報Ｐ３４に設定のアクセスポイント情報を参照して、アクセスポイントへの接続要求を行う。接続要求は、制御部８１４、無線ＬＡＮインターフェース部２０２を介してアクセスポイントへ通知される。アクセスポイントからの応答は無線ＬＡＮインターフェース部２０２、制御部８１４を介してアクセスポイント接続判定部８１０へ通知される。接続不可能と判断する場合（ステップＳ４２：ＮＯ）、アクセスポイント接続判定部８１０は、次の優先順位のプロファイル情報を選択するように、制御部８１４を介して優先プロファイル情報選択部２１３へ通知を行う。【０３０６】  具体的には、ステップＳ４２において、接続可能と判断できる場合、つまり、接続要求に対するアクセスポイントからの応答があり接続可能となった場合（ステップＳ４２：ＹＥＳ）は、当該アクセスポイントとの通信を行う。つまり、次の移動で、状態変化検出部８０６より、ビーコンの受信レベルが閾値以下であるかどうかを判定し（ステップＳ４３）、その結果、ビーコンの受信レベルが閾値以下であった場合は、サービスエリアの情報を収集するように制御部８１４を介してサ���ビスエリア情報取得部８０４へ処理を依頼（ステップＳ３７に移行）する。また、ステップＳ４３においてビーコンの受信レベルが閾値より大きい場合（ステップＳ４３：ＮＯ）は、現在接続中のアクセスポイントへ接続を維持する。【０３０７】  以上のように、本実施の形態３の無線通信装置８００によれば、あらかじめ優先順位付けされたプロファイル情報から最も優先順位の高いプロファイル情報を選択し、アクセスポイントへ接続失敗となった場合、その時点での近隣のサービスエリア情報及びそれらサービスエリアのプロファイル情報の収集を行いプロファイル情報に対する優先順位付けを実行するため、接続性の低いアクセスポイントに対する接続要求を回避し、消費電力の低減が可能となる。【０３０８】  本発明に係る無線通信装置２００，５００，８００は上記各実施の形態に限定されず、種々変更して実施することが可能である。【０３０９】  また、各実施の形態では、無線通信装置２００，５００，８００において、アクセスポイントへの接続に用いるＳＳＩＤは、一つのアクセスポイントに対する識別情報としたが、これに限らず、複数のアクセスポイントに対する識別情報としてもよい。【０３１０】  また、各実施の形態の無線通信装置２００，５００，８００では、状態変化検出部２０３、８０６、受信電波強度取得部２１５を用いて、接続先のアクセスポイントからの受信レベルの判定によって、接続中のアクセスポイントにより形成されるサービスエリア外への移動を検出するものとしたが、これに限らない。例えば、無線通信装置２００，５００，８００において、自装置の位置を検出するＧＰＳ装置などの測位装置を設け、接続中のアクセスポイントからの離間距離を用いて、所属するサービスエリアとは異なるサービスエリアのアクセスポイントへ接続を行うようにしてもよい。【０３１１】（第４の実施の形態）
図２６は、本発明の実施形態４に係る無線通信装置を有する無線通信システムの構成を示す概念図である。【０３１２】図２６に示す無線通信システム９００は、無線通信装置１１００と、互いにサービス提供元が異なるサービスエリアＥ２１〜Ｅ２３の基地局（アクセスポイント）Ａ３０〜Ａ３６とを備えて構成される。【０３１３】  本実施の形態４の無線通信装置１１００は、実施の形態１〜３の各無線通信装置２００、５００、８００と比較して、無線ＬＡＮ方式に替えて、ＩＥＥＥ８０２．１６の規格に準拠したモバイルＷｉＭＡＸ環境下においてアクセスポイントへの接続を行う点で異なる。【０３１４】  また、本実施の形態４の無線通信装置１１００は、実施の形態１〜３の各無線通信装置２００、５００、８００と比較して、過去にアクセスポイントに接続した情報である接続実績情報を用いて移動時の迅速な接続処理を精度良く行う点が異なる。【０３１５】  なお、モバイルＷｉＭＡＸ環境における無線通信装置１１００は、１）スキャニング（Ｓｃａｎｎｉｎｇ）、２）レンジング（Ｒａｎｇｉｎｇ）、３）ベーシックケーパビリティ交換（Ｂａｓｉｃ  Ｃａｐａｂｉｌｉｔｙ  ｅｘｃｈａｎｇｅ）、４）認証要求を順に行うことでアクセスポイントへの接続を行う。【０３１６】  ここで、１）スキャニングとは、定義された周波数の中でチャネルをスキャンし、無線区間の走査と同期を行う処理である。ここでは端末（無線通信装置１１００）がどの基地局（アクセスポイント）と通信できるかを確認する処理である。また、２）レンジングは、要求ＭＡＣ（Ｍｅｄｉａ  Ａｃｃｅｓｓ  Ｃｏｎｔｒｏｌ）メッセージをアクセスポイントに対して送信し、無線通信装置のＭＡＣアドレス登録を要求する処理である。さらに、３）ベーシックケーパビリティ交換は、アクセスポイントと無線パラメータのネゴシエーションを行う処理である。また、４）認証要求は、アクセスポイントへ認証要求を行いデータ暗号化用の鍵を取得する処理である。【０３１７】  このようにモバイルＷｉＭＡＸ環境下のサービスエリアＥ２１〜Ｅ２３を形成するアクセスポイントＡ３０〜Ａ３６は、無線通信装置１１００と通信可能となっており、無線通信装置１１００からのレンジング要求（ＭＡＣアドレスの登録要求）、ベーシックケーパビリティ交換（アクセスポイントと無線パラメータのネゴシエーション）、認証要求（データ暗号化用の鍵取得のための認証要求）及び接続要求に応答して、無線通信装置１１００にサービスを提供する。【０３１８】  また、各アクセスポイントＡ３０〜Ａ３６は、近隣に位置するアクセスポイントの情報を通知する近隣接続情報通知部を備え、この近隣接続情報通知手段を用いて無線通信装置１１００へサービスエリア情報を送信する。詳細には、各アクセスポイントＡ３０〜Ａ３６は、無線通信装置１１００（詳細には図２７に示すサービスエリア情報取得部１１１２）からのサービスエリア情報取得要求を受けるサービスエリア情報要求受付部と、サービスエリア情報要求を受けて、サービスエリア情報要求元の前記無線通信装置１１００に、当該無線通信装置１１００が現在位置するサービスエリア及び現在位置するサービスエリアとは異なる近隣のサービスエリアを構成する���クセスポイントを示すサービスエリア情報を通知する近隣接続情報通知部とを有する。【０３１９】  無線通信装置１１００は、所属サービスエリア外への移動により接続先アクセスポイントの変更を実施する場合、優先的に接続するアクセスポイントのプロファイル情報、アクセスポイントから送られてくるサービスエリアの情報、及び無線通信装置内で管理している接続実績情報を利用して接続処理を行う。【０３２０】  図２６に示す無線通信システム９００では、サービスエリアＥ２１は、アクセスポイントＡ３０、Ａ３１により形成され、このサービスエリアＥ２１には、アクセスポイントＡ３２〜Ａ３４によって形成されたサービスエリアＥ２２が隣接している。また、このサービスエリアＥ２２にはアクセスポイントＡ３５、Ａ３６により形成されるサービスエリアＥ２３が隣接している。【０３２１】  なお、図２６では、無線通信装置１１００が、サービスエリアＥ２１内の地点Ｍ２１に位置している状態を無線通信装置１１００ａで示し、サービスエリアＥ２１から移動してサービスエリアＥ２２のＭ２２点へ位置している状態を無線通信装置１１００ｂで示す。更に、図２６では、サービスエリアＥ２２から移動してサービスエリアＥ２３のＭ２３点へ位置した無線通信装置１１００を無線装置１１００ｃで示している。【０３２２】  ここで、図２６に示す無線通信装置１１００について説明する。【０３２３】  図２７は、本発明の実施の形態４に係る無線通信装置１１００の要部構成を示す機能ブロック図である。【０３２４】  図２７に示す無線通信装置１１００は、入力部２０１ａ、状態変化検出部１１０１、ＷｉＭＡＸインターフェース部１１０２、スキャニング（Ｓｃａｎｎｉｎｇ）部１１０３、レンジング（Ｒａｎｇｉｎｇ）部１１０４、ベーシックケーパビリティ交換（Ｂａｓｉｃ  Ｃａｐａｂｉｌｉｔｙ  Ｅｘｃｈａｎｇｅ）部１１０５、認証処理部１１０６、優先プロファイル情報選択部１１０７、不揮発記憶部１１０８、制御部１１０９、優先順位設定部１１１０、プロファイル情報取得部１１１１、サービスエリア情報取得部１１１２、記憶部１１１３を有する。【０３２５】  なお、入力部２０１ａ、状態変化検出部１１０１、ＷｉＭＡＸインターフェース部１１０２、スキャニング部１１０３、レンジング部１１０４、ベーシックケーパビリティ交換部１１０５、認証処理部１１０６、優先プロファイル情報選択部１１０７、不揮発記憶部１１０８、制御部１１０９、優先順位設定部１１１０、プロファイル情報取得部１１１１、サービスエリア情報取得部１１１２、記憶部１１１３、の各部は、典型的に集積回路であるＬＳＩ（Ｌａｒｇｅ  Ｓｃａｌｅ  Ｉｎｔｅｇｒａｔｉｏｎ）により構成される。【０３２６】  これら各部２０１ａ、１００１〜１０１３は、個別に１チップ化しても良いし、一部又は全てを含むように１チップ化されても良い。ここでは、ＬＳＩとしたが、集積度の違いによりＩＣ、システムＬＳＩ、スーパーＬＳＩ、ウルトラＬＳＩと呼称されることもある。【０３２７】また、各部２０１ａ、１１０１〜１１１３に対する集積回路化の手法は、ＬＳＩに限るものではなく、専用回路または汎用プロセッサにより行っても良い。各部２０１ａ、１１０１〜１���１３は、ＬＳＩ製造後に、プログラムすることが可能なＦＰＧＡ（Ｆｉｅｌｄ  Ｐｒｏｇｒａｍｍａｂｌｅ  Ｇａｔｅ  Ａｒｒａｙ）や、ＬＳＩ内部の回路セルの接続や設定を再構成可能なコンフィギュラブル・プロセッサを利用して構成されても良い。さらには、各部２０１ａ、１００１〜１０１３の集積化は、半導体技術の進歩又は派生する別技術によりＬＳＩに置き換わる集積回路化の技術により行っても良い。例えば、各部２０１ａ、１１０１〜１１１３を、バイオ技術を適応することによって集積化を行ってもよい。【０３２８】  入力部２０１ａは、入力部２０１と同様のものであり、例えば、操作キーなどを介したユーザの操作入力を受けて制御部１１０９に出力され、無線通信装置１１００における種々の動作を行う。例えば、通信アプリ起動の開始要求を、制御部１１０９を介して状態変化検出部１１０１に出力する。【０３２９】  状態変化検出部１１０１は、状態変化検出部２０３と比較して判定対象が異なり基本的構成は略同様である。【０３３０】  すなわち、状態変化検出部１１０１は、制御部１１０９を介して入力される情報を用いて、無線通信装置１１００自体の使用状態の変化を検出し、制御部１１０９に出力する。【０３３１】  具体的には、状態変化検出部１１０１は、ユーザにより入力部２０１ａを介して入力された通信アプリの起動指示を、無線通信装置１１００自体の状態変化として検出し、受信電波強度を取得する。なお、無線ＬＡＮ環境において受信電波強度の取得及び測定は、受信電波強度取得部にて行っていたが、受信電波強度の取得に相当する処理については、レンジング部１１０４にその機能をもたせ、受信電波強度の測定に相当する処理は、状態変化検出部１１０１にその機能を持たせるものとする。【０３３２】  また、状態変化検出部１１０１は、現在接続中のアクセスポイントＡ３４からのＤＬ−ＭＡＰ（Ｄｏｗｎｌｉｎｋ  Ｍａｐ）メッセージ（基地局ＩＤなどの情報を含む）を受信すると、受信したＤＬ−ＭＡＰメッセージの受信レベルを判定する。【０３３３】  すなわち、状態変化検出部１１０１は、制御部１１０９を介して入力されるＤＬ−ＭＡＰメッセージの受信レベルを測定し、測定した受信レベルが閾値以下となったか否かを判定する。状態変化検出部１１０１における判定は、例えば、受信したＤＬ−ＭＡＰメッセージの受信レベルを予め設定された閾値と比較することによって行う。受信レベルの閾値判定の結果、当該閾値より大きければ、制御部１１０９を介してＷｉＭＡＸインターフェース部１１０２に、現在接続しているアクセスポイントへの接続を継続させ、閾値以下であれば、制御部１１０９を介してサービスエリア情報取得部１１１２にその旨を通知する。【０３３４】  ＷｉＭＡＸインターフェース部１１０２は、サービスエリアを形成するアクセスポイントに対して信号の送受信を行う。例えば、ＷｉＭＡＸインターフェース部１１０２は、アクセスポイントから発行されたＤＬ−ＭＡＰメッセージ、サービスエリア情報を受信し、受信したＤＬ−ＭＡＰメッセージ信号、サービスエリア情報を制御部１１０９に出力する。【０３３５】  また、ＷｉＭＡＸインターフェース部１１０２は、制御部１１０９を介して入力されるサー���スエリア情報取得部１１１２からの信号を、現在接続中のアクセスポイントへ送信する。【０３３６】  また、ＷｉＭＡＸインターフェース部１１０２は、制御部１１０９を介して入力される要求ＭＡＣメッセージを、接続可能なアクセスポイントに送信する（無線ＬＡＮ通信環境におけるプローブ要求及び接続要求に相当）ともに、当該アクセスポイントからの要求ＭＡＣメッセージの応答を受けて制御部１１０９に出力する。【０３３７】  スキャニング（Ｓｃａｎｎｉｎｇ）部１１０３は、アクセスポイントＡ３０〜Ａ３６から発する電波のスキャニング処理を行い、どのアクセスポイントと通信可能であるかを把握して、通信可能であるアクセスポイントを制御部１１０９に出力する。なお、スキャニング処理とは、アクセスポイントが発する電波を無線通信装置１１００内で定義した周波数を利用して、無線区間の走査と同期の処理を行うことである。【０３３８】  レンジング（Ｒａｎｇｉｎｇ）部１１０４は、制御部１１０９を介して入力される信号を用いて、スキャニング部１１０３によって認識した送信タイミングで、接続可能なアクセスポイントに送信すべき要求ＭＡＣ（Ｍｅｄｉａ  Ａｃｃｅｓｓ  Ｃｏｎｔｒｏｌ）メッセージを制御部１１０９に出力する。【０３３９】  また、レンジング部１１０４は、制御部１１０９を介して、交換した通信能力に対するアクセスポイントのレスポンスを、制御部１１０９を介して認証処理部１１０６に出力する。【０３４０】  ベーシックケーパビリティ交換（Ｂａｓｉｃ  Ｃａｐａｂｉｌｉｔｙ  Ｅｘｃｈａｎｇｅ）部１１０５は、制御部１１０９を介して、入力されるＷｉＭＡＸインターフェース部１１０２からのアクセスポイント要求ＭＡＣメッセージの応答を受けて、応答したアクセスポイントと無線パラメータのネゴシエーションを行うことで通信能力の交換を行う。【０３４１】  認証処理部１１０６は、レンジング部からの通知を受けて、制御部１１０９及びＷｉＭＡＸインターフェース部１１０２を介して、アクセスポイントへの認証要求を行うととともにアクセスポイントからデータを暗号化するための鍵を含む認証応答を取得する。【０３４２】  また、認証処理部１１０６は、認証応答を受けて、接続実績情報更新部１１１４に対して接続実績情報３３２の更新処理を要求する。【０３４３】  優先プロファイル情報選択部１１０７は、制御部１１０９を介して入力される優先順位設定終了を示す情報を受けて、無線通信装置１１００が現在位において最も優先順位の高いプロファイル情報を選択し、記憶部１１１３から読み出す。また、優先プロファイル情報選択部１１０７は、読み出し処理を終了した後、その終了通知を、制御部１１０９を介してスキャニング部１１０３に出力する。【０３４４】  不揮発記憶部１１０８は、アクセスポイントのプロファイル情報を記憶し、この記憶したプロファイル情報の読み出し書き込みが行われる。【０３４５】  なお、プロファイル情報は、基地局ＩＤ、スキャニングに使用する周波数情報、ベーシックケーパビリティ変換に使用するデジタル変調方式などの情報を含む。つまり、アクセスポイントへの接続を行う上で必要な情報を示すもので、アクセスポイントごとに保持している情報である。【０３４６】  制御部１１０９は、ＷｉＭＡＸインターフェース部１１０２からのＤＬ−ＭＡＰメッセージの信号を状態変化検出部１１０１に出力するとともに、ＷｉＭＡＸインターフェース部１１０２からのサービスエリア情報をサービスエリア情報取得部１１１２に出力する。【０３４７】  また、制御部１１０９は、サービスエリア情報取得部１１１２から受けたアクセスポイント情報の取得要求をＷｉＭＡＸインターフェース部１１０２に対して出力する。【０３４８】  また、制御部１１０９は、プロファイル情報取得部１１１１からの信号を優先順位設定部１１１０に出力する。【０３４９】  また、制御部１１０９は、プロファイル情報取得部１１１１から入力されるプロファイル情報の読み出し終了を示す信号を優先順位設定部１１１０に出力する。【０３５０】  また制御部１１０９は、スキャニング）部１１０３から入力される通信可能なアクセスポイントをレンジング部１１０４に出力する。【０３５１】  制御部１１０９は、レンジング部１１０４からの要求ＭＡＣメッセージをＷｉＭＡＸインターフェース部１１０２に出力するとともに、ＷｉＭＡＸインターフェース部１１０２を介してアクセスポイントから入力されるアクセスポイント要求ＭＡＣメッセージの応答をベーシックケーパビリティ交換部１１０５に出力する。【０３５２】  優先順位設定部１１１０は、プロファイル読み出しの終了通知を受けて、サービスエリア情報及び接続実績情報を参照して、プロファイル情報取得部１１１１によって取得されたプロファイル情報の優先順位付けを行う。具体的には、優先順位設定部１１１０は、入力された情報から、現在接続中のアクセスポイントの近隣に位置するアクセスポイント及び周辺に位置するアクセスポイントのプロファイル情報の中から移動方向に位置するアクセスポイントのプロファイル情報を優先して順位を設定する。【０３５３】  また、優先順位設定部１１１０は、移動方向に位置するアクセスポイントへ接続するためのプロファイル情報として接続中のアクセスポイントの近隣に位置するアクセスポイントが複数ある場合、移動過程において、接続実績がないアクセスポイントを示すプロファイル情報を最も優先順位が高くなるように設定する。【０３５４】  プロファイル情報取得部１１１１は、制御部１１０９から入力されるサービスエリア情報保存確認を示す信号を受けて、記憶部１１１３に記憶された各スケジュール情報（図２９参照）を、制御部１１０９を介して読み込む。また、プロファイル情報取得部１１１１は、読み込んだ各スケジュール情報（以下「スケジュール」ともいう）に対応するプロファイル情報を、不揮発記憶部１１０８から読み出して、記憶部１１１３上に保存する。プロファイル情報取得部１１１１は、記憶部１１１３へのプロファイル情報の保存を確認し、その旨を示す信号を制御部１１０９に出力する。なお、記憶部１１１３におけるスケジュール情報の＜場所＞には、不揮発性記憶部１１０８におけるプロファイル情報の位置（アドレス）を示す位置情報（例えば、ポインタ）が関連付けされている。この位置情報を用いて、プロファイル情報取得部１１１１は、該当するプロファイル情報を不揮発性記憶部１１０８から取得する。【０３５５】  また、プロファイル情報取得部１１１１は、プロファイル情報の読み出し終了後、制御部１１０９に、優先順位設定部１１１０に通知する読み出し終了を示す信号を出力する。【０３５６】  このプロファイル情報は、アクセスポイント毎の情報であり、アクセスポイントを示す基地局ＩＤ、スキャニングに使用する周波数情報、ベーシックケーパビリティ変換に使用するデジタル変調方式などの情報を含み、アクセスポイントへの接続を行う上で必要な情報を示す。プロファイル情報は、アクセスポイントの位置情報は含まれず、不揮発性記憶部１１０８に、アクセスポイントごとに保持されている。【０３５７】  サービスエリア情報取得部１１１２は、状態変化検出部１１０１により検出される状態変化情報に基づいて、現在所属しているサービスエリアを提供しているアクセスポイントに対して、隣接、または周辺に位置しているサービスエリア情報の取得要求を制御部１１９に通知する。【０３５８】  サービスエリア情報取得部１１１２において取得要求されるサービスエリア情報は、自装置周辺に位置するアクセスポイントの情報である。例えば、サービスエリア情報はテキストベースで構成され、現在接続しているアクセスポイント、または周辺に位置するアクセスポイントの基地局ＩＤ（各アクセスポイントを特定可能なＩＤ）を示す＜アクセスポイント情報＞を含む。また、サービスエリア情報は、自装置及び現在接続しているアクセスポイントとの位置関係を示す＜位置情報＞を含む。さらにサービスエリア情報は、現在接続しているアクセスポイントであることを示す＜接続アクセスポイント＞、現在接続しているアクセスポイントに隣接しているアクセスポイントの情報を示す＜隣接アクセスポイント＞、及び隣接しているアクセスポイントを除く、周辺のアクセスポイントの情報を示す＜周辺アクセスポイント＞を含む。【０３５９】  また、サービスエリア情報取得部１１１２は、制御部１１０９を介して取得したサービスエリア情報を、制御部１１０９を介して記憶部１１１３に保存し、取得したサービスエリア情報の保存を確認して、取得したサービスエリア情報の保存確認を示す信号を、制御部１１０９を介してプロファイル情報取得部１１１１へ出力する。【０３６０】  記憶部１１１３は、スケジュール情報及び取得したサービスエリア情報を読み出し自在に保存する。【０３６１】  ここでは、スケジュール情報は、予定している時間を示す＜時刻＞と、＜時刻＞に位置する待ち合わせ場所や移動先の場所を示す＜場所＞の情報とを有し、記憶部１１１３にスケジュールテーブルとして保存される。また、スケジュール情報における＜場所＞には、当該＜場所＞が示す場所において接続先として優先させるアクセスポイントを示す情報が関連付けられ、＜場所＞を参照して＜場所＞にリンクされたアクセスポイント情報を読み出し可能となっている。【０３６２】  また、サービスエリア情報は、接続先のアクセスポイントを含む無線通信装置（携帯端末）１０００の周辺に位置するアクセスポイントの情報を示す。例えば、サービスエリア情報は、接続先のアクセスポイントを示すアクセスポイント情報と、接続先のアクセスポイントに隣接するアクセスポイントを示すアクセスポイン��情報と、接続先のアクセスポイントの周辺に位置するアクセスポイントを示すアクセスポイント情報とをそれぞれ位置情報に関連付けて備える。【０３６３】  また、記憶部１１１３は、スケジュールテーブルにおける＜場所＞の情報が一次元配列で管理する。個々の配列には、不揮発性記憶部１１０８に格納されているプロファイル情報へのアドレスへのポインタが関連付けて保存される。【０３６４】  さらに記憶部１１１３は、無線通信装置１１００が現在時刻よりも過去に接続したアクセスポイントの接続情報である接続実績情報を記憶する。【０３６５】  接続実績情報は、アクセスポイントへ接続が発生した時刻の順に、接続が発生した＜時刻＞と、その時刻の接続先の＜基地局ＩＤ＞とが関連付けられて構成されている（図３３参照）。この接続実績情報は、ＷｉＭＡＸインターフェース部１００２を介して接続先のアクセスポイントから通知（ここでは、ＷｉＭＡＸ通信においてアクセスポイントから送信される鍵を含む認証応答）を受けたタイミングで接続実績情報更新部１１１４によって更新される。【０３６６】  接続実績情報更新部１１１４は、制御部１１０９を介して認証処理部１１０６からの通知を受けて、記憶部１１１３に記憶される接続実績情報へ現在時刻と、認証に成功したアクセスポイントの基地局ＩＤについて登録処理を行う。具体的には、接続実績情報更新部１１１４は、記憶部１１１３から接続実績情報を読み出して、この読み出した接続実績情報に対して、認証処理に成功したアクセスポイントの基地局ＩＤと無線通信システム９００から取得した現在時刻を記録する。【０３６７】  次に、本発明の実施の形態４に係る無線通信装置１１００の接続方法について説明する。【０３６８】  図２８は、本発明の実施の形態４に係る無線通信装置におけるアクセスポイント接続を説明するフローチャートである。【０３６９】  無線通信装置１１００は、異なるサービスエリア間を移動しながら、スケジュール情報、接続実績情報等を用いて、各サービスエリアに存在するアクセスポイントへの接続を行う。【０３７０】  ここでは、図２６に示す無線通信システム９００において、無線通信装置１１００が、記憶部１１１３に格納されたスケジュール情報を含むスケジュールテーブルに従って、サービスエリアＥ２１、Ｅ２２、Ｅ２３の順に移動する場合のアクセスポイント接続を例にして説明する。【０３７１】  図２９は、無線通信装置の備えるスケジュールテーブルの一例を示す図である。【０３７２】  図２９に示すスケジュールテーブル９１０は、移動先の＜場所＞及びその＜場所＞に位置する予定の＜時刻＞が関連付けられたスケジュールＤ１１〜Ｄ１７を備えている。【０３７３】  具体的には、無線通信装置１１００は、無線通信システム９００（図２６参照）において、スケジュールテーブル（スケジュール情報）９１０（図２９参照）のスケジュールＤ１１の時刻１２：００にサービスエリアＥ２１へ到達しアクセスポイントＡ３０へ接続して通信を行い、その後、移動してスケジュールＤ１５の時刻１４：４０にサービスエリアＥ２２へ到達しており、現在は、アクセスポイントＡ３４へ接続しているものとする。そして、無線通信装置１１００は、さらに移動してス���ジュールＤ１６の時刻１５：００にサービスエリアＥ２３へ移動を行う予定とする。【０３７４】  無線通信装置１１００では、現在接続中のアクセスポイントＡ３４により発行された基地局ＩＤなどの情報を含むＤＬ−ＭＡＰメッセージが、ＷｉＭＡＸインターフェース部１１０２により受信され、制御部１１０９を介して状態変化検出部１１０１へ通知される。【０３７５】  無線通信装置１１００では、状態変化検出部１１０１は、現在接続中のアクセスポイントＡ３４から受信した基地局ＩＤなどの情報を含むＤＬ−ＭＡＰメッセージの受信レベル（接続受信レベル）を測定する（ステップＳ５０）。【０３７６】  また、状態変化検出部１１０１は、測定したＤＬ−ＭＡＰメッセージ（現在接続中のアクセスポイントＡ３４から受信した、基地局ＩＤなどの情報を含む）の受信レベルが閾値以下となったかを判定する（ステップ５１）。【０３７７】  閾値より大きければ、ステップＳ５０に戻り、閾値以下であれば、状態変化検出部１１０１は、その旨を示す信号を、制御部１１０９を介してサービスエリア情報取得部１１１２に出力する。【０３７８】  すなわち、ステップＳ５１では、通知を受けた状態変化検出部１１０１は、ＤＬ−ＭＡＰメッセージの受信レベルを測定し、測定した受信レベルが閾値以下となったかを判定する。受信レベルの閾値判定の結果、当該閾値以上であれば現在接続しているアクセスポイントＡ３４への接続を継続させ、閾値以下であれば、制御部１１０９を介してサービスエリア情報取得部１１１２にその旨を通知する。【０３７９】  制御部１１０９を介して状態変化検出部１１０１からの通知を受けたサービスエリア情報取得部１１１２は、現在所属しているサービスエリアを提供しているアクセスポイント（ここではアクセスポイントＡ３４）に対して、隣接、または周辺に位置しているサービスエリア情報の取得要求を行って、サービスエリア情報を取得する（ステップ５２）。【０３８０】  なお、サービスエリア情報を取得すると、サービスエリア情報取得部１１１２は、サービスエリア情報取得確認を示す信号を、制御部１１０９を介してプロファイル情報取得部１１１１に出力する。【０３８１】  具体的に、ステップＳ５２では、制御部１１０９からの通知を受けたサービスエリア情報取得部１１１２は、現在所属しているサービスエリアを提供しているアクセスポイントＡ３４に対して、隣接、または周辺に位置しているアクセスポイント情報の取得要求を制御部１１０９、ＷｉＭＡＸインターフェース部１１０２を介して通知する。通知を受けた制御部１１０９は、サービスエリア情報の取得要求をＷｉＭＡＸインターフェース部１１０２に対して出力する。ＷｉＭＡＸインターフェース部１１０２は、サービスエリア情報取得部１１１２によって出力された信号を、アクセスポイントＡ３４へ送信する。サービスエリア情報の取得要求を受けたアクセスポイントＡ３４は、近隣に位置するアクセスポイントの情報を通知する近隣接続情報通知部を使って、無線通信装置へサービスエリア情報を送信する。具体的には、サービスエリア情報要求受付部で、無線通信装置１１００（詳細には図２７に示すサービスエリア情報取得部１１１２）からのサービスエリア情報取得要求を受ける。アクセスポイントでは、サービスエリア情報取得要求を受けると、記憶部から、サービスエリア情報要求元の無線通信装置１１００が現在位置するサービスエリア及び現在位置するサービスエリアとは異なる近隣のサービスエリアを構成するアクセスポイントを示すサービスエリア情報（当該アクセスポイントが形成するサービスエリア、当該サービスエリアに隣接するサービスエリア及び周辺のサービスエリアのそれぞれに属するアクセスポイント）を読み出し、近隣接続情報通知部を介して、サービスエリア情報要求元の無線通信装置１１００に送信する。【０３８２】  アクセスポイントＡ３４から送信されたサービスエリア情報は、無線通信装置１１００のＷｉＭＡＸインターフェース部１１０２によって受信され、受信した信号は制御部１１０９を介してサービスエリア情報取得部１１１２へ通知される。サービスエリア情報取得部１１１２は、取得したサービスエリア情報を記憶部１１１３に保存し、取得したサービスエリア情報の保存を確認するとその旨が制御部１１０９を介してプロファイル情報取得部１１１１へ通知される。【０３８３】  ここで、取得するサービスエリア情報のデータ構造について説明する。【０３８４】  図３０は、アクセスポイントから取得して記憶部１１１３に保存されるサービスエリア情報の一例を示す図である。【０３８５】  図３０に示すサービスエリア情報取得部１１１２によって取得されるサービスエリア情報３３０、３３１は、無線通信装置１１００の周囲に位置するアクセスポイントの情報を示す。これらサービスエリア情報３３０、３３１は、本実施の形態ではテキストベースで構成され、サービスエリア情報取得部１１１２により少なくとも一方が取得されるものとする。【０３８６】  図３０Ａに示す第１サービスエリア情報３３０は、＜アクセスポイント情報＞と＜位置情報＞の二種類の情報を含む。【０３８７】  ＜アクセスポイント情報＞は、現在接続しているアクセスポイント、または周辺に位置するアクセスポイントの基地局ＩＤ（各アクセスポイントを特定可能なＩＤ）を示し、＜位置情報＞は現在接続しているアクセスポイントとの位置関係を示す。【０３８８】  ここでは、サービスエリア情報３３０における現在接続中のアクセスポイントの位置情報を「０（ゼロ）」で示す。また、サービスエリア情報３００において、マイナスの符号が付けられている位置情報は、接続中のアクセスポイントから数えて整数個分、移動方向とは逆の後方に位置するアクセスポイントを示す。例えばＡ３４に対応付けられた＜位置情報＞「−１」は、移動方向とは逆の後方に位置するアクセスポイントであり、現在接続中のアクセスポイントに対して一つ隣のアクセスポイントであることを示す。【０３８９】  さらに第１サービスエリア情報３３０において、整数で示す＜位置情報＞は、接続先のアクセスポイントから整数個分、移動方向に位置するアクセスポイントを示す。例えば、Ａ３５に対応付けられた＜位置情報＞「１」は、現在接続中のアクセスポイントＡ３４の一つ隣のアクセスポイントＡ３５であることを示す。【０３９０】  また、図３０Ｂに示す第２サービスエリア情報３３１は、第１サービスエリア情報３３０と異なり、ここでは、＜接続アクセスポイント＞、＜隣接アクセスポイント＞及び＜周辺アクセスポイント＞の三種類の情報を有する。【０３９１】  第２サービスエリア情報３３１は、＜接続アクセスポイント＞によって、現在接続しているアクセスポイントとして基地局ＩＤ「Ａ３４」のアクセスポイントを示している。また、＜隣接アクセスポイント＞によって、現在接続しているアクセスポイントに隣接しているアクセスポイントとして基地局ＩＤ「Ａ３３」、「Ａ３５」のアクセスポイントを示している。また、＜周辺アクセスポイント＞によって、隣接しているアクセスポイントを除く、周辺のアクセスポイントとして基地局ＩＤ「Ａ３０」、「Ａ３１」、「Ａ３２」、「Ａ３６」を示している。なお、これら＜接続アクセスポイント＞、＜隣接アクセスポイント、＜周辺アクセスポイント＞で示すアクセスポイントは、それぞれ上述した所定の異なるサービスエリアを形成している。【０３９２】  このような第１サービスエリア情報３３０及び第２サービスエリア情報３３１の一方がサービスエリア情報取得部１１１２により取得される。【０３９３】  これら第１サービスエリア情報３３０及び第２サービスエリア情報３３１の一方がサービスエリア情報取得部１１１２により取得されて記憶部１１１３に保存されると、サービスエリア情報とともに保存確認を示す信号が、制御部１１０９を介してプロファイル情報取得部１１１１に入力される。【０３９４】  制御部１１０９を介してサービスエリア情報取得部１１１２からの信号を受けたプロファイル情報取得部１１１１は、取得したサービスエリア情報のアクセスポイントに対応するプロファイル情報を、予め記憶部１１１３に記憶されたスケジュール情報（ここでは、図２９に示すスケジュールＤ１１、Ｄ１２、Ｄ１３、Ｄ１４、Ｄ１５、Ｄ１６、Ｄ１７等）を用いて、不揮発記憶部１１０８から読み出す。【０３９５】  加えて、プロファイル情報取得部１１１１は、その後、記憶部１１１３上にプロファイル情報を保存する。プロファイル情報が記憶部１１１３に保存されると、その旨が制御部１１０９を介して優先順位設定部１１１０へ通知される（ステップ５３）。【０３９６】  図３１は、本実施の形態４の無線通信装置において、プロファイル情報取得部が、不揮発性記憶部から読み込むプロファイル情報の一例を示す図である。なお、図３１に示すプロファイル情報Ｐ４０、Ｐ４１、Ｐ４２、Ｐ４３、Ｐ４４、Ｐ４５、Ｐ４６は、ここでは、スケジュール情報に対応している。【０３９７】  図３１に示すプロファイル情報は、例えば、テキストベースで構築され、サービスエリアを構成する各アクセスポイントである基地局Ａ３０〜Ａ３６の各プロファイル情報をプロファイル情報Ｐ４０〜Ｐ４６で示している。【０３９８】  図３１では、プロファイル情報Ｐ４０は、サービスを提供しているアクセスポイントを特定するための基地局ＩＤとしての「Ａ３０」、スキャニングに使用する周波数「２．５ＧＨｚ」及びベーシックケーパビリティ変換に使用するデジタル変調方式「ＯＦＤＭ」、「ＢＰＳＫ」を有する。なお、基地局ＩＤ「Ａ３０」が示すアクセスポイントは、サービスエリアＥ２１に属する。同様に、プロファイル情報Ｐ４１は、サービス��提供しているアクセスポイントを特定するための基地局ＩＤとしての「Ａ３１」、スキャニングに使用する周波数「２．５ＧＨｚ」及びベーシックケーパビリティ変換に使用するデジタル変調方式「ＯＦＤＭ」を有する。なお、基地局ＩＤ「Ａ３０」、「Ａ３１」が示すアクセスポイントは、サービスエリアＥ２１に属する。以下、同様にプロファイル情報Ｐ４２〜Ｐ４６は、基地局ＩＤ、スキャニングに使用する周波数情報、ベーシックケーパビリティ変換に使用するデジタル変調方式などの情報を有している。【０３９９】  ステップＳ５３では、プロファイル情報取得部１１１１は、スケジュールテーブル９１０のスケジュール情報（例えばスケジュールＤ１１〜Ｄ１７）に設定の＜場所＞を参照することで、＜場所＞にリンクされた情報を読み出す。【０４００】  図３２は、プロファイル情報取得部によるスケジュールテーブルを用いたプロファイル情報の読み出しの説明に供する図である。【０４０１】  図３２のように、記憶部１１１３では、スケジュールテーブルにおける＜場所＞の情報が一次元配列で管理され、個々の配列に、不揮発性記憶部１１０８に格納されているプロファイル情報へのアドレスへのポインタが関連付けられている。また、記憶部１１１３は、各スケジュールに対してアドレス「１０００ａ」、「１００２ａ」、「１００４ａ」、「１００６ａ」、「１００８ａ」、「１０１０ａ」、「１０１２ａ」を付与して保存している。【０４０２】  これにより、プロファイル情報取得部１１１１は、記憶部１１１３のスケジュールにおける＜場所＞を読み出すことで、読み出した＜場所＞に関連付けられているポインタを用いて不揮発性記憶部１１０８から、ポインタの示すアドレスのプロファイル情報を読み出すことができる。【０４０３】  以上のようなプロファイル情報取得部１１１１による、プロファイル情報の読み出し終了後、プロファイル情報取得部１１１１は、制御部１１０９を介して、優先順位設定部１１１０に読み出し終了を通知する。【０４０４】  プロファイル読み出しの終了通知を受けた優先順位設定部１１１０は、サービスエリア情報及び接続実績情報を参照して、プロファイル情報取得部１１１１によって取得されたプロファイル情報の優先順位付けを行う（ステップ５４）。【０４０５】  ステップＳ５４におけるプロファイル情報の優先順位設定処理では、サービスエリア情報取得部１１１２が第１サービスエリア情報３３０を取得した場合と、第２サービスエリア情報３３１を取得した場合とで異なる設定方法が用いられる。【０４０６】  ＜第１サービスエリア情報３３０を取得した場合＞
優先順位設定部１１１０は、始めに、サービスエリア情報取得部１１１２より取得された第１サービスエリア情報３３０（図３０Ａを参照）を利用して、使用する可能性の高い順にプロファイル情報の選定を行う。【０４０７】  サービスエリア情報取得部１１１２により取得された第１サービスエリア情報３３０には、アクセスポイントを特定可能な基地局ＩＤと、その基地局ＩＤを有するアクセスポイントの位置情報が記載されており、位置情報を参照することで移動方向に位置するアクセスポイントで最も近隣にあるアクセスポイントを特定する。この場合、位置情報が１となっている基地局ＩＤ「Ａ３５」を有するアクセスポイントが最も接続する可能性の高いアクセスポイントであると特定する。よって、優先順位設定部１１１０は、基地局ＩＤ「Ａ３５」が記載されているプロファイル情報Ｐ４５を最も優先順位の高いプロファイル情報として設定する。【０４０８】  次に、優先順位設定部１１１０は、サービスエリア情報３３０を参照し、基地局ＩＤ「Ａ３６」を有するアクセスポイントを移動方向に位置するアクセスポイントの中で、二番目に接続可能性が高いアクセスポイントと判断する。よって、基地局ＩＤ「Ａ３６」が記載されているプロファイル情報Ｐ４５を二番目に優先順位の高いプロファイル情報として設定する。このように移動方向に位置するアクセスポイントへ接続するためのプロファイル情報への優先順位付けが終了すると、残りのプロファイル情報についても優先順位の設定処理を行う。【０４０９】  また、優先順位設定部１１１０は、現在の位置情報から近い順に、移動方向とは逆の方向に位置するアクセスポイントへの接続に必要なプロファイル情報の優先順位付けを行う。この場合、サービスエリア情報３３０の位置情報より、現在位置から近い順に基地局ＩＤを並べると、「Ａ３４」→「Ａ３３」→「Ａ３２」→「Ａ３１」→「Ａ３０」となること判断する。よって、優先順位設定部１１１０は、各基地局ＩＤ「Ａ３４」、「Ａ３３」、「Ａ３２」、「Ａ３１」、「Ａ３０」の情報が記載されているプロファイル情報の優先順位付けを降べきの順で行い、Ｐ４４→Ｐ４３→Ｐ４２→Ｐ４１→Ｐ４０と優先順位付けする。【０４１０】  以上のように、優先順位設定部１１１２が第１サービスエリア情報３３０を利用したプロファイル情報の優先順位設定処理を行う場合、アクセスポイントＡ３４から取得したサービスエリア情報３３０に記載のアクセスポイント情報、位置情報を利用することで、プロファイル情報（図３１参照）へ優先順位を設定する。【０４１１】  本実施の形態における状況では、無線通信装置１１００では、優先順位設定部１１１０は、プロファイル情報Ｐ４０、Ｐ４１、Ｐ４２、Ｐ４３、Ｐ４４、Ｐ４５、Ｐ４６に対してプロファイル情報Ｐ４５→Ｐ４６→Ｐ４４→Ｐ４３→Ｐ４２→Ｐ４１→Ｐ４０と接続先の優先順位を設定する。【０４１２】  ＜第２サービスエリア情報３３１を取得した場合＞
優先順位設定部１１１０は、始めに、サービスエリア情報取得部１１１２により取得された第２サービスエリア情報３３１を利用して、使用する可能性の高いプロファイル情報の選定を行う。【０４１３】  サービスエリア情報取得部１１１２により取得された第２サービスエリア情報には、アクセスポイントを特定可能な基地局ＩＤが記載されている。【０４１４】  優先順位設定部１１１０は、次に接続する可能性の高い隣接するアクセスポイントの基地局ＩＤ、つまり、＜隣接アクセスポイント＞に属する基地局ＩＤを読み出し、該当する基地局ＩＤが関連付けられたプロファイル情報の選択を行う。図３０Ａに示す第２サービスエリア情報３３１では、隣接するアクセスポイントの基地局ＩＤは、「Ａ３３」、「Ａ３５」となる。よって、基地局ＩＤ「Ａ３３」、「Ａ３５」が関連付けられたプロファイル情報Ｐ４３、Ｐ４５が、使用される可能性の高いプロファイル情報として不揮発記憶部１１０８から選択される。【０４１５】  次に、優先順位設定部１１１０は、記憶部１１１３に記憶された接続実績情報の参照を行いプロファイル情報の最終的な優先順位を決定する。【０４１６】  図３３は、記憶部に記憶された接続実績情報の一例を示す図であり、図３３に示す接続実績情報テーブル３３２では、無線通信装置１１００が現在時刻よりも過去に接続したアクセスポイントの情報（過去にアクセスポイントに接続した＜時刻＞及びその＜時刻＞における接続先の＜基地局ＩＤ＞）が、接続の発生した時刻の順に格納されている。例えば、図３３の接続実績情報テーブル３３２では、＜時刻＞１２：００、＜基地局ＩＤ＞Ａ３０と記載されている場所は、時刻１２：００に基地局ＩＤ「Ａ３０」のアクセスポイントへ接続があったことを示している。【０４１７】  このように構成された接続実績情報テーブル３３２を、記憶部１１１３から読み出すことによって、優先順位設定部１１１０は、移動過程における基地局ＩＤ「Ａ３０」、「Ａ３１」、「Ａ３２」、「Ａ３３」、「Ａ３４」を有するアクセスポイントへ接続したことを判断できる。つまり、優先順位設定部１１１０は、基地局ＩＤ「Ａ３０」、「Ａ３１」、「Ａ３２」、「Ａ３３」、「Ａ３４」を有するプロファイル情報は、無線通信装置１１００の移動過程において既に使用されたものであると判断し、基地局ＩＤ「Ａ３０」を有するアクセスポイントＡ３０、基地局ＩＤ「Ａ３１」を有するアクセスポイントＡ３１、基地局ＩＤ「Ａ３２」を有するアクセスポイントＡ３２、基地局ＩＤ「Ａ３３」を有するアクセスポイントＡ３３、基地局ＩＤ「Ａ３４」を有するアクセスポイントＡ３４へ接続するために必要なプロファイル情報の優先順位を低いと判断する。【０４１８】  以上のことから、優先順位設定部１１１０は、最も接続可能性の高いアクセスポイントは、移動過程において接続実績がなく、かつ隣接するアクセスポイントＡ３５（基地局ＩＤ「Ａ３５」を有するアクセスポイント）であることを特定し、基地局ＩＤ「Ａ３５」が記載されているプロファイル情報Ｐ４５を最も優先順位の高いプロファイル情報として設定する。【０４１９】  次に、優先順位設定部１１１０は、二番目に優先順位の高いプロファイル情報を決定する。具体的���は、優先順位設定部１１１０は、周辺に位置するアクセスポイント（図３０Ｂの第２サービスエリア情報３３１に記載の＜周辺アクセスポイント＞）であり、かつ接続実績情報３３２（図３３参照）に記録されていないアクセスポイントの特定を行う。【０４２０】  ここでは、優先順位設定部１１１０は、第２サービスエリア情報３３１（図３０８参照）及び接続実績情報テーブル３３２（図３３参照）を用いて、基地局ＩＤ「Ａ３６」を有するアクセスポイントが条件に合致したアクセスポイントであると判断し、基地局ＩＤ「Ａ３６」が記載されているプロファイル情報Ｐ４６を２番目に優先順位の高いプロファイル情報として設定する。【０４２１】  次に優先順位設定部１１１０は、第２サービスエリア情報３３１（図３０Ｂ参照）及び接続実績情報テーブル３３２（図３３参照）を用いて、現在接続中のアクセスポイントＡ３４への接続に使用したプロファイル情報Ｐ４４、その他、過去に使用したプロファイル情報Ｐ４０、Ｐ４１、Ｐ４２、Ｐ４３の優先順位設定処理を行う。【０４２２】  ここでは、優先順位設定部１１１０では、無線通信装置１１００が現在位置している地点Ｍ２２からさらに移動する状況を考えた場合、過去に使用したプロファイル情報であるほど、使用される可能性は低いと判断される。よって、優先順位設定部１１１０は、最近使われたプロファイル情報から順に優先順位付けを行う。【０４２３】  優先順位設定部１１１０は、記憶部１１１３から接続実績テーブル（接続実績情報）３３２の読み出しを行い、現在時刻から近い順に＜基地局ＩＤ＞の読み出しを行う。読みだした＜基地局ＩＤ＞を利用して、記憶部１１１３からプロファイル情報を読み出し、優先順位付けを行う。つまり、接続実績情報３３２から読みだされた基地局ＩＤの順番で、その基地局ＩＤが記載されているプロファイル情報へ優先順位が設定される。【０４２４】  例えば、優先順位設定部１１１０は、接続実績情報３３２を用いて、最近接続したアクセスポイントの基地局ＩＤの読み出しを行う。この場合、＜時刻＞１４：４０と、この＜時刻＞に接続した基地局ＩＤ「Ａ３４」を読み出すこととなる。【０４２５】  優先順位設定部１１１０は、読みだした基地局ＩＤ「Ａ３４」を有するプロファイル情報Ｐ４４を不揮発性記憶部１１０８から読み出し、過去に使用されたプロファイル情報の中で最も優先順位の高いプロファイル情報として設定する。【０４２６】  優先順位設定部１１１０は、同様にして、プロファイル情報Ｐ４３、Ｐ４２、Ｐ４１、Ｐ４０にも優先順位を設定し、先に優先順位付けしたプロファイル情報Ｐ４５、Ｐ４６を含めて、最終的には、プロファイル情報Ｐ４５→Ｐ４６→Ｐ４４→Ｐ４３→Ｐ４２→Ｐ４１→Ｐ４０と優先順位を設定する。【０４２７】  以上のように優先順位付けを行った後、優先順位設定部１１１０は、制御部１１０９を介して優先プロファイル情報選択部１１０７へ優先順位設定終了を通知する。【０４２８】  優先順位設定終了を受けて、優先プロファイル情報選択部１１０７は、優先順位の最も高いプロファイル情報Ｐ４３を選択し、記憶部１１１３から読み出す（ステップ５５）。【０４２９】  優先プロファイル情報選択部１１０７によるプロファイ��情報の読み出しが終了すると、優先プロファイル情報選択部１１０７の終了通知が、制御部１１０９を介して、スキャニング部１１０３へ通知される。【０４３０】  スキャニング部１１０３は、基地局から発する電波のスキャニング処理を行う（ステップ５６）。【０４３１】  ステップＳ５６では、無線通信装置１１００は、スキャニング部１１０３においてプロファイル情報（例えば最優先順位付けられたＡ３５）に記述されている周波数情報、デジタル変調方式情報を利用して、無線区間の走査及び同期処理を行い、当該プロファイル情報が示すアクセスポイント（例えばアクセスポイントＡ３５）と通信が可能であるかを判定する。ここで、通信が不可能であると判断された場合、ステップ５５へ戻り次の優先順位を設定するためにプロファイル情報の選択を行う。【０４３２】  具体的には、接続先としたアクセスポイント（例えば、アクセスポイントＡ３５）から発する電波には、様々なパラメータ（周波数情報、基地局ＩＤ、デジタル変調方式、送信タイミングなどのパラメータ）が含まれており、ＷｉＭＡＸインターフェース部１１０２により受信された上記パラメータは、制御部１１０９を介して、スキャニング部１１０３へ通知される。【０４３３】  スキャニング部１１０３は、優先プロファイル情報選択部１１０７によって優先順位の順に選択されたプロファイル情報（例えば、プロファイル情報「Ｐ４５」）に記述されている周波数情報、基地局ＩＤ、デジタル変調方式が一致しているかの確認を行い、一致する場合はアクセスポイントＡ３５との通信が可能であると判断する。プロファイル情報（例えば、プロファイル情報「Ｐ４５」）に記載の情報と一致しない場合は、ステップ５４へ戻り次の優先順位付けするプロファイル情報の選択を行う。【０４３４】  スキャニング部１１０４におけるスキャニング処理の結果、アクセスポイントＡ３５との通信が可能であると判断された場合、制御部１１０９を介してレンジング部１１０４へその旨を通知する。【０４３５】  スキャニング部１１０３の通知を受けたレンジング部１１０４は、スキャニング部１１０４によって認識した送信タイミングで、無線ＬＡＮ通信環境におけるプローブ要求及び接続要求に相当する要求ＭＡＣ（Ｍｅｄｉａ  Ａｃｃｅｓｓ  Ｃｏｎｔｒｏｌ）メッセージの送信を行う。送信された要求ＭＡＣメッセージは、制御部１１０９を介してＷｉＭＡＸインターフェース部１１０２へ出力される。ＷｉＭＡＸインターフェース部１１０２は、出力された要求ＭＡＣメッセージをアクセスポイントＡ３３へ送信する。【０４３６】  アクセスポイント要求ＭＡＣメッセージの応答は、ＷｉＭＡＸインターフェース部１１０２を介して制御部１１０９へ通知される。すなわち、アクセスポイント要求ＭＡＣメッセージの応答有りの通知を受けた制御部１１０９は、レンジング良好と判断（ステップＳ５７）し、その旨をベーシックケーパビリティ交換部１１０５へ通知する。【０４３７】  ベーシックケーパビリティ交換部１１０５は、アクセスポイント（例えばアクセスポイントＡ３５）と無線パラメータのネゴシエーションを行うことで通信能力の交換を行う（ステップ５８）。【０４３８】  具体的には、無線通信装置１１００���通信を行う際に、どのような変調方式を使用するか、またはどの周波数帯域を使用するかなどの情報を含むパラメータを、プロファイル情報Ｐ４３から読み出しＷｉＭＡＸインターフェース部１１６２へ出力する。ＷｉＭＡＸインターフェース部１１０２は、出力された上記パラメータをアクセスポイント（例えばアクセスポイントＡ３５）へ送信する。アクセスポイント（例えばアクセスポイントＡ３５）では、受信した上記パラメータの情報を解析し、それが許可できる機能であるかどうかを判断する。許可できる場合はその旨をレスポンスとして返し、許可できない場合は、許可できるパラメータを決定し、その情報をレスポンスとして送信する。【０４３９】  次の接続先と予測したアクセスポイント（例えばアクセスポイントＡ３５）からのレスポンスは、無線通信装置１１００のＷｉＭＡＸインターフェース部１１０２により受信され、制御部１００９を介して、レンジング部１１０４へ通知される。アクセスポイントＡ３３からのレスポンスがあったレンジング部１１０４は、制御部１１０９を介して認証処理部１１０６へその旨を通知する。【０４４０】  レンジング部１１０４からの通知を受けた認証処理部１１０６は、アクセスポイントＡ３３への認証要求を行い、アクセスポイント（例えばアクセスポイントＡ３５）からデータを暗号化するための鍵を取得する（ステップＳ５９）。【０４４１】  具体的には、認証処理部１１０６は、無線通信装置１１００が保持する暗号化アルゴリズムを記述したＸ．５０９証明書を、ＷｉＭＡＸインターフェース部１１０２を介してアクセスポイント（例えばアクセスポイントＡ３５）へ送信する。上記証明書を受信した、アクセスポイント（例えばアクセスポイントＡ３５）は、無線通信装置１１００の属性をチェックし、使用する暗号化アルゴリズムとプロトコルを決定する。そして、無線通信装置１１００で使用する鍵が含まれた認証応答を返す。認証応答は、ＷｉＭＡＸインターフェース部１１０２、制御部１１０９を介して、認証処理部１１０６へ通知される。【０４４２】  制御部１１０９からの通知を受けた認証処理部１１０６は、接続実績情報更新部１１１４に対して接続実績情報３３２の更新処理を要求する。【０４４３】  接続実績情報更新部１１１４は、制御部１１０９を介して認証処理部１１０６から更新処理要求の通知を受け取ると、接続実績情報３３２へ現在時刻と、認証に成功したアクセスポイントの基地局ＩＤについて登録処理を行う（ステップＳ６０）。【０４４４】  具体的には、認証処理部１１０６からの通知を受信した接続実績情報更新部１１１４は、記憶部１１１３から読み出した接続実績情報３３２に対して、認証処理に成功したアクセスポイントの基地局ＩＤとシステムから取得した現在時刻を接続実績情報３３２へ記録する。【０４４５】  以上のように、本実施の形態４の無線通信装置１１００によれば、サービスエリア情報、接続実績情報に基づいたプロファイル情報の優先順位付けを行うことで、スケジュールによる移動過程において、予め設定した所望のアクセスポイントへの接続要求を行うだけでよく、当該アクセスポイントへ迅速な接続を行うことができ且つ消費電力の低減を図ることができる。【０４４��】  なお、実施の形態４の無線通信装置（携帯端末）１１００における優先順位設定部１１１０におけるプロファイル情報の優先順位付けは、無線通信装置２００を備える無線通信システム１００、無線通信装置５００を備える無線通信システム４００及び無線通信装置（携帯端末）８００を備える無線通信システム７００についても適用できる。【０４４７】  この場合、各無線通信システム１００、４００、７００における無線通信装置２００、５００、８００において、優先順位設定部２１１、５０４、８０８と優先順位設定部１１１０とを置き換える。加えて、各無線通信装置２００、５００、８００において、接続実績情報更新部１１１４を追加し、更に、各サービスエリア情報取得部２０４、８１２において、図３０に示す第１サービスエリア情報３３０、第２サービスエリア情報３３１を取得可能な構成とする。【０４４８】  なお、ここでは、本発明をハードウェアで構成する場合を例にとって説明したが、本発明をソフトウェアで実現することも可能である。例えば、本発明に係るアクセスポイントの接続方法のアルゴリズムをプログラム言語によって記述し、このプログラムをメモリに記憶しておいて情報処理手段によって実行させることにより、本発明に係る無線通信装置と同様の機能を実現することができる。【０４４９】  ２００７年３月１５日出願の特願２００７−６７６３９の日本出願に含まれる明細書、図面および要約書の開示内容は、すべて本願に援用される。
【産業上の利用可能性】
【０４５０】  本発明に係る無線通信装置及びアクセスポイントへの接続方法は、異なるサービスエリア間を移動する際に、無駄な電力を消費することなく迅速に移動先サービスエリアのアクセスポイントへ接続を可能とする効果を有し、携帯無線通信端末として有用である。
【図１】
2008111319.tif 000003
【図２】
2008111319.tif 000004
【図３】
2008111319.tif 000005
【図４】
2008111319.tif 000006
【図５】
2008111319.tif 000007
【図６】
2008111319.tif 000008
【図７】
2008111319.tif 000009
【図８】
2008111319.tif 000010
【図９】
2008111319.tif 000011
【図１０】
2008111319.tif 000012
【図１１】
2008111319.tif 000013
【図１２】
2008111319.tif 000014
【図１３】
2008111319.tif 000015
【図１４】
2008111319.tif 000016
【図１５】
2008111319.tif 000017
【図１６】
2008111319.tif 000018
【図１７】
2008111319.tif 000019
【図１８】
2008111319.tif 000020
【図１９】
2008111319.tif 000021
【図２０】
2008111319.tif 000022
【図２１】
2008111319.tif 000023
【図２２】
2008111319.tif 000024
【図２３】
2008111319.tif 000025
【図２４】
2008111319.tif 000026
【図２５】
2008111319.tif 000027
【図２６】
2008111319.tif 000028
【図２７】
2008111319.tif 000029
【図２８】
2008111319.tif 000030
【図２９】
2008111319.tif 000031
【図３０】
2008111319.tif 000032
【図３１】
2008111319.tif 000033
【図３２】
2008111319.tif 000034
【図３３】
2008111319.tif 000035
【手続補正書】
【提出日】平成21年6月19日(2009.6.19)
【手続補正１】
【補正対象書類名】特許請求の範囲
【補正対象項目名】全文
【補正方法】変更
【補正の内容】
【特許請求の範囲】
【請求項１】
接続中のアクセスポイントからの信号の接続受信状態の変化を検出する状態変化検出手段と、
現在位置するサービスエリア及び現在位置するサービスエリアの近隣に存在し、当該現在位置するサービスエリアとは異なるサービスエリアを構成するアクセスポイントへの接続に必要なプロファイル情報を取得するプロファイル情報取得手段と、
現在位置するサービスエリアにおいて、前記プロファイル情報取得手段より取得されたプロファイル情報に対して、次の接続先となるアクセスポイントを示すプロファイル情報として、優先順位付けを行う優先順位設定手段と、
優先順位の最も高いプロファイル情報を選択する優先プロファイル情報選択手段と、
前記状態変化検出手段によって一定値より低い接続受信レベルが検出された場合、優先順位付けされたプロファイル情報から前記優先プロファイル情報選択手段によって選択された優先順位の最も高いプロファイル情報が示すアクセスポイントへ接続要求を行う接続手段と、
を有する無線通信装置。
【請求項２】
現在位置するサービスエリア及び現在位置するサービスエリアとは異なる近隣のサービスエリアを構成するアクセスポイントを示すサービスエリア情報を、接続中のアクセスポイントから取得するサービスエリア情報取得手段を更に備え、
前記プロファイル情報取得手段は、前記接続先のアクセスポイントから取得したサービスエリア情報のアクセスポイントに対応するアクセスポイントへの接続に必要なプロファイル情報を取得する請求項１記載の無線通信装置。
【請求項３】
前記サービスエリア情報取得手段は、前記接続手段を介して現在接続しているサービスエリアに存在するアクセスポイントへ情報取得要求を行って、近隣のサービスエリアの情報を取得し、
前記優先プロファイル情報選択手段は、先に選択したプロファイル情報が示すアクセスポイントへの前記接続手段による接続要求が許可されない場合、前記優先順位設定手段によって前記優先順位付けされたプロファイル情報に対して、次に優先順位付けされたプロファイル情報を選択する請求項２記載の無線通信装置。
【請求項４】
前記プロファイル情報取得手段のプロファイル情報取得の終了後、前記優先順位設定手段に対して、前記接続受信レベルの低下に伴い、現在位置するサービスエリアとは異なるサービスエリアへ移動を開始する前に、予め優先順位付けを行うように処理要求を行う制御手段を備え、
前記優先プロファイル情報選択手段は、優先順位付けされたプロファイル情報の中から最も優先順位の高いプロファイル情報を選択する請求項１記載の無線通信装置。
【請求項５】
前記接続手段による前記アクセスポイントへの接続要求が許可されなかった場合、前記サービスエリア情報取得手段は、現在位置しているサービスエリア及び近隣に存在するサービスエリアを示すサービスエリア情報を再度収集し、
前記優先順位設定手段は、再度収集されたサービスエリア情報に対応するプロファイル情報に優先順位付けを行う請求項１記載の無線通信装置。
【請求項６】
移動過程において過去に接続したアクセスポイントを接続実績情報として更新する接続実績情報更新手段を有し、
前記優先順位設定手段は、近隣のサービスエリアの情報と、前記接続実績情報が示す接続実績のあるアクセスポイントの情報とを用いて、移動方向に位置するアクセスポイントへ接続するためのプロファイル情報として、接続中のアクセスポイントの近隣に位置する
アクセスポイントが複数ある場合、移動過程において接続実績がないアクセスポイントを示すプロファイル情報を最も優先順位が高くなるように設定する請求項１記載の無線通信装置。
【請求項７】
接続中のアクセスポイントからの信号の接続受信レベルの変化を検出する状態変化検出手段と、
現在位置するサービスエリア及び現在位置するサービスエリアの近隣に存在し、当該現在位置するサービスエリアとは異なるサービスエリアを構成するアクセスポイントへの接続に必要なプロファイル情報を取得するプロファイル情報取得手段と、
現在位置するサービスエリアにおいて、取得された各サービスエリアのプロファイル情報に対して、次に接続するサービスエリアのアクセスポイントを示す順に優先順位付けを行う優先順位設定手段と、
優先順位の最も高いプロファイル情報を選択する優先プロファイル情報選択手段と、
前記接続受信レベルが一定値より低い場合、前記優先プロファイル情報選択手段によって、優先順位付けされたプロファイル情報から選択された優先順位の最も高いプロファイル情報が示すアクセスポイントへプローブ要求を行い、プローブ要求対象のアクセスポイントに接続可能か否かを判定する制御を行う制御手段とを有する無線通信装置。
【請求項８】
現在位置するサービスエリア及び現在位置するサービスエリアの近隣に存在するサービスエリアのそれぞれを形成するアクセスポイントへの接続に必要なプロファイル情報に対して優先順位付けを行う優先順位設定手段と、
優先順位の最も高いプロファイル情報が示すアクセスポイントに対し、当該プロファイル情報を用いてプローブ要求を行い、プローブ要求に対するアクセスポイントからの応答より受信電波強度の測定を行う受信電波強度取得手段と、
取得した受信状況を用いて、プローブ要求先のアクセスポイントに接続可能か否かを判定し、接続可能である場合、プローブ要求先のアクセスポイントへ接続依頼を行うアクセスポイント接続判定手段とを有する無線通信装置。
【請求項９】
接続中のアクセスポイントからの信号の接続受信状態の変化を検出する状態変化検出ステップと、
現在位置するサービスエリア及び現在位置するサービスエリアの近隣に存在し、当該現在位置するサービスエリアとは異なるサービスエリアを構成するアクセスポイントへの接続に必要なプロファイル情報を取得するプロファイル情報取得ステップと、
現在位置するサービスエリアにおいて、前記プロファイル情報取得ステップにより取得されたプロファイル情報に対して、次の接続先となるアクセスポイントを示すプロファイル情報として、優先順位付けを行う優先順位設定ステップと、
優先順位の最も高いプロファイル情報を選択する優先プロファイル情報選択ステップと、
前記状態変化検出ステップによって一定値より低い接続受信レベルが検出された場合、優先順位付けされたプロファイル情報から前記優先プロファイル情報選択ステップによって選択された優先順位の最も高いプロファイル情報が示すアクセスポイントへ接続要求を行う接続ステップとを有するアクセスポイントの接続方法。
【請求項１０】
請求項２記載の無線通信装置に接続されるアクセスポイントとしての基地局装置であって、
前記無線通信装置の前記サービスエリア情報取得手段からのサービスエリア情報取得要求を受けるサービスエリア情報要求受付手段と、
サービスエリア情報要求を受けて、前記サービスエリア情報要求元の前記無線通信装置に、当該無線通信装置が現在位置するサービスエリア及び現在位置するサービスエリアとは異なる近隣のサービスエリアを構成するアクセスポイントを示すサービスエリア情報を
通知する通知手段とを有する基地局装置。
【手続補正２】
【補正対象書類名】明細書
【補正対象項目名】全文
【補正方法】変更
【補正の内容】
【発明の詳細な説明】
【技術分野】
【０００１】
本発明は、無線通信装置およびアクセスポイント接続方法に関し、特に、ユーザが異なるサービスエリア間を移動する際に適切なアクセスポイントと無線接続する無線通信装置およびアクセスポイント接続方法に関する。
【背景技術】
【０００２】
従来から無線ＬＡＮ通信システムでは、例えば、特許文献１に示すように、固定サービスエリア内の無線通信装置が、複数のアクセスポイントから適切なアクセスポイントを選択し接続する方法が提案されている。
【０００３】
この方法では、無線通信装置は、始めに無線ＬＡＮインターフェースを利用してＳＳＩＤ（Service Set Identifier）を特定しないプローブ要求を実行し、周辺にアクセスポイントがあるかどうかを検索する。次に、ＳＳＩＤを返すアクセスポイント全ての受信電波強度を取得し、ＳＳＩＤと受信電波強度を対応付けた情報をプロファイル情報として管理する。最後に、ＳＳＩＤを格納したプロファイル情報を優先順に読み出していき、ＳＳＩＤで特定されるアクセスポイントのうち受信電波強度が閾値を超えているアクセスポイントに接続を行う。無線通信装置は、これらの処理を行うことで固定サービスエリア内において、通信状態の良いアクセスポイントへ簡単にかつ迅速に接続できるようになっている。
【特許文献１】特開２００５−３９５７１号公報
【発明の開示】
【発明が解決しようとする課題】
【０００４】
ところで、従来の無線ＬＡＮ通信システムでは、無線通信装置が、異なるサービスエリア間を移動して、提供元が異なるサービスエリアへ進入すると、これまで利用していたプロファイル情報（ＳＳＩＤ、暗号方式、ＩＰアドレス等を含む）によるアクセスポイントへの接続が不可能となる。
【０００５】
この状況下において、特許文献１では、無線通信装置は、今まで接続していたサービス提供元のプロファイル情報による接続を行おうとするため、移動によってエリアが変わった場合通信の切断が起きてしまう。また、これまでサービスを受けていたエリアとは異なる領域へ移動したことで、現在保有しているプロファイル情報によるアクセスポイントへの接続は不可能となるが、保有しているプロファイル情報によるアクセスポイントの検索を継続して行うことになり、無駄な電力消費を招くこととなる。
【０００６】
本発明はかかる点に鑑みてなされたものであり、異なるサービスエリア間を移動する際に、無駄な電力を消費することなく迅速に移動先サービスエリアのアクセスポイントへ接続を可能とする無線通信装置、アクセスポイント接続方法を提供することを目的とする。
【課題を解決するための手段】
【０００７】
本発明の無線通信装置は、接続中のアクセスポイントからの信号の接続受信状態の変化を検出する状態変化検出手段と、現在位置するサービスエリア及び現在位置するサービスエリアの近隣に存在し、当該現在位置するサービスエリアとは異なるサービスエリアを構成するアクセスポイントへの接続に必要なプロファイル情報を取得するプロファイル情報取得手段と、現在位置するサービスエリアにおいて、前記プロファイル情報取得手段より取得されたプロファイル情報に対して、次の接続先となるアクセスポイントを示すプロファイル情報として、優先順位付けを行う優先順位設定手段と、優先順位の最も高いプロフ
ァイル情報を選択する優先プロファイル情報選択手段と、前記状態変化検出手段によって一定値より低い接続受信レベルが検出された場合、優先順位付けされたプロファイル情報から優先プロファイル情報選択手段によって選択された優先順位の最も高いプロファイル情報が示すアクセスポイントへ接続要求を行う接続手段とを有する構成を採る。
【０００８】
本発明の無線通信装置は、接続中のアクセスポイントからの信号の接続受信レベルの変化を検出する状態変化検出手段と、現在位置するサービスエリア及び現在位置するサービスエリアの近隣に存在し、当該現在位置するサービスエリアとは異なる近隣／周辺サービスエリアを構成するアクセスポイントへの接続に必要なプロファイル情報を取得するプロファイル情報取得手段と、現在位置するサービスエリアにおいて、取得された各サービスエリアのプロファイル情報に対して、次に接続するサービスエリアのアクセスポイントを示す順に優先順位付けを行う優先順位設定手段と、優先順位の最も高いプロファイル情報を選択する優先プロファイル情報選択手段と、前記接続受信レベルが一定値より低い場合、前記優先プロファイル情報選択手段によって、優先順位付けされたプロファイル情報から選択された優先順位の最も高いプロファイル情報が示すアクセスポイントへプローブ要求を行い、プローブ要求対象のアクセスポイントに接続可能か否かを判定する制御を行う制御手段とを有する構成を採る。
【０００９】
また、本発明の無線通信装置は、現在位置するサービスエリア及び現在位置するサービスエリアの近隣に存在するサービスエリアのそれぞれを形成するアクセスポイントへの接続に必要なプロファイル情報に対して優先順位付けを行う優先順位設定手段と、優先順位の最も高いプロファイル情報が示すアクセスポイントに対し、当該プロファイル情報を用いてプローブ要求を行い、プローブ要求に対するアクセスポイントからの応答より受信電波強度の測定を行う受信電波強度取得手段と、取得した受信状況を用いて、プローブ要求先のアクセスポイントに接続可能か否かを判定し、接続可能である場合、プローブ要求先のアクセスポイントへ接続依頼を行うアクセスポイント接続判定手段とを有する構成を採る。
【００１０】
本発明のアクセスポイント接続方法は、接続中のアクセスポイントからの信号の接続受信状態の変化を検出する状態変化検出ステップと、現在位置するサービスエリア及び現在位置するサービスエリアの近隣に存在し、当該現在位置するサービスエリアとは異なるサービスエリアを構成するアクセスポイントへの接続に必要なプロファイル情報を取得するプロファイル情報取得ステップと、現在位置するサービスエリアにおいて、前記プロファイル情報取得ステップにより取得されたプロファイル情報に対して、次の接続先となるアクセスポイントを示すプロファイル情報として、優先順位付けを行う優先順位設定ステップと、優先順位の最も高いプロファイル情報を選択する優先プロファイル情報選択ステップと、前記状態変化検出ステップによって一定値より低い接続受信レベルが検出された場合、優先順位付けされたプロファイル情報から優先プロファイル情報選択ステップによって選択された優先順位の最も高いプロファイル情報が示すアクセスポイントへ接続要求を行う接続ステップとを有するとを有するようにした。
【００１１】
本発明の基地局装置は、上記構成の無線通信装置に接続されるアクセスポイントとしての基地局装置であって、前記無線通信装置の前記サービスエリア情報取得手段からのサービスエリア情報取得要求を受けるサービスエリア情報要求受付手段と、サービスエリア情報要求を受けて、前記サービスエリア情報要求元の前記無線通信装置に、当該無線通信装置が現在位置するサービスエリア及び現在位置するサービスエリアとは異なる近隣のサービスエリアを構成するアクセスポイントを示すサービスエリア情報を送信する送信手段とを有する構成を採る。
【発明の効果】
【００１２】
本発明によれば、移動の際に異なるサービスエリアに入った場合において、迅速なアクセスポイントへの接続が可能となり、消費電力を低減することができる。
【発明を実施するための最良の形態】
【００１３】
以下、本発明の実施の形態について、図面を参照して詳細に説明する。なお、以下で示す各実施の形態は一例であり、システムの構成、機能ブロックの構成は限定されるものではない。
【００１４】
なお、各実施の形態では、無線通信装置は、無線通信システムにおいて異なるサービスエリアを形成するアクセスポイントに対して、プロファイル情報（ＳＳＩＤ、暗号方式、ＩＰアドレス等を含む）を用いて接続することによって、それぞれのアクセスポイントからサービスの提供を受ける。ここでは、異なるサービスエリアとは、無線通信装置におけるアクセスポイント接続時に必要となるプロファイル情報を保持していないサービスエリアとする。また、言い換えれば、異なるサービスエリアは、無線通信装置が位置しているサービスエリアで利用したプロファイル情報では接続不可能なサービスエリアとする。各実施の形態の無線通信システムにおける複数のサービスエリアは、例えば、同種のサービス（例えば、ネット接続サービス）ではあるが、それぞれサービス提供元（管理元）が異なるサービスエリア等から構成されるものとする。
【００１５】
（実施の形態１）
図１は、本発明の実施の形態１に係る無線通信装置を有する無線通信システムの構成を示す概念図である。図１に示す無線通信システム１００は、無線通信装置２００と、アクセスポイントＡ１１と、アクセスポイントＡ１２〜Ａ１４とを備えて構成される。
【００１６】
無線通信装置２００は、アクセスポイントＡ１１により形成されるサービスエリアＥ１に位置している。サービスエリアＥ１に隣接している異なるサービスエリアとして、アクセスポイントＡ１２、Ａ１３によりそれぞれ形成されるサービスエリアＥ２、Ｅ３が存在し、サービスエリアＥ２、Ｅ３に隣接している異なるサービスエリアとして、アクセスポイントＡ１４により形成されるサービスエリアＥ４が存在する。
【００１７】
なお、サービスエリアＥ１〜Ｅ４をそれぞれ形成するアクセスポイントＡ１１〜Ａ１４は、それぞれ、無線通信装置２００と通信可能であり、無線通信装置２００からのプローブ要求、接続要求に応答するとともに、サービスを提供可能とする。各アクセスポイントＡ１１〜Ａ１４は、無線通信装置２００からのサービスエリア情報取得要求を受けるサービスエリア情報要求受付部と、サービスエリア情報要求を受けて、サービスエリア情報要求元の前記無線通信装置２００に、当該無線通信装置２００が現在位置するサービスエリア及び現在位置するサービスエリアとは異なる近隣のサービスエリアを構成するアクセスポイントを示すサービスエリア情報を通知する近隣接続情報通知部とを有する。
【００１８】
図２は、本発明に係る無線通信システム１００の主要な構成要素である無線通信装置２００の要部構成を示す機能ブロック図である。
【００１９】
図２に示す無線通信装置２００は、入力部２０１と、無線ＬＡＮインターフェース部２０２と、状態変化検出部２０３と、サービスエリア情報取得部２０４と、記憶部２０５と、プロファイル情報取得部２０６と、不揮発性記憶部２０７と、優先順位設定部２１１と
、優先プロファイル情報選択部２１３と、受信電波強度取得部２１５と、アクセスポイント接続判定部２１７と、制御部２１９とを有する。
【００２０】
尚、無線通信装置２００において、入力部２０１、無線ＬＡＮインターフェース部２０２、状態変化検出部２０３、サービスエリア情報取得部２０４、記憶部２０５、プロファイル情報取得部２０６、不揮発性記憶部２０７、優先順位設定部２１１、優先プロファイル情報選択部２１３、受信電波強度取得部２１５、アクセスポイント接続判定部２１７、制御部２１９等の各部は、典型的には集積回路であるＬＳＩ（Large Scale Integration）により構成される。
【００２１】
これら各部は、個別に１チップ化されても良いし、一部又は全てを含むように１チップ化されても良い。ここではＬＳＩとしたが、集積度の違いによりＩＣ、システムＬＳＩ、スーパーＬＳＩ、ウルトラＬＳＩと呼称されることもある。
【００２２】
また、集積回路化の手法はＬＳＩに限るものではなく、専用回路または汎用プロセッサにより行っても良い。ＬＳＩ製造後に、プログラムすることが可能なＦＰＧＡ（Field Programmable Gate Array）や、ＬＳＩ内部の回路セルの接続や設定を再構成可能なコンフィギュラブル・プロセッサを利用して各部を構成しても良い。さらには、半導体技術の進歩又は派生する別技術によりＬＳＩに置き換わる集積回路化の技術により各部２０１〜２０７，２１１，２１３，２１５，２１９の集積化を行っても良い。例えば、バイオ技術を適応することによって集積化を行ってもよい。
【００２３】
入力部２０１は、例えば、操作キーなどを介したユーザの操作入力を受けて制御部２１９に出力され、無線通信装置２００における種々の動作を行う。例えば、通信アプリ起動の開始要求を、制御部２１９を介して状態変化検出部２０３に出力する。
【００２４】
無線ＬＡＮインターフェース部２０２は、サービスエリアを形成するアクセスポイントに対して信号の送受信を行う。
【００２５】
状態変化検出部２０３は、制御部２１９を介して入力される情報を用いて、無線通信装置２００自体の使用状態の変化を検出し、制御部２１９に出力する。
【００２６】
具体的には、状態変化検出部２０３は、ユーザにより入力部２０１を介して入力された通信アプリの起動指示を、無線通信装置２００自体の状態変化として検出し、制御部２１９を介して受信電波強度取得部２１５に出力する。
【００２７】
また、状態変化検出部２０３は、無線ＬＡＮインターフェース部２０２及び制御部２１９を介して入力される、無線通信装置２００の位置するサービスエリアを形成するアクセスポイントからのビーコン（信号）の受信レベルを判定する。
【００２８】
状態変化検出部２０３におけるビーコンの受信レベルの判定は、例えば、受信したビーコンの受信レベルを予め設定された閾値と比較することによって行う。当該閾値以上であれば、制御部２１９を介して無線ＬＡＮインターフェース部２０２に、現在接続しているアクセスポイントへの接続を継続させ、閾値以下であれば、制御部２１９を介してサービスエリア情報取得部２０４にその旨を通知する。
【００２９】
サービスエリア情報取得部２０４は、状態変化検出部２０３により検出される状態変化情報に基づいて、接続しているサービスエリアを形成するアクセスポイントに対するサービスエリア情報の取得要求を、無線ＬＡＮインターフェース部２０２に出力する。
【００３０】
具体的には、サービスエリア情報取得部２０４は、状態変化検出部２０３から制御部２１９を介して入力される、受信レベルが閾値以下となった旨の状態変化情報によって、無線通信装置２００が位置しているサービスエリアを形成するアクセスポイントに対するサービスエリアの情報（サービスエリア情報）の取得要求を行うことで取得する。
【００３１】
つまり、この取得要求に対するアクセスポイントの応答により、アクセスポイントから送信されるサービスエリア情報は、無線ＬＡＮインターフェース部２０２から制御部２１９へ出力され、取得されたサービスエリア情報は、記憶部２０５へ保存される。
【００３２】
この取得したサービスエリア情報に、サービスエリアに散在するアクセスポイントの情報を示すプロファイル情報が付加されている場合、サービスエリア取得部２０４は、制御部２１９を介して、優先順位設定部２１１に、設定処理要求信号を出力する。なお、取得したプロファイル情報は、取得されたサービスエリア情報とともに記憶部２０５に保存される。
【００３３】
また、サービスエリア情報に付加されたプロファイル情報に予め優先順位が設定されている場合、サービスエリア情報取得部２０４は、制御部２１９を介して優先プロファイル情報選択部２１３に、選択処理要求信号を出力する。
【００３４】
記憶部２０５は、制御部２１９を介して入出力される情報を保存する。なお、以下では制御部２１９を介した各部間の情報の入出力は、各部間の入出力として説明することもある。
【００３５】
具体的には、記憶部２０５は、制御部２１９を介してサービスエリア情報取得部２０４により取得されたサービスエリア情報、及び、不揮発性記憶部２０７からのサービスエリア（詳細にはアクセスポイント）のプロファイル情報を保存する。サービスエリア情報取得部２０４により取得されたサービスエリア情報に、プロファイル情報又は既に順位付けされたプロファイル情報が付加されている場合は、サービスエリア情報とともにプロファイル情報又は既に順位付けされたプロファイル情報も保存する。
【００３６】
更に、記憶部２０５は、受信電波強度取得部２１５によって測定された信号の電波強度と、当該信号のＳＳＩＤの対応情報とを保存する。
【００３７】
また、記憶部２０５は、優先順位設定部２１１で優先順位付けされたプロファイル情報を、例えば、リスト構造で、優先順位の高いプロファイル情報Ｐ２２から優先順位順にアクセス可能となるような管理形式で保存する。
【００３８】
ここで、記憶部２０５に記憶されるサービスエリア情報のデータ構造を説明する。
【００３９】
図３は、アクセスポイントから取得したサービスエリア情報の一例を示す図である。なお、取得したサービスエリア情報３００は、本実施の形態ではテキストベースで構成され、ここでは、＜所属サービスエリア＞、＜隣接サービスエリア＞及び＜周辺サービスエリア＞の三種類の情報を有する。
【００４０】
サービスエリア情報における＜所属サービスエリア＞は、現在接続しているアクセスポイントが提供しているサービスエリアを示し、＜隣接サービスエリア＞は、現在接続しているサービスエリアに隣接しているサービスエリアを示す。また、＜周辺サービスエリア＞は周辺に位置しているサービスエリアの情報を示す。
【００４１】
図３に示す＜隣接サービスエリア＞及び＜周辺サービスエリア＞は、＜所属サービスエ
リア＞の近隣に存在するサービスエリアを示している。
【００４２】
図３に示すサービスエリア情報３００では、接続中のアクセスポイントが現在所属しているサービスエリアＥ１を提供していることを示している。また、このサービスエリアＥ１に隣接するサービスエリアはＥ２、Ｅ３であることを示し、サービスエリアＥ１の周辺に位置しているサービスエリアはＥ４であることを示している。なお、本実施の形態ではサービスエリア情報をテキストベースで構成したが、これに限らず、ＭＡＰ情報を用いてサービスエリア情報を構成してもよい。
【００４３】
プロファイル情報取得部２０６は、記憶されたサービスエリア情報（ここでは、サービスエリアＥ１，Ｅ２，Ｅ３，Ｅ４の情報）を用いて、これらサービスエリア情報が示す各サービスエリアに対応するプロファイル情報（例えば、プロファイル情報Ｐ２２、Ｐ２３、P２４）を取得する。
【００４４】
サービスエリアに対応するプロファイル情報は、サービスエリアを形成するアクセスポイントの情報と同義であり、アクセスポイントへの接続に際し用いられる。
【００４５】
本実施の形態では、プロファイル情報取得部２０６は、記憶部２０５から、サービスエリア情報取得部２０４により取得されたサービスエリア情報を取得し、これを用いて、サービスエリア情報の示すサービスエリアに対応するアクセスポイントのプロファイル情報を不揮発性記憶部２０７から読み出して記憶部２０５に保存する。
【００４６】
また、プロファイル情報取得部２０６は、記憶部２０５上にプロファイル情報（例えば、プロファイル情報Ｐ２２、Ｐ２３、P２４）を保存すると、その旨の通知を、制御部２１９を介して優先順位設定部２１１に出力する。
【００４７】
不揮発性記憶部２０７は、制御部２１９を介して読み出し可能な、サービスエリアに関するプロファイル情報を記憶するものであり、本実施の形態では予め記憶している。
【００４８】
プロファイル情報は、サービスエリアを形成するアクセスポイント毎の情報を含み、例えば、サービスを提供しているアクセスポイントを特定するための識別情報（ＳＳＩＤ）、暗号方式及び暗号化に必要な鍵情報（例えば、ＷＥＰ（Wired Equivalent Privacy）ＫＥＹ）、アクセスポイントへ接続するために必要な情報（ＩＰアドレス）などを有する。
【００４９】
図４は、不揮発性記憶部２０７に記憶されるプロファイル情報の一例を示す図である。
【００５０】
図４に示すプロファイル情報は、例えば、テキストベースで構築され、サービスエリアＥ１、Ｅ２，Ｅ３，Ｅ４の各プロファイル情報をプロファイル情報Ｐ２１，Ｐ２２，Ｐ２３，Ｐ２４で示している。
【００５１】
例えば、図４では、サービスエリアＥ１のプロファイル情報Ｐ２１は、サービスを提供しているアクセスポイントを特定するためのＳＳＩＤとしての「service_AreaＥ１」と、暗号化方式及び暗号化に必要な情報ＷＥＰ ＫＥＹとしての「jeoiuoitlkj22」とアクセスポイントへ接続するために必要なＩＰアドレス（ＩＰ_Ａｄｄｒ）としての「132.186.2.22」を有している。同様に、サービスエリアＥ２のプロファイル情報Ｐ２２は、「SSID：Service_AreaＥ２、WEP KEY:klaujoeiu93、IP_Addr: 192.168.0.2」を有している。また、サービスエリアＥ３のプロファイル情報Ｐ２３は、「SSID：Service_AreaＥ３、WEP KEY:koitoiroiiuo2、IP_Addr:10.68.36.22」を有している。さらに、サービスエリアＥ４のプロファイル情報Ｐ２４は、「SSID：Service_AreaＥ４、WEP KEY:koitojwqhro5、IP_Addr:100.23.36.22」を有している。
【００５２】
優先順位設定部２１１は、サービスエリア情報取得部２０４又はプロファイル情報取得部２０６からの入力を受けて、サービスエリア情報取得部２０４で取得された情報と、プロファイル情報取得部２０６で取得された情報からサービスエリア（例えば、サービスエリアＥ１〜Ｅ４）に存在するアクセスポイント（例えばＡ１１〜Ａ１４）に関連するプロファイル情報（例えばＰ２１〜Ｐ２４）に、接続する際に用いる情報としての優先順位を設定し、設定した優先順位で、プロファイル情報（例えば、Ｐ２１〜Ｐ２４）を記憶部２０５に保存する。設定した順位で記憶部２０５にプロファイル情報（例えば、Ｐ２１〜Ｐ２４）が保存されると、制御部２１９は、プロファイル情報（例えば、Ｐ２１〜Ｐ２４）が保存された旨を示す情報を、優先プロファイル情報選択部２１３に出力する。
【００５３】
優先順位設定部２１１により設定される優先順位は、優先順位設定部２１１によって、現在位置している場所から次の移動先サービスエリアへ移動する過程において、選択される可能性が高いプロファイル情報から順に付与される。
【００５４】
すなわち、優先順位設定部２１１は、接続中のアクセスポイントからの受信電波強度と、接続中のアクセスポイントからのサービスエリア情報とを用いて、接続状況が良好であろう順に、接続されるサービスエリア（具体的には、接続先となるアクセスポイント）の優先順位を設定して、これに対応してプロファイル情報を優先順に並び替える。
【００５５】
ここでは、接続中のアクセスポイントからの受信電波強度が小さくなった場合、サービスエリア情報とプロファイル情報とから、所属サービスエリアに近い他のサービスエリアを形成するアクセスポイントのプロファイル情報を、最も優先するように並び換える。
【００５６】
なお、優先順位を付ける際に、対象となるサービスエリアにおける、所属サービスエリアに対する近さが、同程度の近さである場合、優先順位設定部２１１は、これら対象となるサービスエリアにおけるアクセスポイントのプロファイル情報の優先順位付けをランダムに行う。
【００５７】
例えば、無線通信装置２００がサービスエリアＥ１に位置し、サービスエリアＥ１の外方に移動している場合では、サービスエリアＥ１にはサービスエリアＥ２及びＥ３が隣接していることから、プロファイル情報Ｐ２２、Ｐ２３を優先順位の高いプロファイル情報として設定する。
【００５８】
この時のプロファイル情報Ｐ２２、Ｐ２３の優先順位付けであるが、現在取得されている情報からプロファイル情報Ｐ２２、Ｐ２３に設定のアクセスポイントが構成しているサービスエリアＥ２、Ｅ３へは、同程度に移動する可能性があると判断できる。
【００５９】
この場合、例えばランダムに優先順位を設定することが選択肢の一つとして考えられる。つまり、優先順位設定部２１１は、プロファイル情報Ｐ２１〜Ｐ２３に対して、ランダムに優先順位付けを行い、プロファイル情報Ｐ２２を最も優先順位の高いプロファイル情報として設定し、プロファイル情報Ｐ２３を２番目に優先順位の高いプロファイル情報として設定する。次に、優先順位の高いプロファイル情報として周辺に位置しているプロファイル情報Ｐ２４を設定する。
【００６０】
現在接続中のアクセスポイント情報が含まれているプロファイル情報Ｐ２１は、移動により受信電波強度が小さくなり、サービスエリアＥ１からユーザは出ようとしているものと考えられ、今後使用される可能性が低いと判断できる。よって、優先順位設定部２１１は、プロファイル情報Ｐ２１を優先順位が最も低いプロファイル情報として優先順位付けを行う。その結果、プロファイル情報Ｐ２２、Ｐ２３、Ｐ２４、Ｐ２１の順に優先順位が
決定される。この決定によりプロファイル情報Ｐ２１〜Ｐ２４の優先順位は並びかえられる。
【００６１】
図５は、優先順位設定部２１１によって、各プロファイル情報に優先順位が設定され、その順番に並び替えられた状態の一例を示す図である。
【００６２】
図５に示すように、サービスエリアＥ２のアクセスポイントＡ１２に関連付けられたプロファイル情報Ｐ２２が最も優先順位の高いプロファイル情報として優先順位設定部２１１によって並び替えられて管理される。このプロファイル情報２２に次いで優先順位の高いプロファイル情報として、サービスエリアＥ３のアクセスポイントＡ１３に関連付けられたプロファイル情報Ｐ２３が管理される。
【００６３】
なお、各プロファイル情報Ｐ２１〜Ｐ２４は、例えばリスト構造で管理されており、優先順位の高いプロファイル情報Ｐ２２から優先順位順にアクセス可能となるような管理形式で、記憶部２０５に保存される。
【００６４】
優先プロファイル情報選択部２１３は、制御部２１９からプロファイル情報Ｐ２１〜Ｐ２４が保存された旨を示す情報によって、無線通信装置２００が現在位置において最も優先順位の高いプロファイル情報を選択し、記憶部２０５から読み出す。
【００６５】
また、優先プロファイル情報選択部２１３は、サービスエリア情報取得部２０４からの選択処理要求信号の入力によって、無線通信装置２００が現在位置において最も優先順位の高いプロファイル情報を選択し、記憶部２０５から読み出す。
【００６６】
優先プロファイル情報選択部２１３は、読み出し処理を終了した後、その終了通知を、制御部２１９を介して受信電波強度取得部２１５に出力する。
【００６７】
受信電波強度取得部２１５は、所定のアクセスポイントからの信号の電波強度を測定して、制御部２１９を介して測定した電波強度と、受信した信号のＳＳＩＤの対応情報とを記憶部２０５に保存する。
【００６８】
詳細には、受信電波強度取得部２１５は、制御部２１９を介して状態変化検出部２０３から無線通信装置２００自在の状態変化情報としての通信アプリ起動開始の情報が入力されると、制御部２１９を介して、無線ＬＡＮインターフェース部２０２に対してＳＳＩＤを特定しないプローブ要求を行うよう通知する。
【００６９】
プローブ要求を受けたアクセスポイントからの応答が無線ＬＡＮインターフェース部２０２、制御部２１９を介して受信電波強度取得部２１５へ通知されると、受信電波強度取得部２１５は、その時の信号の電波強度を測定し、測定した受信電波強度を、制御部２１９を介して、ＳＳＩＤの対応情報とともに記憶部２０５に保存するとともに、測定した電波強度をアクセスポイント接続判定部２１７に出力する。
【００７０】
また、受信電波強度取得部２１５は、優先プロファイル情報選択部２１３からのプロファイル情報の読み出し終了の通知を受けて、優先プロファイル情報として選択されたプロファイル情報（例えばＰ２２）に設定のアクセスポイント情報であるＳＳＩＤが示すアクセスポイントに対してプローブ要求を行う。
【００７１】
アクセスポイント接続判定部２１７は、制御部２１９を介して入力される、受信電波強度取得部２１５により測定された受信電波強度を用いて、当該受信電波強度の対象となる信号を送信したアクセスポイントと接続可能かを判定する。この判定結果に基づいて、ア
クセスポイント接続判定部２１７は、優先プロファイル情報選択部２１３により選択されたプロファイル情報のアクセスポイントへの接続要求を、制御部２１９を介して無線ＬＡＮインターフェース部２０２に行う。或いは、先の判定結果に基づいて、アクセスポイント接続判定部２１７は、次の優先順位のプロファイル情報を選択する選択要求を優先プロファイル情報選択部２１３に、制御部２１９を介して行う。
【００７２】
具体的に、アクセスポイント接続判定部２１７では、入力される受信電波強度の対象となる信号を送信したアクセスポイントに対応するＳＳＩＤを格納した情報を、記憶部２０５から順に呼び出していき、その電波強度が閾値を超えている場合は、呼び出した情報のアクセスポイントに接続要求を行う。閾値を超えていない場合は、ＳＳＩＤを返してきた他のアクセスポイントの情報を参照し、その値が閾値を超えていないかを判定する。なお、アクセスポイント接続判定部２１７が、制御部２１９を介してアクセスポイントに接続要求を行う際は、プローブ要求後にアクセスポイントから通知される暗号方式、及び暗号化に必要な鍵情報、アクセスポイントへ接続するために必要なＩＰアドレスなどを含んでいるプロファイル情報を参照して、接続先のアクセスポイントを特定する。
【００７３】
制御部２１９は、入力部２０１、無線ＬＡＮインターフェース部２０２、状態変化検出部２０３、サービスエリア情報取得部２０４、記憶部２０５、プロファイル情報取得部２０６、不揮発性記憶部２０７、優先順位設定部２１１、優先プロファイル情報選択部２１３、受信電波強度取得部２１５、アクセスポイント接続判定部２１７、制御部２１９間の信号の入出力を制御する。
【００７４】
制御部２１９は、各部２０２、２０３、２０４、２０６、２１１、２１３、２１５、２１７等を制御することによって、無線通信装置２００が位置している状況に応じて、近隣に存在するサービスエリアの情報をアクセスポイントへ取得要求し、アクセスポイントから通知された情報を元に参照するプロファイル情報の優先順位付けを行う。この優先順位付けによって、無線通信装置２００では、次に移動する可能性の高いサービスエリアを形成するアクセスポイントのプロファイル情報を優先的に選択し、接続要求を行うよう制御する。
【００７５】
次に、本実施の形態の無線通信装置２００におけるアクセスポイント接続処理について説明する。
【００７６】
図６は、本発明に係る無線通信装置２００により実行されるアクセスポイント接続処理を説明するためのフローチャートである。
【００７７】
無線通信装置２００は、図６に示す各ステップＳ１〜Ｓ９の処理を繰り返し行う。
【００７８】
ここでは、図６を参照しつつ、無線通信装置２００によるアクセスポイント接続処理について、図１に示す無線通信システム１００において、無線通信装置２００が、異なるサービスエリアＥ１、Ｅ２間を、矢印で示す方向に地点Ｍ１、Ｍ２、Ｍ３の順に移動を行う場合を想定して説明する。
【００７９】
なお、図１において、地点Ｍ１に位置する無線通信装置２００は、サービスエリアＥ１内を移動して、サービスエリアＥ２、Ｅ３の近隣へ位置したことを示している。また、地点Ｍ３に位置する無線通信装置２００は、サービスエリアＥ２内へ完全に移動した状態を示している。
【００８０】
先ず、図１における地点Ｍ１に無線通信装置２００が位置するものとする。この地点Ｍ１における無線通信装置２００では、ユーザから通信アプリ起動のための入力が入力部２
０１を介して制御部２１９へ通知されると、制御部２１９は通信アプリの起動を行う。その際に状態変化検出部２０３へアプリ起動を通知する。
【００８１】
無線通信装置２００では、状態変化検出部２０３によってアプリ起動が検知されると、制御部２１９を介してその旨を示す情報が受信電波強度取得部２１５へ通知される。
【００８２】
アプリ起動の通知を受けた受信電波強度取得部２１５は制御部２１９を介して、無線ＬＡＮインターフェース部２０２に対して、ＳＳＩＤを特定しないプローブ要求を行うよう通知する。
【００８３】
無線通信システム１００において、地点Ｍ１に位置する無線通信装置２００からプローブ要求を受けたアクセスポイント（図１では、無線通信装置２００がサービスエリアＥ１内にいるためアクセスポイントＡ１１）は、ＳＳＩＤの情報を無線通信装置２００に送信する。
【００８４】
無線通信装置２００は、アクセスポイントが送信したＳＳＩＤの情報を、無線ＬＡＮインターフェース部２０２で受信し、制御部２１９を介して受信電波強度取得部２１５へ通知（出力）する。このとき、受信電波強度取得部２１５は、入力されたＳＳＩＤの情報の電波強度を測定し、測定した受信電波強度とＳＳＩＤの対応情報を記憶部２０５へ保存する。
【００８５】
この記憶部２０５に保存した情報を用いて、無線通信装置２００では、現在位置するサービスエリアにおけるアクセスポイントを検索して、接続する（ステップＳ１）。
【００８６】
具体的には、無線通信装置２００では、アクセスポイント接続判定部２１７が、ＳＳＩＤを格納した情報を記憶部２０５から順に呼び出していき、その電波強度が閾値を超えている場合は、そのアクセスポイントに接続要求を行う。アクセスポイント接続判定部２１７において、閾値を超えていない場合は、ＳＳＩＤを送信した他のアクセスポイントの情報を参照し、その値が閾値を超えているか否かを判定する。アクセスポイントに接続要求を行う際は、プローブ要求後にアクセスポイントから通知される暗号方式、及び暗号化に必要な鍵情報、アクセスポイントへ接続するために必要なＩＰアドレスなどを含んでいるプロファイル情報を参照して行われる。このプロファイル情報を参照することで接続するアクセスポイントを特定することが可能となる。
【００８７】
図１において、地点Ｍ１に位置する無線通信装置２００は、サービスエリアＥ１内に位置するため、プロファイル情報Ｐ２１（図４参照）のＩＰアドレスを用いて、アクセスポイントＡ１１に接続する。
【００８８】
無線通信装置２００の受信電波強度取得部２１５は、接続先のアクセスポイント（ここでは、アクセスポイントＡ１１）から送信されるビーコンが閾値以下であるか否かを判定する（ステップＳ２）。ステップＳ２において、ビーコンが閾値以下であれば、ステップＳ３に移行し、閾値より大きければ、ステップＳ２の処理を繰り返す。
【００８９】
例えば、無線通信装置２００が、ステップＳ２においてビーコンが閾値より大きく、ステップＳ２の処理を繰り返す場合は、無線通信装置２００が、図１に示す無線通信システム１００において地点Ｍに位置する等、サービスエリアＥ１内において、アクセスポイントＡ１１との接続状態が良好な位置に位置すると想定される。
【００９０】
一方、ステップＳ２において、アクセスポイントからのビーコンが閾値以下の場合は、無線通信装置２００が図１に示すサービスエリアＥ１内を移動して、サービスエリアＥ２
、Ｅ３の近隣へ位置している状況等、接続先のアクセスポイントにより形成されるサービスエリアのエッジ付近に位置する場合が想定される。
【００９１】
具体的には、ステップＳ２では、無線通信装置２００の状態変化検出部２０３は、例えば、無線通信装置２００が位置しているサービスエリアＥ１を形成するアクセスポイントＡ１１から通知されるビーコンを、無線ＬＡＮインターフェース部２０２、制御部２１９を介して受信し、受信レベルが閾値以下となっているかを判定する。受信レベルが閾値以下となっていることを検出すると、制御部２１９へその旨を通知する。閾値より大きい場合は、現在接続しているアクセスポイントＡ１１への接続を継続する。
【００９２】
無線通信装置２００は、実際に所属（接続）しているサービスエリアにおけるサービス提供の範囲外に移動する場合等、サービス提供先のアクセスポイントを変更する場合、サービス提供先のアクセスポイントからサービスエリア情報を取得する（ステップＳ３）。なお、各アクセスポイントは、無線通信装置２００からのサービスエリア情報取得要求を受けるサービスエリア情報要求受付部と、サービスエリア情報要求を受けて、サービスエリア情報要求元の前記無線通信装置２００に、当該無線通信装置２００が現在位置するサービスエリア及び現在位置するサービスエリアとは異なる近隣のサービスエリアを構成するアクセスポイントを示すサービスエリア情報を通知する近隣接続情報通知部とを有する。この構成によって、アクセスポイントは、無線通信装置２００からのサービスエリア情報取得要求をサービスエリア情報要求受付部で受けると、無線通信装置２００が現在位置するサービスエリア及び現在位置するサービスエリアとは異なる近隣のサービスエリアを構成するアクセスポイントを示すサービスエリア情報を記憶部から読み出して、近隣接続情報通知部を介して、サービスエリア情報要求元の無線通信装置２００に送信する。これにより無線通信装置２００では、無線ＬＡＮインターフェース部２０２を介してサービスエリア情報を取得する。
【００９３】
このステップＳ３において、無線通信装置２００が接続先のアクセスポイントからプロファイル情報を取得するタイミングとしては、例えば、所属のサービスエリアを形成するアクセスポイントとの通信状態や、当該アクセスポイントとの位置関係を用いて設定できる。ここでは、接続しているアクセスポイントからの受信レベルを用いて、その判定に基づいてサービスエリア情報の取得を行うものとして説明するが、これに限らず、例えば、無線通信装置２００自体に自装置の位置情報を用いてサービスエリア情報の取得を行ってもよい。この場合、無線通信装置２００に、自装置を測位する機能（例えば、ＧＰＳ装置）を搭載して、接続しているアクセスポイントとの位置関係を用いて、サービスエリア外への移動を判定するようにしてもよい。なお、サービスエリア情報の取得は、入力部２０１を介したユーザによる、提供を受けているサービスとは異なるサービスの提供を受けようとする入力で行われてもよい。
【００９４】
ステップＳ３について、無線通信装置２００が地点Ｍ２に位置する場合に適用して、詳細に説明する。
【００９５】
具体的には、サービスエリア情報取得部２０４は、制御部２１９を介して状態変化検出部２０３から受信レベルが閾値以下となったことを通知されると、無線通信装置２００が位置しているサービスエリア（例えば、サービスエリアＥ１）を形成するアクセスポイント（例えば、アクセスポイントＡ１１）に対してサービスエリアの情報取得要求を行う。
【００９６】
このサービスエリア情報取得部２０４による取得要求は、制御部２１９を介して無線ＬＡＮインターフェース部２０２へ通知され、アクセスポイント（例えば、アクセスポイントＡ１１）に送信される。
【００９７】
アクセスポイント（例えば、アクセスポイントＡ１１）は無線通信装置２００からの取得要求に対して応答して、サービスエリアの情報３００（図３参照）を送信する。アクセスポイントからの応答は、無線ＬＡＮインターフェース部２０２から制御部２１９へ通知され、取得された情報（図３に示すサービスエリア情報３００）は、記憶部２０５へ保存される。
【００９８】
なお、接続先のアクセスポイント（例えば、アクセスポイントＡ１１）から送信されるサービスエリア情報に、各サービスエリアに散在するアクセスポイントの情報を示すプロファイル情報が付加されている場合、制御部２１９を介して、取得した情報（サービスエリア情報３００およびこれに付加されたプロファイル情報）が記憶部２０５に保存されるとともに、サービスエリア情報取得部２０４は、優先順位設定部２１１に対して、設定処理要求信号、つまり、取得したプロファイル情報の優先順位設定処理を行う旨の信号を、制御部２１９を介して通知する。
【００９９】
次いで、プロファイル情報取得部２０６は、無線通信装置２００が取得したサービスエリア情報を用いて、当該サービスエリア情報が示す所属サービスエリア、隣接サービスエリア及び周辺サービスエリアのそれぞれに対応するプロファイル情報を取得する（ステップＳ４）。なお、無線通信装置２００が所属するサービスエリアに隣接するサービスエリア及び周辺のサービスエリアを纏めて近隣のサービスエリアと称する。すなわち、プロファイル情報取得部２０６は、サービスエリア情報取得部２０４によりサービスエリア情報が取得されると、取得したサービスエリア情報における近隣サービスエリアに対応するプロファイル情報を不揮発性記憶部２０７から読み出して、記憶部２０５に保存する。
【０１００】
具体的には、プロファイル情報取得部２０６は、制御部２１９を介してサービスエリア情報取得部２０４からサービスエリアＥ２、Ｅ３、Ｅ４の情報取得の通知を受けると、記憶部２０５に保存されたサービスエリアＥ２、Ｅ３、Ｅ４の情報を参照し、近隣に存在するサービスエリアがＥ２、Ｅ３、Ｅ４であることを確認すると、不揮発性記憶部２０７にあらかじめ保持していたサービスエリアＥ２、Ｅ３、Ｅ４のプロファイル情報Ｐ２２、Ｐ２３、Ｐ２４（図４参照）の読み出しを行い、記憶部２０５へ保存する。また、プロファイル情報取得部２０６は、プロファイル情報保存を示す旨を優先順位設定部２１１に通知する。
【０１０１】
次いで、プロファイル情報取得部２０６からの、プロファイル情報保存を示す旨の通知を受けて、優先順位設定部２１１は、プロファイル情報取得部２０６により取得されたプロファイル情報の優先順位の設定を行う（ステップＳ５）。なお、この優先順位設定処理では、優先順位設定部２１１によりプロファイル情報の優先順位が設定された際に、優先順位付けされたプロファイル情報は記憶部２０５に保存されるとともに、この保存された旨を示す情報は、優先プロファイル情報選択部２１３に出力される。
【０１０２】
具体的には、無線通信装置２００が地点Ｍ２に位置する場合、優先順位設定部２１１には、プロファイル情報取得部２０６から、記憶部２０５上にプロファイル情報Ｐ２２、Ｐ２３、Ｐ２４を保存した旨の通知が制御部２１９を介して入力される。
【０１０３】
これを受けて、優先順位設定部２１１は、サービスエリア情報取得部２０４で取得された情報と、プロファイル情報取得部２０６で取得された情報からサービスエリアＥ１、Ｅ２、Ｅ３、Ｅ４に存在するアクセスポイントＡ１１、Ａ１２、Ａ１３、Ａ１４のプロファイル情報Ｐ２１、Ｐ２２、Ｐ２３、Ｐ２４に優先順位を設定する。
【０１０４】
ここでは、無線通信装置２００が地点Ｍ２に位置するため、所属サービスエリアＥ１に隣接するサービスエリアはサービスエリアＥ２とＥ３であるため、プロファイル情報Ｐ２
２、Ｐ２３が優先順位の高いプロファイル情報として設定される。
【０１０５】
これらプロファイル情報Ｐ２２、Ｐ２３の順位付けであるが、現在取得されている情報からプロファイル情報Ｐ２２、Ｐ２３に設定のアクセスポイントが構成しているサービスエリアＥ２、Ｅ３へは、同程度に移動する可能性があるため、ここでは、ランダムに優先順位付けを行う。例えば、プロファイル情報Ｐ２２を最も優先順位の高いプロファイル情報として設定し、プロファイル情報Ｐ２３を２番目に優先順位の高いプロファイル情報として設定する。
【０１０６】
次に、優先順位の高いプロファイル情報として周辺に位置しているＰ２４を設定する。
また、現在接続中のアクセスポイント情報が含まれているプロファイル情報Ｐ２１は、移動により受信電波強度が小さくなっているため、今後使用される可能性が低いと判断して、最も優先順位の低いプロファイル情報として優先順位付けされる。
【０１０７】
これにより、Ｐ２２、Ｐ２３、Ｐ２４、Ｐ２１の順に優先順位が決定される（図５参照）。なお、サービスエリア情報取得部２０４から設定処理要求信号を受けた場合、優先順位設定部２１１は、優先順位付け対象のプロファイル情報として、サービスエリア情報に加えて付加されたプロファイル情報も含めて行う。
【０１０８】
次いで、設定されたプロファイル情報の優先順位が保存されると、優先プロファイル情報選択部２１３は、優先順位の最も高いプロファイル情報を選択し、選択終了を受信電波強度取得部２１５に出力する（ステップＳ６）。
【０１０９】
具体的には、ステップＳ６では、プロファイル情報の優先順位が保存された旨の通知が制御部２１９を介して入力されると、優先プロファイル情報選択部２１３は、無線通信装置２００が現在位置において最も優先順位の高いプロファイル情報Ｐ２２を選択し、記憶部２０５から読み出す処理を行う。読み出し処理が終了すると、優先プロファイル情報選択部２１３は、その終了通知を、制御部２１９を介して受信電波強度取得部２１５に通知する。なお、優先プロファイル情報選択部２１３は、サービスエリア情報取得部２０４から選択要求信号の入力を受けた場合、選択するプロファイル情報を、アクセスポイントから取得したときに既に設定されていた順位を用いて選択することとなる。
【０１１０】
次いで、優先プロファイル情報が選択されると、受信電波強度取得部２１５は、選択された優先プロファイル情報のアクセスポイントから送信される受信電波強度を取得する（ステップＳ７）。
【０１１１】
具体的には、ステップＳ７では、受信電波強度取得部２１５は、優先プロファイル情報の選択通知を受けると、選択されたプロファイル情報Ｐ２２に設定のアクセスポイント情報であるＳＳＩＤを参照してプローブ要求を行う。プローブ要求を受けたアクセスポイントＡ１２はその要求に対する応答を無線ＬＡＮインターフェース部２０２に通知する。上記通知は、制御部２１９を介して受信電波強度取得部２１５へ通知され、受信電波強度取得部２１５は、その時の信号の電波強度を測定する。
【０１１２】
なお、測定した受信電波強度は制御部２１９を介してアクセスポイント接続判定部２１７へ通知される。
【０１１３】
次いで、受信電波強度が通知されたアクセスポイント接続判定部２１７は、通知された受信電波強度により接続可能かを判定し（ステップＳ８）、接続可能であれば、ステップＳ２に移行し、接続不能であれば、ステップＳ９に移行する。
【０１１４】
具体的には、アクセスポイント接続判定部２１７は、接続可能と判断した場合、優先プロファイル情報選択部２１３によって選択されたプロファイル情報Ｐ２２に設定のアクセスポイント情報を参照して、アクセスポイントＡ１２への接続要求を行う。接続要求は、制御部２１９、無線ＬＡＮインターフェース部２０２を介してアクセスポイントへ通知される。アクセスポイントＡ１２からの応答があった場合、その応答は、無線ＬＡＮインターフェース部２０２、制御部２１９を介してアクセスポイント接続判定部２１７へ通知される。
【０１１５】
受信電波強度取得部２１５からの通知が受信不可能である場合、アクセスポイント接続判定部２１７は、次の優先順位のプロファイル情報を選択する（ステップＳ９）。
【０１１６】
具体的には、アクセスポイント接続判定部２１７は、制御部２１９を介して優先プロファル情報選択部２１３に、次の優先順位のプロファイル情報を選択させる旨を通知して、優先プロファル情報選択部２１３に、次の優先順位であるプロファイル情報の選択を行わせて、ステップＳ７に移行する。
【０１１７】
以上のように、この構成によれば、自装置２００が位置している状況に応じて、近隣に存在するサービスエリアの情報を取得し、移動する可能性の高いサービスエリアを形成しているアクセスポイントのプロファイル情報を優先的に選択して接続できる。このため、無線通信装置２００が異なるサービスエリア間を移動した場合において、迅速なアクセスポイント接続を実現することが可能となる。また、図１で示された地点Ｍ３へ無線通信装置２００が移動する際に、アクセスポイントＡ１１からのビーコン受信強度の低下を検出するため、切断することなくサービスエリアＥ２での通信を行うことができるとともに、アクセスポイント検索の処理が不要となるため消費電力の低減も実現可能となる。
【０１１８】
よって、無線通信装置２００が異なるサービスエリア間を移動した場合において迅速なアクセスポイント接続を実現することができる。
【０１１９】
（実施の形態２）
図７は、本発明の実施の形態２に係る無線通信装置を有する無線通信システムの構成を示す概念図である。
【０１２０】
図７に示すように、無線通信システム４００は、無線通信装置５００と、アクセスポイントＡ２１と、アクセスポイントＡ２２〜Ａ２４とを備えて構成される。無線通信装置５００はアクセスポイントＡ２１により形成されるサービスエリアＥ１１に位置している。サービスエリアＥ１１に隣接しているサービスエリアとして、アクセスポイントＡ２２、Ａ２３によりそれぞれ形成されるサービスエリアＥ１２、Ｅ１３が存在し、サービスエリアＥ１２、Ｅ１３に隣接しているサービスエリアとして、アクセスポイントＡ２４により形成されるサービスエリアＥ１４が存在する。なお、図７に示す無線通信装置５００ａ、５００ｂは、無線通信システム４００において、サービスエリアＥ１１内の地点Ｍ１１に位置する無線通信装置５００が、サービスエリアＥ１２の地点Ｍ１２、サービスエリアＥ１４の地点Ｍ１３に移動した状態の無線通信装置を示している。互いに異なるサービスエリアＥ１１〜Ｅ１３を、それぞれ形成するアクセスポイントＡ２１〜Ａ２４は、それぞれ、無線通信装置５００と通信可能であり、無線通信装置５００からのプローブ要求、接続要求に応答するとともに、サービスを提供する。なお、各アクセスポイントＡ２１〜Ａ２４は、無線通信装置５００からのサービスエリア情報取得要求を受けるサービスエリア情報要求受付部と、サービスエリア情報要求を受けて、サービスエリア情報要求元の前記無線通信装置５００に、当該無線通信装置５００が現在位置するサービスエリア及び現在位置するサービスエリアとは異なる近隣のサービスエリアを構成するアクセスポイントを示すサービスエリア情報を通知する近隣接続情報通知部とを有する。
【０１２１】
本実施の形態２に係る無線通信装置５００は、所属サービスエリア外への移動に伴う接続先となるアクセスポイントを変更する際に、優先的に接続するアクセスポイントのプロファイル情報を予め設定しておき、その設定に従い接続処理を行うものである。
【０１２２】
図７では、その一例として、無線通信システム４００において、無線通信装置５００は、異なるサービスエリアＥ１１−Ｅ１２間、Ｅ１２−Ｅ１４間を、ユーザが移動前に予め決めた予定に従って移動する状態が図示されている。
【０１２３】
この実施の形態２の無線通信装置５００は、実施の形態１の無線通信装置２００と比較して、所属サービスエリア外のサービスエリアのアクセスポイントに接続する際に、接続中のアクセスポイントからサービスエリア情報を取得することなく、プロファイル情報の順位付けを行える点が異なる。
【０１２４】
図８は、本発明の実施の形態２に係る無線通信装置５００の要部構成を示す機能ブロック図である。なお、図８に示す無線通信装置５００は、図２に示す実施の形態１に対応する無線通信装置２００と同様の基本的構成を有しており、同一の構成要素には同一の符号を付し、その説明を省略する。
【０１２５】
図８に示すように無線通信装置５００は、入力部２０１ａと、無線ＬＡＮインターフェース部２０２と、プロファイル情報取得部２０６ａと、優先プロファイル情報選択部２１３と、受信電波強度取得部２１５と、アクセスポイント接続判定部２１７と、記憶部５０１と、状態変化検出部５０２と、優先順位設定部５０４と、不揮発性記憶部５０６と、制御部５０８とを有する。
【０１２６】
尚、無線通信装置５００において、入力部２０１ａ、無線ＬＡＮインターフェース部２０２、プロファイル情報取得部２０６ａ、優先プロファイル情報選択部２１３、受信電波強度取得部２１５、アクセスポイント接続判定部２１７、記憶部５０１、状態変化検出部５０２、優先順位設定部５０４、不揮発性記憶部５０６、制御部５０８等の各部は、実施の形態における無線通信装置２００のものと同様に、典型的には集積回路であるＬＳＩ（Large Scale Integration）により構成される。また、これら各部は、個別に１チップ化されても良いし、一部又は全てを含むように１チップ化されても良い。ここではＬＳＩとしたが、集積度の違いによりＩＣ、システムＬＳＩ、スーパーＬＳＩ、ウルトラＬＳＩと呼称されることもある。
【０１２７】
また、集積回路化の手法はＬＳＩに限るものではなく、専用回路または汎用プロセッサにより行っても良い。ＬＳＩ製造後に、プログラムすることが可能なＦＰＧＡ（Field Programmable Gate Array）や、ＬＳＩ内部の回路セルの接続や設定を再構成可能なコンフィギュラブル・プロセッサを利用して各部を構成しても良い。さらには、半導体技術の進歩又は派生する別技術によりＬＳＩに置き換わる集積回路化の技術により各部２０１ａ、２０２，２０６ａ、２１３，２１５，２１７，５０１，５０２，５０４，５０６、５０８の集積化を行っても良い。例えば、バイオ技術を適応することによって集積化を行ってもよい。
【０１２８】
なお、無線通信装置５００における入力部２０１ａは、例えば、操作キーなどを介したユーザの操作入力を受けて制御部５０８に出力し、無線通信装置５００における種々の動作を指示する。具体的には、ユーザから、スケジュールに沿ってアクセスポイントを接続するスケジュールアプリ機能の起動の入力を受け付けて、制御部５０８に出力してスケジュールアプリを起動させる。また、入力部２０１ａは、スケジュールアプリ起動後に、ユーザから入力される、移動するスケジュール＜時刻、場所＞を、制御部５０８を介して記
憶部５０１に記憶させる。この入力部２０１ａによるスケジュールアプリの起動要求は、制御部５０８を介して状態変化検出部５０２に出力する。
【０１２９】
記憶部５０１は、記憶部２０５と比較して、サービスエリア情報に換えて、サービスエリア間を移動する際のスケジュール情報を、入出力自在に保存する点が異なる。
【０１３０】
記憶部５０１に保存されるスケジュール情報は、ここでは、予定している時間を示す＜時刻＞と、＜時刻＞に位置する待ち合わせ場所や移動先の場所を示す＜場所＞の情報を有するスケジュールによりなるスケジュールテーブルとする。
【０１３１】
スケジュールにおいて、＜場所＞を示す情報には、当該＜場所＞が示す場所での接続先として優先させるアクセスポイントを関連付けられる情報が付与されている。
【０１３２】
図９は、記憶部５０１に保存されるスケジュールテーブルの一例を示す図である。
【０１３３】
図９に示すスケジュールテーブル５１０は、データ構造となっており、例えば、携帯電話などで見られるスケジュールアプリにより登録、管理されているデータにより構築されている。なお、ここでは、スケジュールテーブル５１０を、無線通信装置５００が過去に移動した際に接続したアクセスポイントとの通信状態を用いて、作成されたものとして説明する。
【０１３４】
スケジュールテーブル５１０において、スケジュールＤ１１は、時刻「１２:００」に「○○駅」へ移動する予定を示し、スケジュールＤ１２は時刻「１４:００」に「○×公園」に移動する予定を示す。また、スケジュールＤ１３は、時刻「１５：００」に「△△喫茶店」に移動していることを示している。なお、各スケジュールＤ１１、Ｄ１２、Ｄ１３は、ここでは、入力部２０１ａを介したユーザによるスケジュールアプリ起動後に、当該入力部２０１ａを介して入力されることによって、記憶部５０１に保存された情報（時刻、場所）とする。
【０１３５】
プロファイル情報取得部２０６ａは、記憶された各スケジュール（ここでは、スケジュールＤ１１、Ｄ１２、Ｄ１３等）のそれぞれを用いて、これらスケジュールが示す場所に対応するアクセスポイントのプロファイル情報を不揮発性記憶部５０６から読み出して記憶部５０１に保存する。なお、プロファイル情報は、アクセスポイントへ接続するために必要な情報を示すものであり、アクセスポイントを特定するための情報である。
【０１３６】
また、プロファイル情報取得部２０６ａは、プロファイル情報を取得すると、その旨の通知を、制御部５０８を介して優先順位設定部５０４に出力する。
【０１３７】
また、プロファイル情報取得部２０６ａは、スケジュールテーブルのスケジュールに設定の＜場所＞を参照することで、＜場所＞にリンクされた情報を読み出し可能となっている。具体的には、スケジュールの＜場所＞には、不揮発性記憶部５０６におけるプロファイル情報の位置（アドレス）を示す位置情報（例えば、ポインタ）が関連付けられている。この位置情報を用いて、プロファイル情報取得部２０６ａは、該当するプロファイル情報を取得することができる。なお、不揮発性記憶部５０６に記憶されるプロファイル情報は、実施の形態１のプロファイル情報と同様に、それぞれサービスを提供しているアクセスポイントを特定するためのＳＳＩＤを含む、当該アクセスポイントに接続する際に必要な情報を有する。ここでは、プロファイル情報は、実施の形態１と同様に、例えば、サービスを提供しているアクセスポイントを特定するための識別情報（ＳＳＩＤ）、通信で用いる暗号方式及び暗号化に必要な鍵情報（例えば、ＷＥＰ（Wired Equivalent Privacy）ＫＥＹ）、アクセスポイントへ接続するために必要な情報（ＩＰアドレス）などを有する
。
【０１３８】
図１０は、プロファイル情報取得部２０６ａが、不揮発性記憶部５０６から読み込むプロファイル情報の一例を示す図である。
【０１３９】
図１０に示すプロファイル情報は、例えば、テキストベースで構築され、サービスエリアＥ１１、Ｅ１２，Ｅ１４の各プロファイル情報をプロファイル情報Ｐ３１，Ｐ３２，ＰＰ３４で示している。
【０１４０】
すなわち、図１０では、サービスエリアＥ１１のアクセスポイントのプロファイル情報Ｐ３１は、サービスを提供しているアクセスポイントを特定するためのＳＳＩＤとしての「service_AreaＥ１１」と、暗号化方式及び暗号化に必要な情報ＷＥＰ ＫＥＹとしての「jeoiuoitlkj22」とアクセスポイントへ接続するために必要なＩＰアドレス（ＩＰ_Ａｄｄｒ）としての「132.186.2.22」を有している。同様に、サービスエリアＥ１２のプロファイル情報Ｐ３２は、「SSID：Service_AreaＥ１２、WEP KEY:klaujoeiu93、IP_Addr: 192.168.0.2」を有している。また、サービスエリアＥ１４のプロファイル情報Ｐ３４は、「SSID：Service_AreaＥ１４、WEP KEY:koitoiroiiuo2、IP_Addr:10.68.36.22」を有している。
【０１４１】
不揮発性記憶部５０６は、制御部５０８を介して読み出し可能な、サービスエリアに関するプロファイル情報（サービスエリアを形成するアクセスポイントのプロファイル情報）を記憶するものであり、ここでは、予め記憶しているものとする。
【０１４２】
不揮発性記憶部５０６に記憶されるプロファイル情報は、それぞれサービスを提供しているアクセスポイントを特定するためのＳＳＩＤ、暗号方式及び暗号化に必要な鍵情報、アクセスポイントへ接続するために必要なＩＰアドレスなどから構成されている。
【０１４３】
不揮発性記憶部５０６は、無線通信システム４００における異なるサービスエリア全てのアクセスポイントのプロファイル情報を記憶している。本実施の形態における不揮発性記憶部５０６では、少なくとも、サービスエリアＥ１１〜Ｅ１４のアクセスポイントＡ２１〜Ａ２４毎のプロファイル情報が記憶されている。
【０１４４】
優先順位設定部５０４は、記憶部５０１に格納された情報を用いて、プロファイル情報取得部２０６ａにより取得されたプロファイル情報に対して、優先的に接続するアクセスポイントの情報を含む順に、優先順位を設定する。
【０１４５】
具体的には、優先順位設定部５０４は、記憶部５０１のスケジュール（例えば、図９で示すスケジュールＤ１１、Ｄ１２、Ｄ１３）に設定の＜時刻＞を用いて、実行時間の早いスケジュール順に、それぞれ対応するプロファイル情報を順位付けする。
【０１４６】
さらに、優先順位設定部５０４は、無線ＬＡＮインターフェース部２０２から制御部５０８にサービスエリアのアクセスポイントへの接続完了信号が出力された際に、次の移動先であるサービスエリアのアクセスポイントへの接続を迅速に行うため、記憶部５０１に保持されているプロファイル情報を読み出して、優先順位の変更を行う。
【０１４７】
また、優先順位設定部５０４は、優先順位付けが処理を終了すると、制御部５０８を介して優先プロファイル情報選択部２１３に優先順位付け終了通知信号を出力する。
【０１４８】
優先プロファイル情報選択部２１３は、優先順位付け終了通知信号の入力によって、優先順位されたプロファイル情報において、優先順の高いプロファイル情報（優先プロファ
イル情報）を選択し、記憶部５０１から読み出す。また、優先プロファイル情報選択部２１３は、優先プロファイル情報の読み出し終了後、その終了通知信号を、制御部５０８を介して受信電波強度取得部２１５に出力する。
【０１４９】
受信電波強度取得部２１５は、実施の形態１のものと同様に、プロファイル情報に設定されたＳＳＩＤを参照して、制御部５０８、無線ＬＡＮインターフェース部２０２を介したアクセスポイントへのプローブ要求を行う。そして、受信電波強度取得部２１５は、アクセスポイントからのプローブ要求の応答を受けて、応答時の受信電波の受信強度を測定し、制御部５０８を介してアクセスポイント接続判定部２１７へ出力する。
【０１５０】
具体的には、受信電波強度取得部２１５は、優先プロファイル情報選択部２１３又はアクセスポイント接続判定部２１７から制御部５０８を介した信号が入力された際に、優先プロファイル情報のアクセスポイント、又は、接続判定対象のアクセスポイントからの信号（例えばビーコン）の受信強度（接続受信レベル）を判定する。
【０１５１】
アクセスポイント接続判定部２１７は、受信電波強度の測定結果を用いて、受信電波強度測定対象となる信号を送信したアクセスポイントへの接続判定を行う。アクセスポイント接続判定部２１７において、接続可能であれば、制御部５０８、無線ＬＡＮインターフェース部２０２を介して、プロファイル情報を用いてアクセスポイントへ接続要求を行う。一方、アクセスポイント接続判定部２１７において、接続不能であれば、制御部５０８を介して、同じアクセスポイントからの電波強度の判定をするために、受信電波強度取得部２１５に、電波強度取得指示信号を出力する。
【０１５２】
制御部５０８は、入力部２０１ａ、無線ＬＡＮインターフェース部２０２、プロファイル情報取得部２０６ａ、優先プロファイル情報選択部２１３、受信電波強度取得部２１５、アクセスポイント接続判定部２１７、記憶部５０１、状態変化検出部５０２、優先順位設定部５０４、不揮発性記憶部５０６間の信号の入出力を制御する。
【０１５３】
制御部５０８は、各部２０２、２０６ａ、２１３、２１５、２１７、５０１、５０２、５０４、５０６の制御によって、予め優先順位付けされたプロファイル情報（スケジュールテーブル５１０）を管理して、移動予定先のサービスエリアを形成するアクセスポイントへの接続情報を優先的に選択し、接続要求する制御を行う。また、スケジュールテーブル５０１を保持する。
【０１５４】
次に、本発明に係る無線通信装置５００におけるアクセスポイントの接続方法について図１１を用いて説明する。
【０１５５】
図１１は、本発明の実施の形態２に係る無線通信装置におけるアクセスポイント接続を説明するフローチャートである。
【０１５６】
ここでは、図１１に基づく無線通信装置５００におけるアクセスポイントへの接続処理の説明を、図７に示す無線通信システム４００において、無線通信装置５００が、スケジュールテーブル５１０（図９参照）に従って、サービスエリアＥ１１、Ｅ１２、Ｅ１４と順に移動する場合を適用して説明する。
【０１５７】
すなわち、図７において、地点Ｍ１１に位置する無線通信装置５００は、スケジュールテーブル５１０のスケジュールＤ１１の時刻１２：００にサービスエリアＥ１１へ到達している状態を示すものとする。また、図７において、地点Ｍ１２に位置する無線通信装置５００ａは、サービスエリアＥ１１内を移動して、地点Ｍ１１から、スケジュールＤ１２の時刻１４：００にサービスエリアＥ１２に到達している状態を示すものとする。さらに
、図７において、地点Ｍ１３に位置する無線通信装置５００ｂは、地点Ｍ１２から更に移動して、スケジュールＤ１３の時刻１５：００にサービスエリアＥ１４に到達している状態を示すものとする。
【０１５８】
図７において、サービスエリアＥ１１内の無線通信装置５００では、ユーザから通信アプリ起動のための入力が行われると、その情報が入力部２０１ａを介して制御部５０８へ通知され、制御部５０８は通信アプリの起動を行うとともに、状態変化検出部５０２へアプリ起動を通知する。
【０１５９】
次いで、状態変化検出部５０２は、制御部５０８からの情報でアプリが起動されたことを検知し、制御部５０８へその旨を通知する（ステップＳ１０）。
【０１６０】
プロファイル情報取得部２０６ａは、制御部５０８からの通知を受けると、図９に示すスケジュールテーブル５１０（詳細には、スケジュール）に設定の＜場所＞を用いて、それに対応する不揮発性記憶部５０６に保存されているプロファイル情報（ここでは、プロファイル情報Ｐ３１、Ｐ３２、Ｐ３４）を読み出す（ステップＳ１１）。
【０１６１】
なお、プロファイル情報は、上述したようにアクセスポイントへ接続するために必要な情報を示すもので、この情報はアクセスポイントを特定するための情報として利用することが可能である。
【０１６２】
また、プロファイル情報は、記憶部５０１のスケジュールテーブルに設定の＜場所＞に関連付けられており、プロファイル情報取得部２０６ａは、これら＜場所＞とプロファイル情報を関連付ける情報を用いて、不揮発性記憶部５０６からプロファイル情報を読み出す。
【０１６３】
図１２は、プロファイル情報取得部によるスケジュールテーブルを用いたプロファイル情報の読み出しの説明に供する図である。
【０１６４】
図１２に示すように、記憶部５０１では、スケジュールテーブルにおけるスケジュールにおける＜場所＞の情報が別途、一次元配列で管理され、個々の配列に、不揮発性記憶部５０６に格納されているプロファイル情報のアドレスへのポインタが関連付けられている。また、記憶部５０１は、各スケジュールに対して、無線通信装置５００の移動順にアドレス（例えば、「１０００」、「１００２」、「１００４」）を付与して保存するものとする。
【０１６５】
これによりプロファイル情報取得部２０６ａは、記憶部５０１のスケジュールにおける＜場所＞を読み出すことで、読み出した＜場所＞に関連付けられているポインタを用いて不揮発性記憶部５０６から、ポインタの示すアドレスのプロファイル情報を読み出すことができる。
【０１６６】
例えば、無線通信装置５００において、「○○駅」という情報が記述された記憶部５０１上の１０００番地目の配列が選択されると、そのデータはアドレス４００番地へのポインタを有しているので、同時にポインタ先のプロファイル情報も読み出すことができる。
【０１６７】
このようにプロファイル情報取得部２０６ａにより読み出されるプロファイル情報は、スケジュールの＜場所＞でサービス提供先となるアクセスポイントのプロファイル情報である。ここでは、プロファイル情報取得部２０６ａによって、スケジュールＤ１１に設定の＜場所＞に対応するプロファイル情報Ｐ３１、スケジュールＤ１２に設定の＜場所＞に対応するプロファイル情報Ｐ３２、スケジュールＤ１３に設定の＜場所＞に対応するプロ
ファイル情報Ｐ３４が読み出される。
【０１６８】
このように、プロファイル情報を読み出した後、プロファイル情報取得部２０６ａは、制御部５０８を介して優先順位設定部５０４へプロファイル情報読出終了を通知する。
【０１６９】
優先順位設定部５０４は、スケジュールＤ１１、Ｄ１２、Ｄ１３に設定の＜時刻＞を参照して、プロファイル情報取得部２０６ａによって取得されたプロファイル情報の優先順位付けを行う（ステップＳ１２）。
【０１７０】
ステップＳ１２における優先順位設定部５０４の優先順位付けは、ここでは、登録されたスケジュールが実行される時刻の順に対応するプロファイル情報に優先順位を付けていく。
【０１７１】
優先順位設定部５０４では、例えば、図９のスケジュールテーブル５１０において、最初に実行されるスケジュールは＜時刻＞が１２：００に設定されているスケジュールＤ１１であるから、それに対応するプロファイル情報であるプロファイル情報Ｐ３１を最も優先順位のものとして優先順位付けを行う。
【０１７２】
次に実行されるスケジュールは＜時刻＞が１４：００のスケジュールＤ１２であるから、それに対応するプロファイル情報Ｐ３２が２番目に優先順位の高いプロファイル情報として優先順位付けが行われる。同様にして、プロファイル情報Ｐ３４にも優先順位付けが行われることになる。
【０１７３】
以上のように順位付けされたプロファイル情報の一例を図１３に示す。
【０１７４】
図１３は、優先順位設定部により優先順位付けされたプロファイル情報のデータ構造の一例を示す図である。
【０１７５】
図１３に示すように、優先順位設定部５０４は、プロファイル情報Ｐ３１→Ｐ３２→Ｐ３４と各プロファイル情報に対して優先順位付けを行う。
【０１７６】
優先順位設定部５０４は、優先順位付け処理が終了すると、制御部５０８を介して優先プロファイル情報選択部２１３へその旨を通知する。
【０１７７】
この通知を受けて優先プロファイル情報選択部２１３は、優先順位の最も高いプロファイル情報Ｐ３１を選択し、記憶部５０１から読み出す処理を行う（ステップＳ１３）。この選択したプロファイル情報の読み出し処理が終了すると、優先プロファイル情報選択部２１３は、その終了通知を、制御部５０８を介して受信電波強度取得部２１５に通知する。
【０１７８】
優先プロファイル情報選択終了通知を受けた受信電波強度取得部２１５は、選択されたプロファイル情報Ｐ３１に設定のＳＳＩＤが示すアクセスポイントからの受信電波の強度を取得する（ステップＳ１４）。
【０１７９】
具体的に、ステップＳ１４では、受信電波強度取得部２１５は、プロファイル情報Ｐ３１に設定されたＳＳＩＤを参照して、制御部５０８、無線ＬＡＮインターフェース部２０２を介したアクセスポイントへのプローブ要求を行う。プローブ要求をうけたアクセスポイントは、その応答を無線ＬＡＮインターフェース部２０２、制御部５０８を介して受信電波強度取得部２１５へ通知する。この応答信号を用いて、受信電波強度取得部２１５は、受信された電波の受信強度を測定し、制御部５０８を介してアクセスポイント接続判定
部２１７へ通知する。なお、測定した結果は、制御部５０８を介してアクセスポイント接続判定部２１７へ通知される。
【０１８０】
この通知を受けて、アクセスポイント接続判定部２１７は、アクセスポイントへの接続判定、つまり、受信信号を送信したアクセスポイントへ接続可能か否かを判定する（ステップＳ１５）。
【０１８１】
ステップＳ１５において、アクセスポイントへ接続可能と判断できる場合、制御部５０８、無線ＬＡＮインターフェース部２０２を介してアクセスポイント（例えば、アクセスポイントＡ２１）へ接続要求を行う。この接続要求は、プロファイル情報Ｐ３１に設定された情報を参照して行われる。上記接続要求を受けたアクセスポイント（例えば、アクセスポイントＡ２１）は、無線通信装置５００に対して応答し、無線通信装置５００では、無線ＬＡＮインターフェース部２０２、制御部５０８を介してアクセスポイント接続判定部２１７に通知される。また、サービスエリアＥ１１のアクセスポイントＡ２１への接続完了が、無線ＬＡＮインターフェース部２０２から制御部５０８へ通知され、制御部５０８は、優先順位設定部５０４に対して処理要求を行い、ステップＳ１６に移行する。なお、処理要求の内容は、次の移動先であるサービスエリア（ここでは、Ｅ１２）のアクセスポイント（ここでは、Ａ２２）への接続を迅速に行うため、記憶部５０１に保持されているプロファイル情報を読み出して、優先順位の変更を行うものである。
【０１８２】
ステップＳ１５において、アクセスポイントへ接続不可能と判断する場合は、再度受信電波強度取得部２１５へ電波強度を取得するよう制御部５０８を介して通知し、ステップＳ１４に移行する。
【０１８３】
ステップＳ１６では、優先順位設定部５０４は、プロファイル情報に対して設定された順位を変更する。
【０１８４】
具体的に、ステップＳ１６では、優先順位設定部５０４は、現在接続中のアクセスポイントＡ２１の接続情報として設定されているプロファイル情報Ｐ３１を、今後無線通信装置５００の移動が発生した場合での使用可能性の低いものとして、最も低い優先順位付けを行う。そして、優先順位設定部５０４は、次の移動先となっているサービスエリアＥ１２を形成するアクセスポイントＡ２２への接続情報が設定されたプロファイル情報Ｐ３２を最も優先順位の高いプロファイル情報として設定する。なお、プロファイル情報Ｐ３４は２番目の優先順位が付けられる。
【０１８５】
図１４は、優先順位設定部における、優先順位付けの変更結果を示す図である。
【０１８６】
図１４では、プロファイル情報Ｐ３１が最も優先順位の低いプロファイル情報として設定され、プロファイル情報Ｐ３２が最も優先順位の高いプロファイル情報として設定されている。
【０１８７】
以上の処理の後、無線通信装置５００では、次のスケジュールＤ１２でのアクセスポイント接続に備えることが可能となる。
【０１８８】
この次のスケジュールＤ１２に関連するサービスエリアＥ１２を形成する次の接続先であるアクセスポイントＡ２２への接続要求は、ステップＳ１７の処理の後、行われる。
【０１８９】
ステップＳ１７では、状態変化検出部５０２は、現在接続中のアクセスポイントＡ２１からのビーコン（無線ＬＡＮインターフェース部２０２、制御部５０８を介して受信される信号）の受信レベル（接続受信レベル）が閾値以下となったかを判定する。
【０１９０】
このステップＳ１７の状態変化検出部５０２におけるビーコン受信レベルの閾値判定の結果、閾値以下であると検出された場合に、ステップＳ１３に戻り、優先プロファイル情報選択部２１３は、次に順位付けされたプロファイル情報Ｐ３２を選択する。
【０１９１】
また、ステップＳ１７において、状態変化検出部５０２によるビーコンの受信レベル判定の結果、受信レベルが閾値より大きい場合は、現在接続しているアクセスポイントへの接続を維持する（ステップＳ１８）。
【０１９２】
以上のように、本実施の形態２の無線通信装置５００では、記憶部５０１で、スケジュールテーブルのスケジュールに沿って移動する際に、スケジュール毎に関連するプロファイル情報を優先的に順位付けして、この優先的に順位付けされたプロファイル情報を用いて、各スケジュール実行に際し、接続先のアクセスポイントを設定する。
【０１９３】
つまり、無線通信装置５００によれば、あらかじめ優先順位付けされたプロファイル情報を管理することで、移動予定先のサービスエリアを形成するアクセスポイントへの接続情報を優先的に選択し、接続要求を行うことが可能となる。
【０１９４】
例えば、ユーザが移動するサービスエリアの順にプロファイル情報の優先順位付けを行っておけば、移動予定先のプロファイル情報を常に優先的に選択することができる。よって、移動先のアクセスポイントへの迅速な接続を実現することが可能となる。また、移動先のサービスエリア情報を取得する必要が無いため、消費電力を低減することが可能となる。
【０１９５】
（実施の形態３）
図１５は、本発明の実施の形態３に係る無線通信装置を有する無線通信システムの構成を示す概念図である。
【０１９６】
図１５に示す無線通信システム７００は、実施の形態２の無線通信システム４００において、無線通信装置５００に換えて無線通信装置８００を備えるものであり、各サービスエリアＥ１１〜Ｅ１４及びこれらサービスエリアＥ１１〜Ｅ１４を形成するアクセスポイントＡ２１〜Ａ２４は同様のものである。
【０１９７】
すなわち、図１５に示す無線通信システム７００は、無線通信装置８００と、アクセスポイントＡ２１と、アクセスポイントＡ２２〜Ａ２４とを備えて構成される。無線通信装置８００はアクセスポイントＡ２１により形成されるサービスエリアＥ１１に位置している。
【０１９８】
サービスエリアＥ１１に隣接している異なるサービスエリアとして、アクセスポイントＡ２２、Ａ２３によりそれぞれ形成されるサービスエリアＥ１２、Ｅ１３が存在し、サービスエリアＥ１２、Ｅ１３に隣接している異なるサービスエリアとして、アクセスポイントＡ２４により形成されるサービスエリアＥ１４が存在する。なお、各アクセスポイントＡ２１〜Ａ３４は、無線通信装置８００からのサービスエリア情報取得要求を受けるサービスエリア情報要求受付部と、サービスエリア情報要求を受けて、サービスエリア情報要求元の無線通信装置８００に、無線通信装置８００が現在位置するサービスエリア及び現在位置するサービスエリアとは異なる近隣のサービスエリアを構成するアクセスポイントを示すサービスエリア情報を通知する近隣接続情報通知部とを有する。
【０１９９】
図１６は本発明の実施の形態３に係る無線通信装置８００の要部構成を示す機能ブロック図である。なお、図１６に示す無線通信装置８００は、図８に示す実施の形態２に対応
する無線通信装置５００と同様の基本的構成において、サービスエリア情報取得部８１２を設け、このサービスエリア情報取得部８１２を用いて情報収集を行う機能を、制御部８１４に設けたものである。よって、以下では、無線通信装置８００は、無線通信装置５００と同一の構成要素には同一の符号を付し、その説明を省略する。
【０２００】
すなわち、無線通信装置８００は、無線通信装置２００と同様な基本的な機能を有する入力部２０１ａと、無線ＬＡＮインターフェース部２０２と、優先プロファイル情報選択部２１３と、受信電波強度取得部２１５と、不揮発性記憶部５０６とに加え、記憶部８０１と、プロファイル情報取得部８０３と、状態変化検出部８０６と、優先順位設定部８０８と、アクセスポイント接続判定部８１０と、サービスエリア情報取得部８１２と、制御部８１４とを有する。
【０２０１】
尚、無線通信システム７００において、無線通信装置８００は、無線通信装置２００と同様に、入力部２０１ａ、無線ＬＡＮインターフェース部２０２、優先プロファイル情報選択部２１３、受信電波強度取得部２１５、不揮発性記憶部５０６、記憶部８０１、プロファイル情報取得部８０３、状態変化検出部８０６、優先順位設定部８０８、アクセスポイント接続判定部８１０、サービスエリア情報取得部８１２、制御部８１４の各部は、典型的には集積回路であるＬＳＩ（Large Scale Integration）により構成される。
【０２０２】
これら各部は、個別に１チップ化されても良いし、一部又は全てを含むように１チップ化されても良い。ここではＬＳＩとしたが、集積度の違いによりＩＣ、システムＬＳＩ、スーパーＬＳＩ、ウルトラＬＳＩと呼称されることもある。
【０２０３】
また、集積回路化の手法はＬＳＩに限るものではなく、専用回路または汎用プロセッサにより行っても良い。ＬＳＩ製造後に、プログラムすることが可能なＦＰＧＡ（Field Programmable Gate Array）や、ＬＳＩ内部の回路セルの接続や設定を再構成可能なコンフィギュラブル・プロセッサを利用して各部を構成しても良い。さらには、半導体技術の進歩又は派生する別技術によりＬＳＩに置き換わる集積回路化の技術により各部２０１〜２１３の集積化を行っても良い。例えば、バイオ技術を適応することによって集積化を行ってもよい。
【０２０４】
入力部２０１ａは、例えば、操作キーなどを介したユーザの操作入力によって、無線通信装置２００において各部を用いた種々の動作を行う。具体的には、ユーザから、スケジュールに沿ってアクセスポイントを接続するスケジュールアプリ機能の起動の入力を受け付けて、制御部８１４に出力してスケジュールアプリを起動させる。また、入力部２０１ａは、スケジュールアプリ起動後に、ユーザから入力される、移動するスケジュール＜時刻、場所＞を、制御部８１４を介して記憶部８０１に記憶させる。また、入力部２０１ａは、スケジュールアプリの起動要求信号を、制御部８１４を介して状態変化検出部８０６に出力する。
【０２０５】
不揮発性記憶部５０６は、実施の形態２の無線通信装置５００が有するものと同様のものであり、制御部８１４を介して読み出し可能な、サービスエリアに関するプロファイル情報（サービスエリアを形成するアクセスポイントのプロファイル情報）を記憶する。ここでは、不揮発性記憶部５０６は、無線通信システム７００における異なるサービスエリアＥ１１〜Ｅ１４のアクセスポイントＡ２１〜Ａ２４毎のプロファイル情報が記憶されている。なお、プロファイル情報は、それぞれサービスを提供しているアクセスポイントを特定するためのＳＳＩＤ、暗号方式及び暗号化に必要な鍵情報、アクセスポイントへ接続するために必要なＩＰアドレスなどから構成されている。
【０２０６】
記憶部８０１は、制御部８１４を介して入出力される情報を保存する。なお、以下では
制御部８１４を介した各部間の情報の入出力は、各部間の入出力として説明することもある。
【０２０７】
具体的には、記憶部８０１は、制御部８１４を介して、入力部２０１ａから入力され、サービスエリア間を移動する際に用いられるスケジュール情報を保存する。
【０２０８】
また記憶部８０１は、サービスエリア情報取得部８１２により取得されたサービスエリア情報や不揮発性記憶部５０６からのサービスエリア（詳細にはアクセスポイント）のプロファイル情報を保存する。
【０２０９】
更に、記憶部８０１は、受信電波強度取得部２１５によって測定された信号の電波強度と、当該信号の発信元であるアクセスポイントのＳＳＩＤの対応情報とを保存する。
【０２１０】
また、記憶部８０１は、優先順位設定部８０８で優先順位付けされたプロファイル情報を、例えば、リスト構造で、優先順位の高いプロファイル情報から優先順位順にアクセス可能となるような管理形式で保存する。
【０２１１】
記憶部８０１に保存されるスケジュール情報は、ここでは、予定している時間を示す＜時刻＞と、＜時刻＞に位置する待ち合わせ場所や移動先の場所を示す＜場所＞の情報を有するスケジュールによりなるスケジュールテーブルとする。
【０２１２】
スケジュールにおいて、＜場所＞を示す情報には、当該＜場所＞が示す場所での接続先として優先させるアクセスポイントを関連付けられる情報が付与されている。
【０２１３】
なお、記憶部８０１で記憶されるスケジュール情報は、記憶部５０１で記憶される、スケジュールＤ１１〜Ｄ１３を有するスケジュールテーブル５１０（図９参照）と同様のものとする。
【０２１４】
プロファイル情報取得部８０３は、制御部８１４からの通知を受けて不揮発性記憶部５０６に保存されているプロファイル情報（例えば、プロファイル情報Ｐ３１、Ｐ３２、Ｐ３４）を読み出して、記憶部５０１上にプロファイル情報を保存すると、その旨の通知を、制御部８１４を介して優先順位設定部８０８に出力する。
【０２１５】
具体的には、プロファイル情報取得部８０３は、記憶された各スケジュール（ここでは、図９に示すスケジュールＤ１１、Ｄ１２、Ｄ１３等）のそれぞれを用いて、これらスケジュールが示す場所に対応するアクセスポイントのプロファイル情報を不揮発性記憶部５０６から読み出して記憶部８０１に保存する。
【０２１６】
また、プロファイル情報取得部８０３は、スケジュールテーブルのスケジュールに設定の＜場所＞を参照することで、＜場所＞にリンクされた情報を読み出し可能となっている。具体的には、スケジュールの＜場所＞には、不揮発性記憶部５０６におけるプロファイル情報の位置（アドレス）を示す位置情報（例えば、ポインタ）が関連付けられている。
【０２１７】
この位置情報を用いて、プロファイル情報取得部８０３は、該当するプロファイル情報を不揮発性記憶部５０６から取得することができる。なお、不揮発性記憶部５０６に記憶されるプロファイル情報は、アクセスポイントへ接続するために必要な情報を示すものであり、アクセスポイントを特定するための情報である。
【０２１８】
具体的には、プロファイル情報は、実施の形態１のプロファイル情報と同様に、それぞれサービスを提供しているアクセスポイントを特定するためのＳＳＩＤを含む、当該アク
セスポイントに接続する際に必要な情報を有する。ここでは、プロファイル情報は、実施の形態１と同様に、例えば、サービスを提供しているアクセスポイントを特定するための識別情報（ＳＳＩＤ）、通信で用いる暗号方式及び暗号化に必要な鍵情報（例えば、ＷＥＰ（Wired Equivalent Privacy）ＫＥＹ）、アクセスポイントへ接続するために必要な情報（ＩＰアドレス）などを有する。このプロファイル情報の一例としては、例えば、図１０に示すものが挙げられる。
【０２１９】
また、プロファイル情報取得部８０３は、記憶部５０１にサービスエリア情報が記憶されている際には、サービスエリア情報を用いて、これらサービスエリア情報が示す各サービスエリアに対応するアクセスポイントのプロファイル情報を取得する。具体的には、プロファイル情報取得部８０３は、サービスエリア情報取得部８１２から制御部８１４を介したサービスエリアの情報取得信号の入力を受けて、記憶部８０１に保存されたサービスエリア情報を読み込む。そして、この読み込んだサービスエリア情報を用いて、不揮発性記憶部５０６から、サービスエリア情報が示すアクセスポイントのプロファイル情報を取得する。
【０２２０】
本実施の形態では、プロファイル情報取得部８０３は、記憶部８０１から、サービスエリア情報取得部８１２により取得されたサービスエリア情報を取得する。この取得したサービスエリア情報を用いて、プロファイル情報取得部８０３は、当該サービスエリア情報の示すサービスエリアに対応するアクセスポイントのプロファイル情報を不揮発性記憶部５０６から読み出して記憶部８０１に保存する。
【０２２１】
状態変化検出部８０６は、制御部８１４を介して入力される情報を用いて、無線通信装置８００自体の使用状態の変化を検出し、制御部８１４に出力する。
【０２２２】
具体的には、状態変化検出部８０６は、ユーザにより入力部２０１ａを介して入力されたスケジュールアプリ起動を、無線通信装置８００自体の状態変化として検出し、制御部８１４を介して受信電波強度取得部２１５に出力する。
【０２２３】
また、状態変化検出部８０６は、無線ＬＡＮインターフェース部２０２及び制御部８１４を介して入力される、無線通信装置８００の位置するサービスエリアを形成するアクセスポイントからのビーコン（信号）の受信レベル（接続受信レベル）を判定する。
【０２２４】
状態変化検出部８０６におけるビーコンの受信レベルの判定は、例えば、接続先のアクセスポイントからのビーコン（信号）の受信レベルを予め設定された閾値と比較することによって行う。ビーコンが閾値以上であれば、制御部８１４を介して無線ＬＡＮインターフェース部２０２に、現在接続しているアクセスポイントへの接続を継続させ、閾値以下であれば、制御部８１４を介してプロファイル情報取得部８０３にその旨の信号を出力する。
【０２２５】
優先順位設定部８０８は、記憶部８０１に格納された情報を用いて、プロファイル情報取得部８０３により取得されたプロファイル情報に対して、優先的に接続するアクセスポイントの情報を含む順に、優先順位を設定する。
【０２２６】
具体的には、優先順位設定部８０８は、プロファイル情報取得部８０３から、制御部８１４を介して入力される、プロファイル情報の記憶部８０１への保存終了信号を受けて、サービスエリア情報取得部８１２で取得された情報と、プロファイル情報取得部８０３で取得された情報を用いて、サービスエリアに存在するアクセスポイントのプロファイル情報に優先順位付けを行う。
【０２２７】
例えば、優先順位設定部８０８は、記憶部８０１のスケジュール（例えば、図９で示すスケジュールＤ１１、Ｄ１２、Ｄ１３）に設定の＜時刻＞を用いて、実行時間の早いスケジュール順に、それぞれ対応するプロファイル情報を順位付けする。
【０２２８】
また、優先順位設定部８０８は、無線ＬＡＮインターフェース部２０２から制御部８１４にサービスエリアのアクセスポイントへの接続完了信号が出力された際に、次の移動先であるサービスエリアのアクセスポイントへの接続を迅速に行うため、記憶部８０１に保持されているプロファイル情報を読み出して、優先順位の変更を行う。
【０２２９】
また、優先順位設定部８０８は、優先順位付けが処理を終了すると、制御部８１４を介して優先プロファイル情報選択部２１３に優先順位付け終了通知信号を出力する。
【０２３０】
優先順位設定部８０８により設定される優先順位は、優先順位設定部８０８によって、現在位置している場所から次の移動先サービスエリアへ移動する過程において、選択される可能性が高いプロファイル情報から順に付与される。
【０２３１】
また、優先順位設定部８０８は、接続中のアクセスポイントからの受信電波強度と、記憶部８０１のスケジュール或いは、接続中のアクセスポイントからのサービスエリア情報とを用いて、接続状況が良好であろう順に、接続されるサービスエリア（具体的には、接続先となるアクセスポイント）の優先順位を設定して、これに対応してプロファイル情報を優先順に並び替える。
【０２３２】
例えば、接続中のアクセスポイントからの受信電波強度が小さくなった場合、サービスエリア情報とプロファイル情報とから、所属サービスエリアに近い他のサービスエリアを形成するアクセスポイントのプロファイル情報を、最も優先するように並び換える。
【０２３３】
なお、優先順位を付ける際に、対象となるサービスエリアにおける、所属サービスエリアに対する近さが、同程度の近さである場合、優先順位設定部８０８は、これら対象となるサービスエリアを形成するアクセスポイントのプロファイル情報の優先順位付けをランダムに行う。
【０２３４】
アクセスポイント接続判定部８１０は、受信電波強度の測定結果を用いて、受信電波強度測定対象となる信号を送信したアクセスポイントへの接続判定を行う。アクセスポイント接続判定部８１０において、接続可能であれば、制御部８１４、無線ＬＡＮインターフェース部２０２を介して、プロファイル情報を用いてアクセスポイントへ接続要求を行う。一方、アクセスポイント接続判定部８１０において、接続不能であれば、制御部８１４を介して、同じアクセスポイントからの電波強度の判定をするために、受信電波強度取得部２１５に、電波強度取得指示信号を出力する。
【０２３５】
また、アクセスポイント接続判定部８１０は、制御部８１４を介して入力される、受信電波強度取得部２１５により測定された受信電波強度を用いて、当該受信電波強度の対象となる信号を送信したアクセスポイントと接続可能かを判定する。この判定結果に基づいて、アクセスポイント接続判定部８１０は、優先プロファイル情報選択部２１３により選択されたプロファイル情報のアクセスポイントへの接続要求を、制御部８１４を介して無線ＬＡＮインターフェース部２０２に行う。
【０２３６】
一方、先の判定結果が接続不能である場合、アクセスポイント接続判定部８１０は、制御部８１４を介して、次の優先順位のプロファイル情報を選択させるべく優先プロファイル情報選択部２１３へ信号を出力する、或いは、サービスエリアの収集を実施させるべくサービスエリア情報取得部８１２へ信号を出力する。
【０２３７】
サービスエリア情報取得部８１２は、アクセスポイント接続判定部８１０から制御部８１４を介して入力される、近隣のサービスエリアの情報収集要求を受けて、サービスエリアを形成するアクセスポイントの情報を含む情報を収集する。
【０２３８】
具体的に、サービスエリア情報取得部８１２は、アクセスポイント接続判定部８１０からの要求に応じて、近隣のサービスエリアを形成するアクセスポイントのプロファイル情報を取得するための情報を接続しているサービスエリアのアクセスポイントから取得する。
【０２３９】
具体的には、サービスエリア情報取得部８１２は、接続しているサービスエリアを形成するアクセスポイントに対するサービスエリア情報の取得要求を、無線ＬＡＮインターフェース部２０２に出力する。
【０２４０】
この取得要求に対するアクセスポイントの応答として送信されるサービスエリア情報は、無線ＬＡＮインターフェース部２０２から制御部８１４へ出力されて、記憶部８０１に記憶されることによって、サービスエリア情報取得部８１２に取得される。
【０２４１】
図１７は、アクセスポイントから取得したサービスエリア情報の一例を示す図である。なお、取得したサービスエリア情報は、図３で示すサービスエリア情報３００と同様に形成されている。すなわち、サービスエリア情報３００ａは、テキストベースで構成され、例えば、＜所属サービスエリア＞、＜隣接サービスエリア＞及び＜周辺サービスエリア＞の三種類の情報を有する。
【０２４２】
サービスエリア情報における＜所属サービスエリア＞は、現在接続しているアクセスポイントが提供しているサービスエリアを示し、＜隣接サービスエリア＞は現在接続しているサービスエリアに隣接しているサービスエリアの情報を示している。また、＜周辺サービスエリア＞は現在接続しているサービスエリアの周辺に位置している（隣接しているサービスエリアよりは遠い場所に位置している）ことを示している。＜隣接サービスエリア＞及び＜周辺サービスエリア＞は、＜所属サービスエリア＞の近隣に存在するサービスエリアを示している。なお、図１７のサービスエリア情報では、接続中のアクセスポイントはサービスエリアＥ１２を提供していることを示し、隣接しているサービスエリアはＥ１１、Ｅ１３、Ｅ１４である、ということを示している。なお、＜周辺サービスエリア＞は空欄である。これは隣接するサービスエリアは存在するものの、その他近くにはサービスエリアが存在しないことを示している。
【０２４３】
制御部８１４は、無線ＬＡＮインターフェース部２０２、優先プロファイル情報選択部２１３、受信電波強度取得部２１５、不揮発性記憶部５０６、記憶部８０１、プロファイル情報取得部８０３、状態変化検出部８０６、優先順位設定部８０８、アクセスポイント接続判定部８１０、サービスエリア情報取得部８１２間の信号の入出力を制御する。
【０２４４】
制御部８１４は、各部２０２、２１３、２１５、８０３、８０６、８０８、８１０、８１２の動作を制御することによって、予め優先順位付けされたプロファイル情報を管理して、移動予定先のサービスエリアを形成するアクセスポイントへの接続情報を優先的に選択し、接続要求を行う。ここでは、ユーザが移動するサービスエリアの順にプロファイル情報の優先順位付けを行っておくことで、移動予定先のプロファイル情報を常に優先的に選択するように制御する。また、制御部８１４は、予め優先順位付けされたプロファイル情報から最も優先順位の高いプロファイル情報を選択し、アクセスポイントへ接続失敗となった場合、その時点での近隣のサービスエリア情報及びそれらサービスエリアのプロファイル情報の収集を行いプロファイル情報に対する優先順位付けを実行する制御を行う。
【０２４５】
次に、本発明に係る無線通信装置８００におけるアクセスポイント接続方法について説明する。
【０２４６】
図１８〜図２０は、本発明の実施の形態３に係る無線通信装置におけるアクセスポイント接続を説明するフローチャートである。
【０２４７】
ここでは、図１８〜図２０に基づく無線通信装置８００におけるアクセスポイント接続処理の説明を、図１５に示す無線通信システム７００において、予め設定された予定に従って移動中の無線通信装置８００が、予定外の位置に移動した場合を適用して説明する。
【０２４８】
図２１及び図２２は、図１５に示す無線通信システムでの無線通信装置の移動を示す図である。詳細には、図２１は、図１５で示した無線通信装置８００が移動を行い、移動前に予めユーザが決めた予定に従って異なるサービスエリアＥ１１−Ｅ１２間の移動を示す図である。また、図２２は、無線通信装置８００がサービスエリアＥ１２−Ｅ１３間を移動した状況を示しており、ユーザにより予め設定された予定とは異なった移動を示す図である。なお、図１５に示す本実施の形態３の無線通信システム７００は、図７に示す実施の形態２の無線通信システム４００と同様の、アクセスポイントＡ２１〜Ａ２４により形成されるサービスエリアＥ１１〜Ｅ１４を有している。このため、図１５、図２１及び図２２における地点Ｍ１１〜Ｍ１３は、実施の形態２で用いた地点と同符号を付して説明する。
【０２４９】
また、ユーザにより予め設定された予定とは、無線通信装置８００の記憶部８０１において記憶されるスケジュールテーブルである。なお、このスケジュールテーブルは、無線通信装置８００において、スケジュールアプリ起動後、ユーザが入力部２０１ａから情報を入力し、制御部８１４を介して記憶部８０１に保存されて形成されるものである。
【０２５０】
本実施の形態では、記憶部８０１に記憶されるスケジュールテーブルは、実施の形態２の記憶部５０１に記憶されるスケジュールテーブル５１０と同様のものであるため、無線通信装置８００は、スケジュールテーブル５１０に従って移動するものとして説明する。
【０２５１】
すなわち、ここでは、スケジュールＤ１１は、時刻１２：００に○○駅へ移動する予定を示し、図１５で示すサービスエリアＥ１１の地点Ｍ１１に無線通信装置８００が位置している状態を示す。また、スケジュールＤ１２は、時刻１４：００に○×公園に移動する予定を示し、図２１で示すサービスエリアＥ１２の地点Ｍ１２に無線通信装置８００が位置していることを示す。さらに、スケジュールＤ１３は、時刻１５：００に△△喫茶店に移動していることを示し、図２２に示されたサービスエリアＥ１４の地点Ｍ１３に無線通信装置８００が位置していることを示す。
【０２５２】
まず、図１５に示す無線通信システム７００における無線通信装置８００において、ユーザから通信アプリ起動のための入力が行われると、その情報が入力部２０１ａを介して制御部８１４へ通知される。この通知を受けた制御部８１４は通信アプリの起動を行うとともに、通信アプリが起動された旨を、状態変化検出部８０６に通知する。
【０２５３】
この通知を受けて、状態変化検出部８０６は通信アプリの起動を検知し、制御部８１４を介して、プロファイル情報取得部８０３へ通知する（ステップＳ２０）。
【０２５４】
プロファイル情報取得部８０３は、制御部８１４からの通知を受けて不揮発性記憶部５０６に保存されているプロファイル情報（ここではプロファイル情報Ｐ３１、Ｐ３２、Ｐ３４のプロファイル情報を読み出す（ステップＳ２１）。
【０２５５】
なお、プロファイル情報は、上述したようにアクセスポイントへ接続するために必要な情報を示すもので、この情報はアクセスポイントを特定するための情報として利用することが可能である。
【０２５６】
このプロファイル情報は、記憶部８０１のスケジュールテーブルに設定の＜場所＞に関連付けられており、プロファイル情報取得部８０３は、これら＜場所＞とプロファイル情報を関連付ける情報を用いて、不揮発性記憶部５０６からプロファイル情報を読み出す。
【０２５７】
なお、スケジュールテーブルを用いたプロファイル情報取得部８０３による不揮発性記憶部５０６からのプロファイル情報の読み出しは、図１２を用いて説明した実施の形態２のプロファイル情報取得部２０６ａと同様である。
【０２５８】
すなわち、図１２に示すように、記憶部８０１では、スケジュールテーブルにおけるスケジュールにおける＜場所＞の情報が一次元配列で管理され、個々の配列に、不揮発性記憶部５０６に格納されているプロファイル情報のアドレスへのポインタが関連付けられている。また、記憶部８０１は、各スケジュールに対して、無線通信装置５００の移動順にアドレス（例えば、「１０００」、「１００２」、「１００４」）を付与して保存するものとする。
【０２５９】
これにより、プロファイル情報取得部８０３は、記憶部８０１のスケジュールにおける＜場所＞を読み出すことで、読み出した＜場所＞に関連付けられているポインタを用いて不揮発性記憶部５０６から、ポインタの示すアドレスのプロファイル情報を読み出すことができる。
【０２６０】
このようなプロファイル情報取得部８０３によるプロファイル情報の読み出し終了後、プロファイル情報取得部８０３は、制御部８１４を介して優先順位設定部８０８に読み出し終了を通知する。
【０２６１】
プロファイル情報読出終了の通知を受けて、優先順位設定部８０８は、スケジュールテーブル５０１のスケジュールＤ１１、Ｄ１２、Ｄ１３に設定の＜時刻＞を参照して、プロファイル情報取得部８０３によって取得されたプロファイル情報の優先順位付けを行う（ステップＳ２２）。
【０２６２】
なお、ステップＳ２２における優先順位設定部８０８の優先順位付けは、実施の形態２における優先順位設定部５０４の処理（ステップＳ１２）と同様であるため説明は省略する。
【０２６３】
ステップＳ２２で、優先順位設定部８０８により優先順位付けされたプロファイル情報のデータ構造は、図１３に示すように、プロファイル情報Ｐ３１→Ｐ３２→Ｐ３４と各プロファイル情報に対して優先順位付けが行われる。
【０２６４】
優先順位付け処理が終了すると、優先順位設定部８０８は、制御部８１４を介して優先プロファイル情報選択部２１３へ優先順位設定終了を通知する。
【０２６５】
優先順位設定終了通知を受けて、優先プロファイル情報選択部２１３は、優先順位の最も高いプロファイル情報Ｐ３１を選択し、記憶部８０１から読み出す（ステップＳ２３）。優先プロファイル情報選択部２１３による選択したプロファイル情報の読み出しが終了すると、優先プロファイル情報選択部２１３は、その終了通知を、制御部８１４を介して受信電波強度取得部２１５に通知する。
【０２６６】
優先プロファイル情報選択終了通知を受けた受信電波強度取得部２１５は、選択されたプロファイル情報Ｐ３１に設定のＳＳＩＤが示すアクセスポイントからの受信電波の強度を取得する（ステップＳ２４）。
【０２６７】
具体的にステップＳ２４では、受信電波強度取得部２１５は、プロファイル情報Ｐ３１に設定されたＳＳＩＤを参照して、制御部８１４、無線ＬＡＮインターフェース部２０２を介したアクセスポイントへのプローブ要求を行う。プローブ要求をうけたアクセスポイントは、その応答を無線ＬＡＮインターフェース部２０２、制御部８１４を介して受信電波強度取得部２１５へ通知する。この応答信号を用いて、受信電波強度取得部２１５は、受信された電波の受信強度を測定する。なお、測定した結果は、制御部８１４を介してアクセスポイント接続判定部８１０へ通知される。
【０２６８】
この測定結果を受けて、アクセスポイント接続判定部８１０は、アクセスポイントへの接続判定、つまり、受信信号を送信したアクセスポイントへ接続可能か否かを判定する（ステップＳ２５）。
【０２６９】
ステップＳ２５において、アクセスポイント接続判定部８１０が、アクセスポイントへ接続可能と判断した場合、制御部８１４、無線ＬＡＮインターフェース部２０２を介してアクセスポイントへ接続要求を行う。この接続要求は、プロファイル情報Ｐ３１に設定された情報を参照して行われる。接続要求を受けたアクセスポイントは、無線通信装置８００に対して応答し、無線通信装置８００では、無線ＬＡＮインターフェース部２０２、制御部８１４を介してアクセスポイント接続判定部８１０に通知される。また、アクセスポイントサービスエリアＥ１１のアクセスポイントＡ２１への接続完了が、無線ＬＡＮインターフェース部２０２から制御部８１４へ通知され、制御部８１４は、優先順位設定部８０８に対して処理要求を行い、ステップＳ２６に移行する。なお、処理要求の内容は、次の移動先であるサービスエリア（ここではＥ１２）のアクセスポイント（ここではＡ２２）への接続を迅速に行うため、記憶部８０１に保持されているプロファイル情報を読み出して、優先順位の変更を行うものである。
【０２７０】
ステップＳ２５において、アクセスポイント接続判定部８１０が、接続不可能と判断する場合、サービスエリアの収集を実施するよう、制御部８１４を介してサービスエリア情報取得部８０４へ通知してステップＳ３６に移行する。
【０２７１】
ステップＳ２６では、優先順位設定部８０８は、プロファイル情報に対して設定された順位を変更する。
【０２７２】
具体的に、ステップＳ２６では、優先順位設定部８０８は、現在接続中のアクセスポイントＡ２１への接続情報として設定されているプロファイル情報Ｐ３１を、今後無線通信装置８００の移動が発生した場合での使用可能性の低いものとして、最も低い優先順位付けを行う。また、優先順位設定部８０８は、次の移動先となっているサービスエリアＥ１２を形成するアクセスポイントＡ２２の接続情報が設定されているプロファイル情報Ｐ３２を最も優先順位の高いプロファイル情報として設定する。なお、優先順位設定部８０８は、プロファイル情報Ｐ３４に２番目の優先順位を付ける。なお、優先順位付けが変更された結果の一例は図１４に示すものと同様であり、この優先順位付けされたプロファイル情報によれば、次のスケジュールＤ１２に設定された場所へ移動する際の、迅速なアクセスポイント接続に備えることができる。
【０２７３】
この優先順位変更処理の後、状態変化検出部８０６は、接続中のアクセスポイントからのビーコンの受信レベルが閾値以下となっているか否かの判定を行う（ステップＳ２７）
。
【０２７４】
このステップＳ２７では、接続中のアクセスポイントからのビーコンの受信レベルが閾値より大きければ、ステップＳ２７の処理は繰り返され、現在接続中のアクセスポイントＡ２１へ継続して接続が行われる。これにより無線通信装置８００は、接続中のアクセスポイントを介して良好なサービス提供を受けることができる。
【０２７５】
つまり、無線通信装置８００において、次の接続先であるアクセスポイントＡ２２への接続要求は、現在接続中のアクセスポイントＡ２１からのビーコン受信レベルが閾値以下となったことを状態変化検出部８０６が検出した場合に行われる。
【０２７６】
例えば、無線通信装置８００は、図２１に示すように、無線通信システム７００において、所属するサービスエリアＥ１１の地点Ｍ１１から隣接するサービスエリアＥ１２の地点Ｍ１２に移動しているものとする。
【０２７７】
このように無線通信装置８００が移動している場合、状態変化検出部８０６が、無線ＬＡＮインターフェース部２０２、制御部８１４を介して受信されるアクセスポイントＡ２１からのビーコンの受信レベルが閾値以下になったことを検出すると、その旨を制御部８１４へ通知する。制御部８１４は、上記通知を優先プロファイル情報選択部２１３へ通知して、ステップＳ２８に移行する。
【０２７８】
ステップＳ２８では、ビーコン受信レベルが閾値以下の通知を受けて、優先プロファイル情報選択部２１３は、優先順位の最も高いプロファイル情報Ｐ３２を選択し、記憶部８０１から読み出す。読み出し処理が終了すると、優先プロファイル情報選択部２１３は、その終了通知を、制御部８１４を介して受信電波強度取得部２１５に通知して、ステップＳ２９に移行する。
【０２７９】
優先プロファイル情報選択部２１３により優先プロファイル情報が選択されると受信電波強度取得部２１５は、選択されたプロファイル情報のアクセスポイントから送信される信号の受信電波強度を取得する（ステップＳ２９）。
【０２８０】
具体的に、ステップＳ２９では、受信電波強度取得部２１５は、制御部８１４から優先プロファイル情報選択終了の通知を受けて、受信電波強度取得部２１５は、プロファイル情報Ｐ３２に設定されているＳＳＩＤを参照して、制御部８１４、無線ＬＡＮインターフェース部２０２を介してプローブ要求を行う。プローブ要求を受けたアクセスポイントは、その要求に対する応答を無線ＬＡＮインターフェース部２０２、制御部８１４を介して受信電波強度取得部２１５に通知する。受信電波強度取得部２１５は、通知された信号から電波強度を測定し、その結果について制御部８１４を介してアクセスポイント接続判定部８１０へ通知する。
【０２８１】
この測定結果を受けて、アクセスポイント接続判定部８１０は、アクセスポイントへの接続判定、つまり、受信信号を送信したアクセスポイントへ接続可能か否かを判定する（ステップＳ３０）。接続可能と判断できる場合は、制御部８１４、無線ＬＡＮインターフェース部２０２を介してアクセスポイントへ接続要求を行う。接続要求は、プロファイル情報Ｐ３２に設定された情報を参照して行われる。上記接続要求を受けたアクセスポイントは、無線通信装置８００に対して応答を返す。その応答は無線ＬＡＮインターフェース部２０２、制御部８１４を介してアクセスポイント接続判定部８１０へ通知される。なお、接続できないと判断された場合は、サービスエリア情報の収集を実施するよう制御部８１４を介してサービスエリア情報取得部８０４へ通知してステップＳ３６に移行する。
【０２８２】
サービスエリアＥ１２のアクセスポイントＡ２２への接続完了が、無線ＬＡＮインターフェース部２０２を介して制御部８１４へ通知されると、優先順位設定部８０８に対して処理要求が行われ、ステップＳ３１に移行する。
【０２８３】
ステップＳ３１では、優先順位設定部８０８は、記憶部８０１に保持されているプロファイル情報を読み出して、優先順位を設定する。
【０２８４】
ステップＳ３１における優先順位設定部８０８では、現在接続中のアクセスポイントＡ２２の接続情報が設定されているプロファイル情報Ｐ３２は、今後移動が発生した場合使用される可能性が低いため、優先順位を３番目に優先順位付けし、次の移動先となっているサービスエリアＥ１４を形成するアクセスポイントＡ２４への接続情報が設定されたプロファイル情報P３４を最も優先順位の高いプロファイル情報として設定する。図２３にプロファイル情報に対する優先順位の設定変更の結果を示す。
【０２８５】
この優先順位変更処理の後、状態変化検出部８０６は、接続中のアクセスポイントＡ２２からのビーコンの受信レベルが閾値以下となっているか否かの判定を行う（ステップＳ３２）。
【０２８６】
このステップＳ３２では、ステップＳ２７と同様に、接続中のアクセスポイントからのビーコンの受信レベルが閾値より大きければ、ステップＳ３２の処理は繰り返えされ、現在接続中のアクセスポイントＡ２２へ継続して接続が行われる。
【０２８７】
状態変化検出部８０６において、アクセスポイントＡ２２からのビーコン受信レベルが閾値以下になったことを検出すると、その旨を制御部８１４へ通知し、制御部８１４は、記通知をプロファイル情報取得部８０３へ通知し、ステップＳ３３に移行する。
【０２８８】
この場合、図２２に示すようにサービスエリアＥ１２に存在する無線通信装置８００が、スケジュールＤ１３に設定の情報とは異なる移動先である、サービスエリアＥ１３に向かって移動を始めていると想定する。
【０２８９】
優先プロファイル情報選択部２１３は上記通知を受けると、優先順位の最も高いプロファイル情報Ｐ３４を選択し、記憶部８０１から読み出す処理を行う（ステップＳ３３）。読み出し処理が終了すると、優先プロファイル情報選択部２１３は、制御部８１４を介して受信電波強度取得部２１５に、読み出しが終了した旨を通知する。
【０２９０】
ステップＳ３４では、受信電波強度取得部２１５は、選択されたプロファイル情報に示すアクセスポイントから送信される信号を用いて受信電波強度を取得する。
【０２９１】
具体的に、ステップＳ３４では、受信電波強度取得部２１５は、上記制御部８１４からの通知を受けると、プロファイル情報Ｐ３４に設定されているＳＳＩＤを参照して、制御部８１４、無線ＬＡＮインターフェース部２０２を介してプローブ要求を行う。プローブ要求を受けたアクセスポイントは、その要求に対する応答を無線ＬＡＮインターフェース部２０２、制御部８１４を介して受信電波強度取得部２１５に通知する。受信電波強度取得部２１５は、通知された信号から電波強度を測定し、その結果について制御部８１４を介してアクセスポイント接続判定部８１０へ通知する。
【０２９２】
アクセスポイント接続判定部８１０は上記結果から、アクセスポイントへの接続判定を行う（ステップＳ３５）。接続可能と判断できる場合は制御部８１４、無線ＬＡＮインターフェース部２０２を介してアクセスポイントへ接続要求を行う。接続要求は、プロファイル情報Ｐ３４に設定された情報を参照して行われる。この接続要求を受けたアクセスポ
イントは、無線通信装置８００に対して応答を返す。その応答は無線ＬＡＮインターフェース部２０２、制御部８１４を介してアクセスポイント接続判定部８１０へ通知される。なお、接続不可能と判断する場合は、制御部８１４を介して、サービスエリア情報取得部８１２へサービスエリア情報収集の依頼を行い、ステップＳ３６に移行する。
【０２９３】
ここで、図２２に示されるようにユーザはスケジュールＤ１３とは異なる移動場所Ｅ１３への移動を行っているため、受信電波強度取得部２１５は受信電波強度を取得することができず、アクセスポイント接続判定部８１０は接続できないと判断することになる。
【０２９４】
アクセスポイント接続判定部８１０は、受信電波強度を取得できなかった場合（アクセスポイントへ接続できない場合）、スケジュールとは異なる移動を行ったと判断し、再度、隣接している、近隣のサービスエリア情報の収集を行うように、制御部８１４を介してサービスエリア情報取得部８１２へその旨を通知する（ステップＳ３６）。
【０２９５】
上記通知を受けてサービスエリア情報取得部８１２は、無線通信装置８００が位置しているサービスエリアＥ１２を形成するアクセスポイントＡ２２に対して近隣のサービスエリア情報取得要求を行う（ステップＳ３７）。取得要求は、制御部８１４を介して無線ＬＡＮインターフェース部２０２へ通知される。アクセスポイントは無線通信装置８００からの取得要求に対して、サービスエリアの情報を応答する。アクセスポイントからの応答は、無線ＬＡＮインターフェース部２０２を介して制御部８１４へ通知され、取得された情報は、記憶部８０１へ保存される。取得されたサービスエリア情報は、ここでは図１７に示すものとする。
【０２９６】
サービスエリア情報取得部８１２から制御部８１４を介して、サービスエリアＥ１１、Ｅ１３、Ｅ１４の情報取得を通知されたプロファイル情報取得部８０３は、記憶部８０１へ保存されたサービスエリアの情報を参照する。隣接しているサービスエリアがＥ１１、Ｅ１３、Ｅ１４であることを分かると、不揮発性記憶部５０６にあらかじめ保持していたサービスエリアＥ１１、Ｅ１３、Ｅ１４のプロファイル情報Ｐ３１、Ｐ３３、Ｐ３４の読み出しを行い、記憶部８０１へ保存する（ステップＳ３８）。
【０２９７】
図２４は、プロファイル情報取得部８０３により不揮発性記憶部５０６から読み出されたプロファイル情報の一例を示す図である。なお、図２４に示すプロファイル情報Ｐ３１は、サービスエリアＥ１１のプロファイル情報を示し、プロファイル情報Ｐ３３はサービスエリアＥ１３のプロファイル情報を示す。さらに、プロファイル情報Ｐ３４はサービスエリアＥ１４のプロファイル情報を示している。
【０２９８】
プロファイル情報取得部８０３より、記憶部８０１上へのプロファイル情報Ｐ３１、Ｐ３３、P３４の保存通知が制御部８１４を介して優先順位設定部８０８へあると、優先順位設定部８０８は、サービスエリア情報取得部８１２で取得された情報と、プロファイル情報取得部８０３で取得された情報からサービスエリアＥ１１、Ｅ１３、Ｅ１４に存在するアクセスポイントＡ１１、Ａ１３、Ａ１４のプロファイル情報Ｐ３１、Ｐ３３、Ｐ３４に優先順位付けを行う（ステップＳ３９）。
【０２９９】
例えば、無線通信装置８００はサービスエリアＥ１２に位置しており、サービスエリアＥ１１、Ｅ１３、Ｅ１４が隣接し、移動する可能性が高いことからプロファイル情報Ｐ３１、Ｐ３３、Ｐ３４を優先順位の高いプロファイル情報として設定する。この時のプロファイル情報Ｐ３１、Ｐ３３、Ｐ３４の優先順位付けであるが、現在取得されている情報からＰ３１、Ｐ３３、Ｐ３４に設定のアクセスポイントが構成しているサービスエリアＥ１１、Ｅ１３、Ｅ１４へは、同程度に移動する可能性がある。よって、上述したように、ここでは、ランダムに優先順位付けを行い、Ｐ３４を最も優先順位の高いプロファイル情報
として優先順位付けを行う。その他Ｐ３３を２番目に優先順位の高いプロファイル情報として、Ｐ３１を３番目に優先順位の高いプロファイル情報として優先順位付けを行う。現在接続中のアクセスポイント情報が含まれているプロファイル情報Ｐ３２は、移動により受信電波強度が小さくなり、サービスエリアＥ１２からユーザは出ようとしているものと考えられ、今後使用される可能性が低いと判断できる。よって、優先順位が最も低いプロファイル情報として優先順位付けを行う。その結果、Ｐ３４→Ｐ３３→Ｐ３１→Ｐ３２のように優先順位付けされる。
【０３００】
図２５は優先順位設定部８０８によって、各プロファイル情報に優先順位付けが行われ、その順番に並び替えられた状態を説明する図である。プロファイル情報Ｐ３４が最も優先順位の高いプロファイル情報として管理されることとなり、その次にプロファイル情報３３が優先順位の高いプロファイル情報として管理される。優先順位設定部８０８から、優先順位付けされたプロファイル情報が記憶部８０１に保存されたことが制御部８１４を介して優先プロファイル情報選択部２１３に通知される。
【０３０１】
制御部８１４からの通知を受けた優先プロファイル情報選択部２１３は、無線通信装置８００が現在位置しているサービスエリアＥ１２において最も優先順位の高いプロファイル情報Ｐ３４を選択し、記憶部８０１から読み出す処理を行う（ステップＳ４０）。
【０３０２】
読み出し処理が終了すると、優先プロファイル情報選択部２１３は、その終了通知を、制御部８１４を介して受信電波強度取得部２１５に通知する。
【０３０３】
受信電波強度取得部２１５は上記通知をうけると、選択されたプロファイル情報Ｐ３４に設定されているＳＳＩＤを参照し、制御部８１４、無線ＬＡＮインターフェース部２０２を介してプローブ要求を行う。プローブ要求をうけたアクセスポイントはその要求に対する応答を無線ＬＡＮインターフェース部２０２、制御部８１４を介して受信電波強度取得部２１５へ通知する。受信電波強度取得部２１５は、受信した信号の電波強度を測定し、その結果について制御部８１４を介してアクセスポイント接続判定部８１０へ通知する（ステップＳ４１）。
【０３０４】
アクセスポイント接続判定部８１０は、受信電波強度取得部２１５から通知された結果を用いて、アクセスポイントへの接続判定を行う（ステップＳ４２）。ステップＳ４２で、アクセスポイント接続判定部８１０が、接続可能と判断できる場合、優先プロファイル情報選択部２１３によって選択されたプロファイル情報Ｐ３４に設定のアクセスポイント情報を参照して、アクセスポイントへの接続要求を行う。接続要求は、制御部８１４、無線ＬＡＮインターフェース部２０２を介してアクセスポイントへ通知される。アクセスポイントからの応答は無線ＬＡＮインターフェース部２０２、制御部８１４を介してアクセスポイント接続判定部８１０へ通知される。接続不可能と判断する場合（ステップＳ４２：ＮＯ）、アクセスポイント接続判定部８１０は、次の優先順位のプロファイル情報を選択するように、制御部８１４を介して優先プロファイル情報選択部２１３へ通知を行う。
【０３０５】
具体的には、ステップＳ４２において、接続可能と判断できる場合、つまり、接続要求に対するアクセスポイントからの応答があり接続可能となった場合（ステップＳ４２：ＹＥＳ）は、当該アクセスポイントとの通信を行う。つまり、次の移動で、状態変化検出部８０６より、ビーコンの受信レベルが閾値以下であるかどうかを判定し（ステップＳ４３）、その結果、ビーコンの受信レベルが閾値以下であった場合は、サービスエリアの情報を収集するように制御部８１４を介してサービスエリア情報取得部８０４へ処理を依頼（ステップＳ３７に移行）する。また、ステップＳ４３においてビーコンの受信レベルが閾値より大きい場合（ステップＳ４３：ＮＯ）は、現在接続中のアクセスポイントへ接続を維持する。
【０３０６】
以上のように、本実施の形態３の無線通信装置８００によれば、あらかじめ優先順位付けされたプロファイル情報から最も優先順位の高いプロファイル情報を選択し、アクセスポイントへ接続失敗となった場合、その時点での近隣のサービスエリア情報及びそれらサービスエリアのプロファイル情報の収集を行いプロファイル情報に対する優先順位付けを実行するため、接続性の低いアクセスポイントに対する接続要求を回避し、消費電力の低減が可能となる。
【０３０７】
本発明に係る無線通信装置２００，５００，８００は上記各実施の形態に限定されず、種々変更して実施することが可能である。
【０３０８】
また、各実施の形態では、無線通信装置２００，５００，８００において、アクセスポイントへの接続に用いるＳＳＩＤは、一つのアクセスポイントに対する識別情報としたが、これに限らず、複数のアクセスポイントに対する識別情報としてもよい。
【０３０９】
また、各実施の形態の無線通信装置２００，５００，８００では、状態変化検出部２０３、８０６、受信電波強度取得部２１５を用いて、接続先のアクセスポイントからの受信レベルの判定によって、接続中のアクセスポイントにより形成されるサービスエリア外への移動を検出するものとしたが、これに限らない。例えば、無線通信装置２００，５００，８００において、自装置の位置を検出するＧＰＳ装置などの測位装置を設け、接続中のアクセスポイントからの離間距離を用いて、所属するサービスエリアとは異なるサービスエリアのアクセスポイントへ接続を行うようにしてもよい。
【０３１０】
（第４の実施の形態）
図２６は、本発明の実施形態４に係る無線通信装置を有する無線通信システムの構成を示す概念図である。
【０３１１】
図２６に示す無線通信システム９００は、無線通信装置１１００と、互いにサービス提供元が異なるサービスエリアＥ２１〜Ｅ２３の基地局（アクセスポイント）Ａ３０〜Ａ３６とを備えて構成される。
【０３１２】
本実施の形態４の無線通信装置１１００は、実施の形態１〜３の各無線通信装置２００、５００、８００と比較して、無線ＬＡＮ方式に替えて、ＩＥＥＥ８０２．１６の規格に準拠したモバイルＷｉＭＡＸ環境下においてアクセスポイントへの接続を行う点で異なる。
【０３１３】
また、本実施の形態４の無線通信装置１１００は、実施の形態１〜３の各無線通信装置２００、５００、８００と比較して、過去にアクセスポイントに接続した情報である接続実績情報を用いて移動時の迅速な接続処理を精度良く行う点が異なる。
【０３１４】
なお、モバイルＷｉＭＡＸ環境における無線通信装置１１００は、１）スキャニング（Scanning）、２）レンジング（Ranging）、３）ベーシックケーパビリティ交換（Basic Capability exchange）、４）認証要求を順に行うことでアクセスポイントへの接続を行う。
【０３１５】
ここで、１）スキャニングとは、定義された周波数の中でチャネルをスキャンし、無線区間の走査と同期を行う処理である。ここでは端末（無線通信装置１１００）がどの基地局（アクセスポイント）と通信できるかを確認する処理である。また、２）レンジングは、要求ＭＡＣ（Media Access Control）メッセージをアクセスポイントに対して送信し、無線通信装置のＭＡＣアドレス登録を要求する処理である。さらに、３）ベーシックケー
パビリティ交換は、アクセスポイントと無線パラメータのネゴシエーションを行う処理である。また、４）認証要求は、アクセスポイントへ認証要求を行いデータ暗号化用の鍵を取得する処理である。
【０３１６】
このようにモバイルＷｉＭＡＸ環境下のサービスエリアＥ２１〜Ｅ２３を形成するアクセスポイントＡ３０〜Ａ３６は、無線通信装置１１００と通信可能となっており、無線通信装置１１００からのレンジング要求（ＭＡＣアドレスの登録要求）、ベーシックケーパビリティ交換（アクセスポイントと無線パラメータのネゴシエーション）、認証要求（データ暗号化用の鍵取得のための認証要求）及び接続要求に応答して、無線通信装置１１００にサービスを提供する。
【０３１７】
また、各アクセスポイントＡ３０〜Ａ３６は、近隣に位置するアクセスポイントの情報を通知する近隣接続情報通知部を備え、この近隣接続情報通知手段を用いて無線通信装置１１００へサービスエリア情報を送信する。詳細には、各アクセスポイントＡ３０〜Ａ３６は、無線通信装置１１００（詳細には図２７に示すサービスエリア情報取得部１１１２）からのサービスエリア情報取得要求を受けるサービスエリア情報要求受付部と、サービスエリア情報要求を受けて、サービスエリア情報要求元の前記無線通信装置１１００に、当該無線通信装置１１００が現在位置するサービスエリア及び現在位置するサービスエリアとは異なる近隣のサービスエリアを構成するアクセスポイントを示すサービスエリア情報を通知する近隣接続情報通知部とを有する。
【０３１８】
無線通信装置１１００は、所属サービスエリア外への移動により接続先アクセスポイントの変更を実施する場合、優先的に接続するアクセスポイントのプロファイル情報、アクセスポイントから送られてくるサービスエリアの情報、及び無線通信装置内で管理している接続実績情報を利用して接続処理を行う。
【０３１９】
図２６に示す無線通信システム９００では、サービスエリアＥ２１は、アクセスポイントＡ３０、Ａ３１により形成され、このサービスエリアＥ２１には、アクセスポイントＡ３２〜Ａ３４によって形成されたサービスエリアＥ２２が隣接している。また、このサービスエリアＥ２２にはアクセスポイントＡ３５、Ａ３６により形成されるサービスエリアＥ２３が隣接している。
【０３２０】
なお、図２６では、無線通信装置１１００が、サービスエリアＥ２１内の地点Ｍ２１に位置している状態を無線通信装置１１００ａで示し、サービスエリアＥ２１から移動してサービスエリアＥ２２のＭ２２点へ位置している状態を無線通信装置１１００ｂで示す。更に、図２６では、サービスエリアＥ２２から移動してサービスエリアＥ２３のＭ２３点へ位置した無線通信装置１１００を無線装置１１００ｃで示している。
【０３２１】
ここで、図２６に示す無線通信装置１１００について説明する。
【０３２２】
図２７は、本発明の実施の形態４に係る無線通信装置１１００の要部構成を示す機能ブロック図である。
【０３２３】
図２７に示す無線通信装置１１００は、入力部２０１a、状態変化検出部１１０１、ＷｉＭＡＸインターフェース部１１０２、スキャニング(Scanning)部１１０３、レンジング(Ranging)部１１０４、ベーシックケーパビリティ交換（Basic Capability Exchange）部１１０５、認証処理部１１０６、優先プロファイル情報選択部１１０７、不揮発記憶部１１０８、制御部１１０９、優先順位設定部１１１０、プロファイル情報取得部１１１１、サービスエリア情報取得部１１１２、記憶部１１１３を有する。
【０３２４】
なお、入力部２０１a、状態変化検出部１１０１、ＷｉＭＡＸインターフェース部１１０２、スキャニング部１１０３、レンジング部１１０４、ベーシックケーパビリティ交換部１１０５、認証処理部１１０６、優先プロファイル情報選択部１１０７、不揮発記憶部１１０８、制御部１１０９、優先順位設定部１１１０、プロファイル情報取得部１１１１、サービスエリア情報取得部１１１２、記憶部１１１３、の各部は、典型的に集積回路であるＬＳＩ（Large Scale Integration）により構成される。
【０３２５】
これら各部２０１ａ、１００１〜１０１３は、個別に１チップ化しても良いし、一部又は全てを含むように１チップ化されても良い。ここでは、ＬＳＩとしたが、集積度の違いによりＩＣ、システムＬＳＩ、スーパーＬＳＩ、ウルトラＬＳＩと呼称されることもある。
【０３２６】
また、各部２０１ａ、１１０１〜１１１３に対する集積回路化の手法は、ＬＳＩに限るものではなく、専用回路または汎用プロセッサにより行っても良い。各部２０１ａ、１１０１〜１１１３は、ＬＳＩ製造後に、プログラムすることが可能なＦＰＧＡ（Field Programmable Gate Array）や、ＬＳＩ内部の回路セルの接続や設定を再構成可能なコンフィギュラブル・プロセッサを利用して構成されても良い。さらには、各部２０１ａ、１００１〜１０１３の集積化は、半導体技術の進歩又は派生する別技術によりＬＳＩに置き換わる集積回路化の技術により行っても良い。例えば、各部２０１ａ、１１０１〜１１１３を、バイオ技術を適応することによって集積化を行ってもよい。
【０３２７】
入力部２０１aは、入力部２０１と同様のものであり、例えば、操作キーなどを介したユーザの操作入力を受けて制御部１１０９に出力され、無線通信装置１１００における種々の動作を行う。例えば、通信アプリ起動の開始要求を、制御部１１０９を介して状態変化検出部１１０１に出力する。
【０３２８】
状態変化検出部１１０１は、状態変化検出部２０３と比較して判定対象が異なり基本的構成は略同様である。
【０３２９】
すなわち、状態変化検出部１１０１は、制御部１１０９を介して入力される情報を用いて、無線通信装置１１００自体の使用状態の変化を検出し、制御部１１０９に出力する。
【０３３０】
具体的には、状態変化検出部１１０１は、ユーザにより入力部２０１ａを介して入力された通信アプリの起動指示を、無線通信装置１１００自体の状態変化として検出し、受信電波強度を取得する。なお、無線ＬＡＮ環境において受信電波強度の取得及び測定は、受信電波強度取得部にて行っていたが、受信電波強度の取得に相当する処理については、レンジング部１１０４にその機能をもたせ、受信電波強度の測定に相当する処理は、状態変化検出部１１０１にその機能を持たせるものとする。
【０３３１】
また、状態変化検出部１１０１は、現在接続中のアクセスポイントＡ３４からのＤＬ−ＭＡＰ（Downlink Map）メッセージ（基地局ＩＤなどの情報を含む）を受信すると、受信したＤＬ−ＭＡＰメッセージの受信レベルを判定する。
【０３３２】
すなわち、状態変化検出部１１０１は、制御部１１０９を介して入力されるＤＬ−ＭＡＰメッセージの受信レベルを測定し、測定した受信レベルが閾値以下となったか否かを判定する。状態変化検出部１１０１における判定は、例えば、受信したＤＬ−ＭＡＰメッセージの受信レベルを予め設定された閾値と比較することによって行う。受信レベルの閾値判定の結果、当該閾値より大きければ、制御部１１０９を介してＷｉＭＡＸインターフェース部１１０２に、現在接続しているアクセスポイントへの接続を継続させ、閾値以下であれば、制御部１１０９を介してサービスエリア情報取得部１１１２にその旨を通知する
。
【０３３３】
ＷｉＭＡＸインターフェース部１１０２は、サービスエリアを形成するアクセスポイントに対して信号の送受信を行う。例えば、ＷｉＭＡＸインターフェース部１１０２は、アクセスポイントから発行されたＤＬ−ＭＡＰメッセージ、サービスエリア情報を受信し、受信したＤＬ−ＭＡＰメッセージ信号、サービスエリア情報を制御部１１０９に出力する。
【０３３４】
また、ＷｉＭＡＸインターフェース部１１０２は、制御部１１０９を介して入力されるサービスエリア情報取得部１１１２からの信号を、現在接続中のアクセスポイントへ送信する。
【０３３５】
また、ＷｉＭＡＸインターフェース部１１０２は、制御部１１０９を介して入力される要求ＭＡＣメッセージを、接続可能なアクセスポイントに送信する（無線ＬＡＮ通信環境におけるプローブ要求及び接続要求に相当）ともに、当該アクセスポイントからの要求ＭＡＣメッセージの応答を受けて制御部１１０９に出力する。
【０３３６】
スキャニング(Scanning)部１１０３は、アクセスポイントＡ３０〜Ａ３６から発する電波のスキャニング処理を行い、どのアクセスポイントと通信可能であるかを把握して、通信可能であるアクセスポイントを制御部１１０９に出力する。なお、スキャニング処理とは、アクセスポイントが発する電波を無線通信装置１１００内で定義した周波数を利用して、無線区間の走査と同期の処理を行うことである。
【０３３７】
レンジング(Ranging)部１１０４は、制御部１１０９を介して入力される信号を用いて、スキャニング部１１０３によって認識した送信タイミングで、接続可能なアクセスポイントに送信すべき要求ＭＡＣ（Media Access Control）メッセージを制御部１１０９に出力する。
【０３３８】
また、レンジング部１１０４は、制御部１１０９を介して、交換した通信能力に対するアクセスポイントのレスポンスを、制御部１１０９を介して認証処理部１１０６に出力する。
【０３３９】
ベーシックケーパビリティ交換（Basic Capability Exchange）部１１０５は、制御部１１０９を介して、入力されるＷｉＭＡＸインターフェース部１１０２からのアクセスポイント要求ＭＡＣメッセージの応答を受けて、応答したアクセスポイントと無線パラメータのネゴシエーションを行うことで通信能力の交換を行う。
【０３４０】
認証処理部１１０６は、レンジング部からの通知を受けて、制御部１１０９及びＷｉＭＡＸインターフェース部１１０２を介して、アクセスポイントへの認証要求を行うととともにアクセスポイントからデータを暗号化するための鍵を含む認証応答を取得する。
【０３４１】
また、認証処理部１１０６は、認証応答を受けて、接続実績情報更新部１１１４に対して接続実績情報３３２の更新処理を要求する。
【０３４２】
優先プロファイル情報選択部１１０７は、制御部１１０９を介して入力される優先順位設定終了を示す情報を受けて、無線通信装置１１００が現在位置において最も優先順位の高いプロファイル情報を選択し、記憶部１１１３から読み出す。また、優先プロファイル情報選択部１１０７は、読み出し処理を終了した後、その終了通知を、制御部１１０９を介してスキャニング部１１０３に出力する
【０３４３】
不揮発記憶部１１０８は、アクセスポイントのプロファイル情報を記憶し、この記憶したプロファイル情報の読み出し書き込みが行われる。
【０３４４】
なお、プロファイル情報は、基地局ＩＤ、スキャニングに使用する周波数情報、ベーシックケーパビリティ変換に使用するデジタル変調方式などの情報を含む。つまり、アクセスポイントへの接続を行う上で必要な情報を示すもので、アクセスポイントごとに保持している情報である。
【０３４５】
制御部１１０９は、ＷｉＭＡＸインターフェース部１１０２からのＤＬ−ＭＡＰメッセージの信号を状態変化検出部１１０１に出力するとともに、ＷｉＭＡＸインターフェース部１１０２からのサービスエリア情報をサービスエリア情報取得部１１１２に出力する。
【０３４６】
また、制御部１１０９は、サービスエリア情報取得部１１１２から受けたアクセスポイント情報の取得要求をＷｉＭＡＸインターフェース部１１０２に対して出力する。
【０３４７】
また、制御部１１０９は、プロファイル情報取得部１１１１からの信号を優先順位設定部１１１０に出力する。
【０３４８】
また、制御部１１０９は、プロファイル情報取得部１１１１から入力されるプロファイル情報の読み出し終了を示す信号を優先順位設定部１１１０に出力する。
【０３４９】
また制御部１１０９は、スキャニング)部１１０３から入力される通信可能なアクセスポイントをレンジング部１１０４に出力する。
【０３５０】
制御部１１０９は、レンジング部１１０４からの要求ＭＡＣメッセージをＷｉＭＡＸインターフェース部１１０２に出力するとともに、ＷｉＭＡＸインターフェース部１１０２を介してアクセスポイントから入力されるアクセスポイント要求ＭＡＣメッセージの応答をベーシックケーパビリティ交換部１１０５に出力する。
【０３５１】
優先順位設定部１１１０は、プロファイル読み出しの終了通知を受けて、サービスエリア情報及び接続実績情報を参照して、プロファイル情報取得部１１１１によって取得されたプロファイル情報の優先順位付けを行う。具体的には、優先順位設定部１１１０は、入力された情報から、現在接続中のアクセスポイントの近隣に位置するアクセスポイント及び周辺に位置するアクセスポイントのプロファイル情報の中から移動方向に位置するアクセスポイントのプロファイル情報を優先して順位を設定する。
【０３５２】
また、優先順位設定部１１１０は、移動方向に位置するアクセスポイントへ接続するためのプロファイル情報として接続中のアクセスポイントの近隣に位置するアクセスポイントが複数ある場合、移動過程において、接続実績がないアクセスポイントを示すプロファイル情報を最も優先順位が高くなるように設定する。
【０３５３】
プロファイル情報取得部１１１１は、制御部１１０９から入力されるサービスエリア情報保存確認を示す信号を受けて、記憶部１１１３に記憶された各スケジュール情報（図２９参照）を、制御部１１０９を介して読み込む。また、プロファイル情報取得部１１１１は、読み込んだ各スケジュール情報（以下「スケジュール」ともいう）に対応するプロファイル情報を、不揮発記憶部１１０８から読み出して、記憶部１１１３上に保存する。プロファイル情報取得部１１１１は、記憶部１１１３へのプロファイル情報の保存を確認し、その旨を示す信号を制御部１１０９に出力する。なお、記憶部１１１３におけるスケジュール情報の＜場所＞には、不揮発性記憶部１１０８におけるプロファイル情報の位置（アドレス）を示す位置情報（例えば、ポインタ）が関連付けされている。この位置情報を
用いて、プロファイル情報取得部１１１１は、該当するプロファイル情報を不揮発性記憶部１１０８から取得する。
【０３５４】
また、プロファイル情報取得部１１１１は、プロファイル情報の読み出し終了後、制御部１１０９に、優先順位設定部１１１０に通知する読み出し終了を示す信号を出力する。
【０３５５】
このプロファイル情報は、アクセスポイント毎の情報であり、アクセスポイントを示す基地局ＩＤ、スキャニングに使用する周波数情報、ベーシックケーパビリティ変換に使用するデジタル変調方式などの情報を含み、アクセスポイントへの接続を行う上で必要な情報を示す。プロファイル情報は、アクセスポイントの位置情報は含まれず、不揮発性記憶部１１０８に、アクセスポイントごとに保持されている。
【０３５６】
サービスエリア情報取得部１１１２は、状態変化検出部１１０１により検出される状態変化情報に基づいて、現在所属しているサービスエリアを提供しているアクセスポイントに対して、隣接、または周辺に位置しているサービスエリア情報の取得要求を制御部１１９に通知する。
【０３５７】
サービスエリア情報取得部１１１２において取得要求されるサービスエリア情報は、自装置周辺に位置するアクセスポイントの情報である。例えば、サービスエリア情報はテキストベースで構成され、現在接続しているアクセスポイント、または周辺に位置するアクセスポイントの基地局ＩＤ（各アクセスポイントを特定可能なＩＤ）を示す＜アクセスポイント情報＞を含む。また、サービスエリア情報は、自装置及び現在接続しているアクセスポイントとの位置関係を示す＜位置情報＞を含む。さらにサービスエリア情報は、現在接続しているアクセスポイントであることを示す＜接続アクセスポイント＞、現在接続しているアクセスポイントに隣接しているアクセスポイントの情報を示す＜隣接アクセスポイント＞、及び隣接しているアクセスポイントを除く、周辺のアクセスポイントの情報を示す＜周辺アクセスポイント＞を含む。
【０３５８】
また、サービスエリア情報取得部１１１２は、制御部１１０９を介して取得したサービスエリア情報を、制御部１１０９を介して記憶部１１１３に保存し、取得したサービスエリア情報の保存を確認して、取得したサービスエリア情報の保存確認を示す信号を、制御部１１０９を介してプロファイル情報取得部１１１１へ出力する。
【０３５９】
記憶部１１１３は、スケジュール情報及び取得したサービスエリア情報を読み出し自在に保存する。
【０３６０】
ここでは、スケジュール情報は、予定している時間を示す＜時刻＞と、＜時刻＞に位置する待ち合わせ場所や移動先の場所を示す＜場所＞の情報とを有し、記憶部１１１３にスケジュールテーブルとして保存される。また、スケジュール情報における＜場所＞には、当該＜場所＞が示す場所において接続先として優先させるアクセスポイントを示す情報が関連付けられ、＜場所＞を参照して＜場所＞にリンクされたアクセスポイント情報を読み出し可能となっている。
【０３６１】
また、サービスエリア情報は、接続先のアクセスポイントを含む無線通信装置（携帯端末）１０００の周辺に位置するアクセスポイントの情報を示す。例えば、サービスエリア情報は、接続先のアクセスポイントを示すアクセスポイント情報と、接続先のアクセスポイントに隣接するアクセスポイントを示すアクセスポイント情報と、接続先のアクセスポイントの周辺に位置するアクセスポイントを示すアクセスポイント情報とをそれぞれ位置情報に関連付けて備える。
【０３６２】
また、記憶部１１１３は、スケジュールテーブルにおける＜場所＞の情報が一次元配列で管理する。個々の配列には、不揮発性記憶部１１０８に格納されているプロファイル情報へのアドレスへのポインタが関連付けて保存される。
【０３６３】
さらに記憶部１１１３は、無線通信装置１１００が現在時刻よりも過去に接続したアクセスポイントの接続情報である接続実績情報を記憶する。
【０３６４】
接続実績情報は、アクセスポイントへ接続が発生した時刻の順に、接続が発生した＜時刻＞と、その時刻の接続先の＜基地局ＩＤ＞とが関連付けられて構成されている（図３３参照）。この接続実績情報は、ＷｉＭＡＸインターフェース部１００２を介して接続先のアクセスポイントから通知（ここでは、ＷｉＭＡＸ通信においてアクセスポイントから送信される鍵を含む認証応答）を受けたタイミングで接続実績情報更新部１１１４によって更新される。
【０３６５】
接続実績情報更新部１１１４は、制御部１１０９を介して認証処理部１１０６からの通知を受けて、記憶部１１１３に記憶される接続実績情報へ現在時刻と、認証に成功したアクセスポイントの基地局ＩＤについて登録処理を行う。具体的には、接続実績情報更新部１１１４は、記憶部１１１３から接続実績情報を読み出して、この読み出した接続実績情報に対して、認証処理に成功したアクセスポイントの基地局ＩＤと無線通信システム９００から取得した現在時刻を記録する。
【０３６６】
次に、本発明の実施の形態４に係る無線通信装置１１００の接続方法について説明する。
【０３６７】
図２８は、本発明の実施の形態４に係る無線通信装置におけるアクセスポイント接続を説明するフローチャートである。
【０３６８】
無線通信装置１１００は、異なるサービスエリア間を移動しながら、スケジュール情報、接続実績情報等を用いて、各サービスエリアに存在するアクセスポイントへの接続を行う。
【０３６９】
ここでは、図２６に示す無線通信システム９００において、無線通信装置１１００が、記憶部１１１３に格納されたスケジュール情報を含むスケジュールテーブルに従って、サービスエリアＥ２１、Ｅ２２、Ｅ２３の順に移動する場合のアクセスポイント接続を例にして説明する。
【０３７０】
図２９は、無線通信装置の備えるスケジュールテーブルの一例を示す図である。
【０３７１】
図２９に示すスケジュールテーブル９１０は、移動先の＜場所＞及びその＜場所＞に位置する予定の＜時刻＞が関連付けられたスケジュールＤ１１〜Ｄ１７を備えている。
【０３７２】
具体的には、無線通信装置１１００は、無線通信システム９００（図２６参照）において、スケジュールテーブル（スケジュール情報）９１０（図２９参照）のスケジュールＤ１１の時刻１２：００にサービスエリアＥ２１へ到達しアクセスポイントＡ３０へ接続して通信を行い、その後、移動してスケジュールＤ１５の時刻１４：４０にサービスエリアＥ２２へ到達しており、現在は、アクセスポイントＡ３４へ接続しているものとする。そして、無線通信装置１１００は、さらに移動してスケジュールＤ１６の時刻１５：００にサービスエリアＥ２３へ移動を行う予定とする。
【０３７３】
無線通信装置１１００では、現在接続中のアクセスポイントＡ３４により発行された基
地局ＩＤなどの情報を含むＤＬ−ＭＡＰメッセージが、ＷｉＭＡＸインターフェース部１１０２により受信され、制御部１１０９を介して状態変化検出部１１０１へ通知される。
【０３７４】
無線通信装置１１００では、状態変化検出部１１０１は、現在接続中のアクセスポイントＡ３４から受信した基地局ＩＤなどの情報を含むＤＬ−ＭＡＰメッセージの受信レベル（接続受信レベル）を測定する（ステップＳ５０）。
【０３７５】
また、状態変化検出部１１０１は、測定したＤＬ−ＭＡＰメッセージ（現在接続中のアクセスポイントＡ３４から受信した、基地局ＩＤなどの情報を含む）の受信レベルが閾値以下となったかを判定する（ステップ５１）。
【０３７６】
閾値より大きければ、ステップＳ５０に戻り、閾値以下であれば、状態変化検出部１１０１は、その旨を示す信号を、制御部１１０９を介してサービスエリア情報取得部１１１２に出力する。
【０３７７】
すなわち、ステップＳ５１では、通知を受けた状態変化検出部１１０１は、ＤＬ−ＭＡＰメッセージの受信レベルを測定し、測定した受信レベルが閾値以下となったかを判定する。受信レベルの閾値判定の結果、当該閾値以上であれば現在接続しているアクセスポイントＡ３４への接続を継続させ、閾値以下であれば、制御部１１０９を介してサービスエリア情報取得部１１１２にその旨を通知する。
【０３７８】
制御部１１０９を介して状態変化検出部１１０１からの通知を受けたサービスエリア情報取得部１１１２は、現在所属しているサービスエリアを提供しているアクセスポイント（ここではアクセスポイントＡ３４）に対して、隣接、または周辺に位置しているサービスエリア情報の取得要求を行って、サービスエリア情報を取得する（ステップ５２）。
【０３７９】
なお、サービスエリア情報を取得すると、サービスエリア情報取得部１１１２は、サービスエリア情報取得確認を示す信号を、制御部１１０９を介してプロファイル情報取得部１１１１に出力する。
【０３８０】
具体的に、ステップＳ５２では、制御部１１０９からの通知を受けたサービスエリア情報取得部１１１２は、現在所属しているサービスエリアを提供しているアクセスポイントＡ３４に対して、隣接、または周辺に位置しているアクセスポイント情報の取得要求を制御部１１０９、ＷｉＭＡＸインターフェース部１１０２を介して通知する。通知を受けた制御部１１０９は、サービスエリア情報の取得要求をＷｉＭＡＸインターフェース部１１０２に対して出力する。ＷｉＭＡＸインターフェース部１１０２は、サービスエリア情報取得部１１１２によって出力された信号を、アクセスポイントＡ３４へ送信する。サービスエリア情報の取得要求を受けたアクセスポイントＡ３４は、近隣に位置するアクセスポイントの情報を通知する近隣接続情報通知部を使って、無線通信装置へサービスエリア情報を送信する。具体的には、サービスエリア情報要求受付部で、無線通信装置１１００（詳細には図２７に示すサービスエリア情報取得部１１１２）からのサービスエリア情報取得要求を受ける。アクセスポイントでは、サービスエリア情報取得要求を受けると、記憶部から、サービスエリア情報要求元の無線通信装置１１００が現在位置するサービスエリア及び現在位置するサービスエリアとは異なる近隣のサービスエリアを構成するアクセスポイントを示すサービスエリア情報（当該アクセスポイントが形成するサービスエリア、当該サービスエリアに隣接するサービスエリア及び周辺のサービスエリアのそれぞれに属するアクセスポイント）を読み出し、近隣接続情報通知部を介して、サービスエリア情報要求元の無線通信装置１１００に送信する。
【０３８１】
アクセスポイントＡ３４から送信されたサービスエリア情報は、無線通信装置１１００
のＷｉＭＡＸインターフェース部１１０２によって受信され、受信した信号は制御部１１０９を介してサービスエリア情報取得部１１１２へ通知される。サービスエリア情報取得部１１１２は、取得したサービスエリア情報を記憶部１１１３に保存し、取得したサービスエリア情報の保存を確認するとその旨が制御部１１０９を介してプロファイル情報取得部１１１１へ通知される。
【０３８２】
ここで、取得するサービスエリア情報のデータ構造について説明する。
【０３８３】
図３０は、アクセスポイントから取得して記憶部１１１３に保存されるサービスエリア情報の一例を示す図である。
【０３８４】
図３０に示すサービスエリア情報取得部１１１２によって取得されるサービスエリア情報３３０、３３１は、無線通信装置１１００の周囲に位置するアクセスポイントの情報を示す。これらサービスエリア情報３３０、３３１は、本実施の形態ではテキストベースで構成され、サービスエリア情報取得部１１１２により少なくとも一方が取得されるものとする。
【０３８５】
図３０Ａに示す第１サービスエリア情報３３０は、＜アクセスポイント情報＞と＜位置情報＞の二種類の情報を含む。
【０３８６】
＜アクセスポイント情報＞は、現在接続しているアクセスポイント、または周辺に位置するアクセスポイントの基地局ＩＤ（各アクセスポイントを特定可能なＩＤ）を示し、＜位置情報＞は現在接続しているアクセスポイントとの位置関係を示す。
【０３８７】
ここでは、サービスエリア情報３３０における現在接続中のアクセスポイントの位置情報を「０（ゼロ）」で示す。また、サービスエリア情報３００において、マイナスの符号が付けられている位置情報は、接続中のアクセスポイントから数えて整数個分、移動方向とは逆の後方に位置するアクセスポイントを示す。例えばＡ３４に対応付けられた＜位置情報＞「−１」は、移動方向とは逆の後方に位置するアクセスポイントであり、現在接続中のアクセスポイントに対して一つ隣のアクセスポイントであることを示す。
【０３８８】
さらに第１サービスエリア情報３３０において、整数で示す＜位置情報＞は、接続先のアクセスポイントから整数個分、移動方向に位置するアクセスポイントを示す。例えば、Ａ３５に対応付けられた＜位置情報＞「１」は、現在接続中のアクセスポイントＡ３４の一つ隣のアクセスポイントＡ３５であることを示す。
【０３８９】
また、図３０Ｂに示す第２サービスエリア情報３３１は、第１サービスエリア情報３３０と異なり、ここでは、＜接続アクセスポイント＞、＜隣接アクセスポイント＞及び＜周辺アクセスポイント＞の三種類の情報を有する。
【０３９０】
第２サービスエリア情報３３１は、＜接続アクセスポイント＞によって、現在接続しているアクセスポイントとして基地局ＩＤ「Ａ３４」のアクセスポイントを示している。また、＜隣接アクセスポイント＞によって、現在接続しているアクセスポイントに隣接しているアクセスポイントとして基地局ＩＤ「Ａ３３」、「Ａ３５」のアクセスポイントを示している。また、＜周辺アクセスポイント＞によって、隣接しているアクセスポイントを除く、周辺のアクセスポイントとして基地局ＩＤ「Ａ３０」、「Ａ３１」、「Ａ３２」、「Ａ３６」を示している。なお、これら＜接続アクセスポイント＞、＜隣接アクセスポイント、＜周辺アクセスポイント＞で示すアクセスポイントは、それぞれ上述した所定の異なるサービスエリアを形成している。
【０３９１】
このような第１サービスエリア情報３３０及び第２サービスエリア情報３３１の一方がサービスエリア情報取得部１１１２により取得される。
【０３９２】
これら第１サービスエリア情報３３０及び第２サービスエリア情報３３１の一方がサービスエリア情報取得部１１１２により取得されて記憶部１１１３に保存されると、サービスエリア情報とともに保存確認を示す信号が、制御部１１０９を介してプロファイル情報取得部１１１１に入力される。
【０３９３】
制御部１１０９を介してサービスエリア情報取得部１１１２からの信号を受けたプロファイル情報取得部１１１１は、取得したサービスエリア情報のアクセスポイントに対応するプロファイル情報を、予め記憶部１１１３に記憶されたスケジュール情報（ここでは、図２９に示すスケジュールＤ１１、Ｄ１２、Ｄ１３、Ｄ１４、Ｄ１５、Ｄ１６、Ｄ１７等）を用いて、不揮発記憶部１１０８から読み出す。
【０３９４】
加えて、プロファイル情報取得部１１１１は、その後、記憶部１１１３上にプロファイル情報を保存する。プロファイル情報が記憶部１１１３に保存されると、その旨が制御部１１０９を介して優先順位設定部１１１０へ通知される（ステップ５３）。
【０３９５】
図３１は、本実施の形態４の無線通信装置において、プロファイル情報取得部が、不揮発性記憶部から読み込むプロファイル情報の一例を示す図である。なお、図３１に示すプロファイル情報Ｐ４０、Ｐ４１、Ｐ４２、Ｐ４３、Ｐ４４、Ｐ４５、Ｐ４６は、ここでは、スケジュール情報に対応している。
【０３９６】
図３１に示すプロファイル情報は、例えば、テキストベースで構築され、サービスエリアを構成する各アクセスポイントである基地局Ａ３０〜Ａ３６の各プロファイル情報をプロファイル情報Ｐ４０〜Ｐ４６で示している。
【０３９７】
図３１では、プロファイル情報Ｐ４０は、サービスを提供しているアクセスポイントを特定するための基地局ＩＤとしての「Ａ３０」、スキャニングに使用する周波数「２．５ＧＨｚ」及びベーシックケーパビリティ変換に使用するデジタル変調方式「ＯＦＤＭ」、「ＢＰＳＫ」を有する。なお、基地局ＩＤ「Ａ３０」が示すアクセスポイントは、サービスエリアＥ２１に属する。同様に、プロファイル情報Ｐ４１は、サービスを提供しているアクセスポイントを特定するための基地局ＩＤとしての「Ａ３１」、スキャニングに使用する周波数「２．５ＧＨｚ」及びベーシックケーパビリティ変換に使用するデジタル変調方式「ＯＦＤＭ」を有する。なお、基地局ＩＤ「Ａ３０」、「Ａ３１」が示すアクセスポイントは、サービスエリアＥ２１に属する。以下、同様にプロファイル情報Ｐ４２〜Ｐ４６は、基地局ＩＤ、スキャニングに使用する周波数情報、ベーシックケーパビリティ変換に使用するデジタル変調方式などの情報を有している。
【０３９８】
ステップＳ５３では、プロファイル情報取得部１１１１は、スケジュールテーブル９１０のスケジュール情報（例えばスケジュールＤ１１〜Ｄ１７）に設定の＜場所＞を参照することで、＜場所＞にリンクされた情報を読み出す。
【０３９９】
図３２は、プロファイル情報取得部によるスケジュールテーブルを用いたプロファイル情報の読み出しの説明に供する図である。
【０４００】
図３２のように、記憶部１１１３では、スケジュールテーブルにおける＜場所＞の情報が一次元配列で管理され、個々の配列に、不揮発性記憶部１１０８に格納されているプロファイル情報へのアドレスへのポインタが関連付けられている。また、記憶部１１１３は、各スケジュールに対してアドレス「１０００ａ」、「１００２ａ」、「１００４ａ」、
「１００６ａ」、「１００８ａ」、「１０１０ａ」、「１０１２ａ」を付与して保存している。
【０４０１】
これにより、プロファイル情報取得部１１１１は、記憶部１１１３のスケジュールにおける＜場所＞を読み出すことで、読み出した＜場所＞に関連付けられているポインタを用いて不揮発性記憶部１１０８から、ポインタの示すアドレスのプロファイル情報を読み出すことができる。
【０４０２】
以上のようなプロファイル情報取得部１１１１による、プロファイル情報の読み出し終了後、プロファイル情報取得部１１１１は、制御部１１０９を介して、優先順位設定部１１１０に読み出し終了を通知する。
【０４０３】
プロファイル読み出しの終了通知を受けた優先順位設定部１１１０は、サービスエリア情報及び接続実績情報を参照して、プロファイル情報取得部１１１１によって取得されたプロファイル情報の優先順位付けを行う（ステップ５４）。
【０４０４】
ステップＳ５４におけるプロファイル情報の優先順位設定処理では、サービスエリア情報取得部１１１２が第１サービスエリア情報３３０を取得した場合と、第２サービスエリア情報３３１を取得した場合とで異なる設定方法が用いられる。
【０４０５】
＜第１サービスエリア情報３３０を取得した場合＞
優先順位設定部１１１０は、始めに、サービスエリア情報取得部１１１２より取得された第１サービスエリア情報３３０（図３０Ａを参照）を利用して、使用する可能性の高い順にプロファイル情報の選定を行う。
【０４０６】
サービスエリア情報取得部１１１２により取得された第１サービスエリア情報３３０には、アクセスポイントを特定可能な基地局ＩＤと、その基地局ＩＤを有するアクセスポイントの位置情報が記載されており、位置情報を参照することで移動方向に位置するアクセスポイントで最も近隣にあるアクセスポイントを特定する。この場合、位置情報が１となっている基地局ＩＤ「Ａ３５」を有するアクセスポイントが最も接続する可能性の高いアクセスポイントであると特定する。よって、優先順位設定部１１１０は、基地局ＩＤ「Ａ３５」が記載されているプロファイル情報Ｐ４５を最も優先順位の高いプロファイル情報として設定する。
【０４０７】
次に、優先順位設定部１１１０は、サービスエリア情報３３０を参照し、基地局ＩＤ「Ａ３６」を有するアクセスポイントを移動方向に位置するアクセスポイントの中で、二番目に接続可能性が高いアクセスポイントと判断する。よって、基地局ＩＤ「Ａ３６」が記載されているプロファイル情報Ｐ４５を二番目に優先順位の高いプロファイル情報として設定する。このように移動方向に位置するアクセスポイントへ接続するためのプロファイル情報への優先順位付けが終了すると、残りのプロファイル情報についても優先順位の設定処理を行う。
【０４０８】
また、優先順位設定部１１１０は、現在の位置情報から近い順に、移動方向とは逆の方向に位置するアクセスポイントへの接続に必要なプロファイル情報の優先順位付けを行う。この場合、サービスエリア情報３３０の位置情報より、現在位置から近い順に基地局ＩＤを並べると、「Ａ３４」→「Ａ３３」→「Ａ３２」→「Ａ３１」→「Ａ３０」となること判断する。よって、優先順位設定部１１１０は、各基地局ＩＤ「Ａ３４」、「Ａ３３」、「Ａ３２」、「Ａ３１」、「Ａ３０」の情報が記載されているプロファイル情報の優先順位付けを降べきの順で行い、Ｐ４４→Ｐ４３→Ｐ４２→Ｐ４１→Ｐ４０と優先順位付けする。
【０４０９】
以上のように、優先順位設定部１１１２が第１サービスエリア情報３３０を利用したプロファイル情報の優先順位設定処理を行う場合、アクセスポイントＡ３４から取得したサービスエリア情報３３０に記載のアクセスポイント情報、位置情報を利用することで、プロファイル情報（図３１参照）へ優先順位を設定する。
【０４１０】
本実施の形態における状況では、無線通信装置１１００では、優先順位設定部１１１０は、プロファイル情報Ｐ４０、Ｐ４１、Ｐ４２、Ｐ４３、Ｐ４４、Ｐ４５、Ｐ４６に対してプロファイル情報Ｐ４５→Ｐ４６→Ｐ４４→Ｐ４３→Ｐ４２→Ｐ４１→Ｐ４０と接続先の優先順位を設定する。
【０４１１】
＜第２サービスエリア情報３３１を取得した場合＞
優先順位設定部１１１０は、始めに、サービスエリア情報取得部１１１２により取得された第２サービスエリア情報３３１を利用して、使用する可能性の高いプロファイル情報の選定を行う。
【０４１２】
サービスエリア情報取得部１１１２により取得された第２サービスエリア情報には、アクセスポイントを特定可能な基地局ＩＤが記載されている。
【０４１３】
優先順位設定部１１１０は、次に接続する可能性の高い隣接するアクセスポイントの基地局ＩＤ、つまり、＜隣接アクセスポイント＞に属する基地局ＩＤを読み出し、該当する基地局ＩＤが関連付けられたプロファイル情報の選択を行う。図３０Ａに示す第２サービスエリア情報３３１では、隣接するアクセスポイントの基地局ＩＤは、「Ａ３３」、「Ａ３５」となる。よって、基地局ＩＤ「Ａ３３」、「Ａ３５」が関連付けられたプロファイル情報Ｐ４３、Ｐ４５が、使用される可能性の高いプロファイル情報として不揮発記憶部１１０８から選択される。
【０４１４】
次に、優先順位設定部１１１０は、記憶部１１１３に記憶された接続実績情報の参照を行いプロファイル情報の最終的な優先順位を決定する。
【０４１５】
図３３は、記憶部に記憶された接続実績情報の一例を示す図であり、図３３に示す接続実績情報テーブル３３２では、無線通信装置１１００が現在時刻よりも過去に接続したアクセスポイントの情報（過去にアクセスポイントに接続した＜時刻＞及びその＜時刻＞における接続先の＜基地局ＩＤ＞）が、接続の発生した時刻の順に格納されている。例えば、図３３の接続実績情報テーブル３３２では、＜時刻＞１２：００、＜基地局ＩＤ＞Ａ３０と記載されている場所は、時刻１２：００に基地局ＩＤ「Ａ３０」のアクセスポイントへ接続があったことを示している。
【０４１６】
このように構成された接続実績情報テーブル３３２を、記憶部１１１３から読み出すことによって、優先順位設定部１１１０は、移動過程における基地局ＩＤ「Ａ３０」、「Ａ３１」、「Ａ３２」、「Ａ３３」、「Ａ３４」を有するアクセスポイントへ接続したことを判断できる。つまり、優先順位設定部１１１０は、基地局ＩＤ「Ａ３０」、「Ａ３１」、「Ａ３２」、「Ａ３３」、「Ａ３４」を有するプロファイル情報は、無線通信装置１１００の移動過程において既に使用されたものであると判断し、基地局ＩＤ「Ａ３０」を有するアクセスポイントＡ３０、基地局ＩＤ「Ａ３１」を有するアクセスポイントＡ３１、基地局ＩＤ「Ａ３２」を有するアクセスポイントＡ３２、基地局ＩＤ「Ａ３３」を有するアクセスポイントＡ３３、基地局ＩＤ「Ａ３４」を有するアクセスポイントＡ３４へ接続するために必要なプロファイル情報の優先順位を低いと判断する。
【０４１７】
以上のことから、優先順位設定部１１１０は、最も接続可能性の高いアクセスポイント
は、移動過程において接続実績がなく、かつ隣接するアクセスポイントＡ３５（基地局ＩＤ「Ａ３５」を有するアクセスポイント）であることを特定し、基地局ＩＤ「Ａ３５」が記載されているプロファイル情報Ｐ４５を最も優先順位の高いプロファイル情報として設定する。
【０４１８】
次に、優先順位設定部１１１０は、二番目に優先順位の高いプロファイル情報を決定する。具体的には、優先順位設定部１１１０は、周辺に位置するアクセスポイント（図３０Ｂの第２サービスエリア情報３３１に記載の＜周辺アクセスポイント＞）であり、かつ接続実績情報３３２（図３３参照）に記録されていないアクセスポイントの特定を行う。
【０４１９】
ここでは、優先順位設定部１１１０は、第２サービスエリア情報３３１（図３０Ｂ参照）及び接続実績情報テーブル３３２（図３３参照）を用いて、基地局ＩＤ「Ａ３６」を有するアクセスポイントが条件に合致したアクセスポイントであると判断し、基地局ＩＤ「Ａ３６」が記載されているプロファイル情報Ｐ４６を２番目に優先順位の高いプロファイル情報として設定する。
【０４２０】
次に優先順位設定部１１１０は、第２サービスエリア情報３３１（図３０Ｂ参照）及び接続実績情報テーブル３３２（図３３参照）を用いて、現在接続中のアクセスポイントＡ３４への接続に使用したプロファイル情報Ｐ４４、その他、過去に使用したプロファイル情報Ｐ４０、Ｐ４１、Ｐ４２、Ｐ４３の優先順位設定処理を行う。
【０４２１】
ここでは、優先順位設定部１１１０では、無線通信装置１１００が現在位置している地点Ｍ２２からさらに移動する状況を考えた場合、過去に使用したプロファイル情報であるほど、使用される可能性は低いと判断される。よって、優先順位設定部１１１０は、最近使われたプロファイル情報から順に優先順位付けを行う。
【０４２２】
優先順位設定部１１１０は、記憶部１１１３から接続実績テーブル（接続実績情報）３３２の読み出しを行い、現在時刻から近い順に＜基地局ＩＤ＞の読み出しを行う。読みだした＜基地局ＩＤ＞を利用して、記憶部１１１３からプロファイル情報を読み出し、優先順位付けを行う。つまり、接続実績情報３３２から読みだされた基地局ＩＤの順番で、その基地局ＩＤが記載されているプロファイル情報へ優先順位が設定される。
【０４２３】
例えば、優先順位設定部１１１０は、接続実績情報３３２を用いて、最近接続したアクセスポイントの基地局ＩＤの読み出しを行う。この場合、＜時刻＞１４：４０と、この＜時刻＞に接続した基地局ＩＤ「Ａ３４」を読み出すこととなる。
【０４２４】
優先順位設定部１１１０は、読みだした基地局ＩＤ「Ａ３４」を有するプロファイル情報Ｐ４４を不揮発性記憶部１１０８から読み出し、過去に使用されたプロファイル情報の中で最も優先順位の高いプロファイル情報として設定する。
【０４２５】
優先順位設定部１１１０は、同様にして、プロファイル情報Ｐ４３、Ｐ４２、Ｐ４１、Ｐ４０にも優先順位を設定し、先に優先順位付けしたプロファイル情報Ｐ４５、Ｐ４６を含めて、最終的には、プロファイル情報Ｐ４５→Ｐ４６→Ｐ４４→Ｐ４３→Ｐ４２→Ｐ４１→Ｐ４０と優先順位を設定する。
【０４２６】
以上のように優先順位付けを行った後、優先順位設定部１１１０は、制御部１１０９を介して優先プロファイル情報選択部１１０７へ優先順位設定終了を通知する。
【０４２７】
優先順位設定終了を受けて、優先プロファイル情報選択部１１０７は、優先順位の最も高いプロファイル情報Ｐ４３を選択し、記憶部１１１３から読み出す（ステップ５５）。
【０４２８】
優先プロファイル情報選択部１１０７によるプロファイル情報の読み出しが終了すると、優先プロファイル情報選択部１１０７の終了通知が、制御部１１０９を介して、スキャニング部１１０３へ通知される。
【０４２９】
スキャニング部１１０３は、基地局から発する電波のスキャニング処理を行う（ステップ５６）。
【０４３０】
ステップＳ５６では、無線通信装置１１００は、スキャニング部１１０３においてプロファイル情報（例えば最優先順位付けられたＡ３５）に記述されている周波数情報、デジタル変調方式情報を利用して、無線区間の走査及び同期処理を行い、当該プロファイル情報が示すアクセスポイント（例えばアクセスポイントＡ３５）と通信が可能であるかを判定する。ここで、通信が不可能であると判断された場合、ステップ５５へ戻り次の優先順位を設定するためにプロファイル情報の選択を行う。
【０４３１】
具体的には、接続先としたアクセスポイント（例えば、アクセスポイントＡ３５）から発する電波には、様々なパラメータ（周波数情報、基地局ＩＤ、デジタル変調方式、送信タイミングなどのパラメータ）が含まれており、ＷｉＭＡＸインターフェース部１１０２により受信された上記パラメータは、制御部１１０９を介して、スキャニング部１１０３へ通知される。
【０４３２】
スキャニング部１１０３は、優先プロファイル情報選択部１１０７によって優先順位の順に選択されたプロファイル情報（例えば、プロファイル情報「Ｐ４５」）に記述されている周波数情報、基地局ＩＤ、デジタル変調方式が一致しているかの確認を行い、一致する場合はアクセスポイントＡ３５との通信が可能であると判断する。プロファイル情報（例えば、プロファイル情報「Ｐ４５」）に記載の情報と一致しない場合は、ステップ５４へ戻り次の優先順位付けするプロファイル情報の選択を行う。
【０４３３】
スキャニング部１１０４におけるスキャニング処理の結果、アクセスポイントＡ３５との通信が可能であると判断された場合、制御部１１０９を介してレンジング部１１０４へその旨を通知する。
【０４３４】
スキャニング部１１０３の通知を受けたレンジング部１１０４は、スキャニング部１１０４によって認識した送信タイミングで、無線ＬＡＮ通信環境におけるプローブ要求及び接続要求に相当する要求ＭＡＣ（Media Access Control）メッセージの送信を行う。送信された要求ＭＡＣメッセージは、制御部１１０９を介してＷｉＭＡＸインターフェース部１１０２へ出力される。ＷｉＭＡＸインターフェース部１１０２は、出力された要求ＭＡＣメッセージをアクセスポイントＡ３３へ送信する。
【０４３５】
アクセスポイント要求ＭＡＣメッセージの応答は、ＷｉＭＡＸインターフェース部１１０２を介して制御部１１０９へ通知される。すなわち、アクセスポイント要求ＭＡＣメッセージの応答有りの通知を受けた制御部１１０９は、レンジング良好と判断（ステップＳ５７）し、その旨をベーシックケーパビリティ交換部１１０５へ通知する。
【０４３６】
ベーシックケーパビリティ交換部１１０５は、アクセスポイント（例えばアクセスポイントＡ３５）と無線パラメータのネゴシエーションを行うことで通信能力の交換を行う（ステップ５８）。
【０４３７】
具体的には、無線通信装置１１００が通信を行う際に、どのような変調方式を使用するか、またはどの周波数帯域を使用するかなどの情報を含むパラメータを、プロファイル情
報Ｐ４３から読み出しＷｉＭＡＸインターフェース部１１０２へ出力する。ＷｉＭＡＸインターフェース部１１０２は、出力された上記パラメータをアクセスポイント（例えばアクセスポイントＡ３５）へ送信する。アクセスポイント（例えばアクセスポイントＡ３５）では、受信した上記パラメータの情報を解析し、それが許可できる機能であるかどうかを判断する。許可できる場合はその旨をレスポンスとして返し、許可できない場合は、許可できるパラメータを決定し、その情報をレスポンスとして送信する。
【０４３８】
次の接続先と予測したアクセスポイント（例えばアクセスポイントＡ３５）からのレスポンスは、無線通信装置１１００のＷｉＭＡＸインターフェース部１１０２により受信され、制御部１００９を介して、レンジング部１１０４へ通知される。アクセスポイントＡ３３からのレスポンスがあったレンジング部１１０４は、制御部１１０９を介して認証処理部１１０６へその旨を通知する。
【０４３９】
レンジング部１１０４からの通知を受けた認証処理部１１０６は、アクセスポイントＡ３３への認証要求を行い、アクセスポイント（例えばアクセスポイントＡ３５）からデータを暗号化するための鍵を取得する（ステップＳ５９）。
【０４４０】
具体的には、認証処理部１１０６は、無線通信装置１１００が保持する暗号化アルゴリズムを記述したX.509証明書を、ＷｉＭＡＸインターフェース部１１０２を介してアクセスポイント（例えばアクセスポイントＡ３５）へ送信する。上記証明書を受信した、アクセスポイント（例えばアクセスポイントＡ３５）は、無線通信装置１１００の属性をチェックし、使用する暗号化アルゴリズムとプロトコルを決定する。そして、無線通信装置１１００で使用する鍵が含まれた認証応答を返す。認証応答は、ＷｉＭＡＸインターフェース部１１０２、制御部１１０９を介して、認証処理部１１０６へ通知される。
【０４４１】
制御部１１０９からの通知を受けた認証処理部１１０６は、接続実績情報更新部１１１４に対して接続実績情報３３２の更新処理を要求する。
【０４４２】
接続実績情報更新部１１１４は、制御部１１０９を介して認証処理部１１０６から更新処理要求の通知を受け取ると、接続実績情報３３２へ現在時刻と、認証に成功したアクセスポイントの基地局ＩＤについて登録処理を行う（ステップＳ６０）。
【０４４３】
具体的には、認証処理部１１０６からの通知を受信した接続実績情報更新部１１１４は、記憶部１１１３から読み出した接続実績情報３３２に対して、認証処理に成功したアクセスポイントの基地局ＩＤとシステムから取得した現在時刻を接続実績情報３３２へ記録する。
【０４４４】
以上のように、本実施の形態４の無線通信装置１１００によれば、サービスエリア情報、接続実績情報に基づいたプロファイル情報の優先順位付けを行うことで、スケジュールによる移動過程において、予め設定した所望のアクセスポイントへの接続要求を行うだけでよく、当該アクセスポイントへ迅速な接続を行うことができ且つ消費電力の低減を図ることができる。
【０４４５】
なお、実施の形態４の無線通信装置（携帯端末）１１００における優先順位設定部１１１０におけるプロファイル情報の優先順位付けは、無線通信装置２００を備える無線通信システム１００、無線通信装置５００を備える無線通信システム４００及び無線通信装置（携帯端末）８００を備える無線通信システム７００についても適用できる。
【０４４６】
この場合、各無線通信システム１００、４００、７００における無線通信装置２００、５００、８００において、優先順位設定部２１１、５０４、８０８と優先順位設定部１１
１０とを置き換える。加えて、各無線通信装置２００、５００、８００において、接続実績情報更新部１１１４を追加し、更に、各サービスエリア情報取得部２０４、８１２において、図３０に示す第１サービスエリア情報３３０、第２サービスエリア情報３３１を取得可能な構成とする。
【０４４７】
なお、ここでは、本発明をハードウェアで構成する場合を例にとって説明したが、本発明をソフトウェアで実現することも可能である。例えば、本発明に係るアクセスポイントの接続方法のアルゴリズムをプログラム言語によって記述し、このプログラムをメモリに記憶しておいて情報処理手段によって実行させることにより、本発明に係る無線通信装置と同様の機能を実現することができる。
【０４４８】
２００７年３月１５日出願の特願２００７−６７６３９の日本出願に含まれる明細書、図面および要約書の開示内容は、すべて本願に援用される。
【産業上の利用可能性】
【０４４９】
本発明に係る無線通信装置及びアクセスポイントへの接続方法は、異なるサービスエリア間を移動する際に、無駄な電力を消費することなく迅速に移動先サービスエリアのアクセスポイントへ接続を可能とする効果を有し、携帯無線通信端末として有用である。
【図面の簡単な説明】
【０４５０】
【図１】本発明の実施の形態１に係る無線通信装置を有する無線通信システムの構成を示す概念図
【図２】本発明に係る無線通信システムの主要な構成要素である無線通信装置の要部構成を示す機能ブロック図
【図３】アクセスポイントから取得したサービスエリア情報の一例を示す図
【図４】不揮発性記憶部に記憶されるプロファイル情報の一例を示す図
【図５】優先順位設定部によって、各プロファイル情報に優先順位が設定され、その順番に並び替えられた状態の一例を示す図
【図６】本発明に係る無線通信装置により実行されるアクセスポイント接続処理を説明するためのフローチャート
【図７】本発明の実施の形態２に係る無線通信装置を有する無線通信システムの構成を示す概念図
【図８】本発明の実施の形態２に係る無線通信装置の要部構成を示す機能ブロック図
【図９】記憶部に保存されるスケジュールテーブルの一例を示す図
【図１０】プロファイル情報取得部が、不揮発性記憶部から読み込むプロファイル情報の一例を示す図
【図１１】本発明の実施の形態２に係る無線通信装置におけるアクセスポイント接続を説明するフローチャート
【図１２】プロファイル情報取得部によるスケジュールテーブルを用いたプロファイル情報の読み出しの説明に供する図
【図１３】優先順位設定部により優先順位付けされたプロファイル情報のデータ構造の一例を示す図
【図１４】優先順位設定部における、優先順位付けの変更結果を示す図
【図１５】本発明の実施の形態３に係る無線通信装置を有する無線通信システムの構成を示す概念図
【図１６】本発明の実施の形態３に係る無線通信装の要部構成を示す機能ブロック図
【図１７】アクセスポイントから取得したサービスエリア情報の一例を示す図
【図１８】本発明の実施の形態３に係る無線通信装置におけるアクセスポイント接続を説明するフローチャート
【図１９】本発明の実施の形態３に係る無線通信装置におけるアクセスポイント接続を説明するフローチャート
【図２０】本発明の実施の形態３に係る無線通信装置におけるアクセスポイント接続を説明するフローチャート
【図２１】図１５に示す無線通信システムでの無線通信装置の移動を示す図
【図２２】図１５に示す無線通信システムでの無線通信装置の移動を示す図
【図２３】プロファイル情報に対する優先順位の設定変更の結果を示す図
【図２４】プロファイル情報取得部により不揮発性記憶部から読み出されたプロファイル情報の一例を示す図
【図２５】優先順位設定部によって、各プロファイル情報に優先順位付けが行われ、その順番に並び替えられた状態を説明する図
【図２６】本発明の実施形態４に係る無線通信装置を有する無線通信システムの構成を示す概念図
【図２７】本発明の実施形態４に係る無線通信装置の要部構成を示す機能ブロック図
【図２８】本発明の実施の形態４に係る無線通信装置におけるアクセスポイント接続を説明するフローチャート
【図２９】本発明の実施の形態４に係る無線通信装置が備えるスケジュールテーブルの一例を示す図
【図３０】アクセスポイントから取得したサービスエリア情報の一例を示す図
【図３１】本発明の実施の形態４に係る無線通信装置のプロファイル情報取得部が不揮発性記憶部から読み込むプロファイル情報の一例を示す図
【図３２】プロファイル情報取得部によるスケジュールテーブルを用いたプロファイル情報の読み出しの説明に供する図
【図３３】接続実績情報の一例を示す図
【手続補正３】
【補正対象書類名】図面
【補正対象項目名】全図
【補正方法】変更
【補正の内容】
【図１】
2008111319.tif 000036
【図２】
2008111319.tif 000037
【図３】
2008111319.tif 000038
【図４】
2008111319.tif 000039
【図５】
2008111319.tif 000040
【図６】
2008111319.tif 000041
【図７】
2008111319.tif 000042
【図８】
2008111319.tif 000043
【図９】
2008111319.tif 000044
【図１０】
2008111319.tif 000045
【図１１】
2008111319.tif 000046
【図１２】
2008111319.tif 000047
【図１３】
2008111319.tif 000048
【図１４】
2008111319.tif 000049
【図１５】
2008111319.tif 000050
【図１６】
2008111319.tif 000051
【図１７】
2008111319.tif 000052
【図１８】
2008111319.tif 000053
【図１９】
2008111319.tif 000054
【図２０】
2008111319.tif 000055
【図２１】
2008111319.tif 000056
【図２２】
2008111319.tif 000057
【図２３】
2008111319.tif 000058
【図２４】
2008111319.tif 000059
【図２５】
2008111319.tif 000060
【図２６】
2008111319.tif 000061
【図２７】
2008111319.tif 000062
【図２８】
2008111319.tif 000063
【図２９】
2008111319.tif 000064
【図３０】
2008111319.tif 000065
【図３１】
2008111319.tif 000066
【図３２】
2008111319.tif 000067
【図３３】
2008111319.tif 000068
【国際調査報告】
2008111319.tif 000069
2008111319.tif 000070
2008111319.tif 000071
2008111319.tif 000072